(57)【要約】【課題】    冷却流体により光変調素子を効率的に冷却できる光変調素子保持体、光学装置、およびプロジェクタを提供する。【解決手段】光変調素子保持体４４０２を構成する一対の枠状部材４４０５，４４０６内部には、液晶パネル４４１を冷却する冷却流体が封入される冷却室Ｒ１，Ｒ２がそれぞれ形成される。また、一対の枠状部材４４０５，４４０６には、液晶パネル４４１の光変調面と平面的に干渉しない位置に、冷却室Ｒ１，Ｒ２に冷却流体を流入させる流入口４４０５Ｄ，４４０６Ｄと、冷却室Ｒ１，Ｒ２内部の冷却流体を外部に流出させる流出口４４０５Ｅ，４４０６Ｅと、流入口４４０５Ｄ，４４０６Ｄを介して流入した冷却流体を一時的に蓄積し光変調面に平行な方向および／または光変調面に直交する方向に整流するバッファ部Ｂｆ１とが設けられている。【選択図】 図１１
2005292774.tif 000002
【特許請求の範囲】
【請求項１】
光源から射出された光束を画像情報に応じて変調して光学像を形成する光変調素子を保持し、内部に冷却流体が封入される冷却室が形成され、前記冷却室内の冷却流体により前記光変調素子を冷却する光変調素子保持体であって、
前記光変調素子の光変調面に応じてそれぞれ開口が形成され前記光変調素子を挟持する一対の枠状部材と、前記一対の枠状部材における対向する面と反対の面のうち少なくともいずれかの面側に配置される透光性基板とを含んで構成され、
前記冷却室は、前記一対の枠状部材の前記開口における前記対向する面側、および前記対向する面と反対の面側のうち少なくともいずれかの面側が前記光変調素子および前記透光性基板にてそれぞれ閉塞されることにより前記一対の枠状部材のうち少なくともいずれかの枠状部材の内部に形成され、
前記一対の枠状部材のうち少なくともいずれかの枠状部材には、前記光変調素子の光変調面と平面的に干渉しない位置に、前記冷却室に前記冷却流体を流入させる流入口と、前記冷却室内部の前記冷却流体を外部に流出させる流出口と、前記流入口を介して流入した前記冷却流体を一時的に蓄積し前記光変調面に平行な方向および／または前記光変調面に直交する方向に整流するバッファ部とが設けられていることを特徴とする光変調素子保持体。
【請求項２】
請求項１に記載の光変調素子保持体において、
前記光変調素子の光変調面に応じた形状を有し透光性を有する板状部材から構成され前記冷却室内部に配置され前記冷却室を光束入射側および光束射出側の２つの領域に区画して前記流入口を介して流入した前記冷却流体を前記光変調面に直交する方向に整流する冷却室区画部を備え、
前記冷却室区画部は、前記冷却室内部に配置された状態で、前記流入口側の側端部に前記流入口側に向かうにしたがって断面積が縮小するテーパ部が形成され、
前記バッファ部は、前記冷却室が内部に形成される枠状部材における前記開口周縁に位置し前記光変調面に直交する方向に窪む凹部と、前記透光性基板と、前記冷却室区画部とを含んで構成されていることを特徴とする光変調素子保持体。
【請求項３】
請求項２に記載の光変調素子保持体において、
前記テーパ部は、少なくとも前記対向する面側に斜面を有していることを特徴とする光変調素子保持体。
【請求項４】
請求項２または請求項３に記載の光変調素子保持体において、
前記冷却室区画部は、前記光変調素子との離間寸法が前記透光性基板との離間寸法よりも大きくなるように前記冷却室内部に配置されていることを特徴とする光変調素子保持体。
【請求項５】
請求項２から請求項４のいずれかに記載の光変調素子保持体において、
前記冷却室区画部は、前記冷却室内部に配置された状態で、前記光変調素子に対向する区画部本体と、前記テーパ部を有し前記区画部本体から前記凹部に平面的に干渉するように延出する延出部とで構成され、
前記延出部は、前記テーパ部を有する側端部における前記流入口に対向する部分が前記流入口側に突出する凸曲面形状を有していることを特徴とする光変調素子保持体。
【請求項６】
請求項５に記載の光変調素子保持体において、
前記区画部本体は、前記延出部に対して厚み寸法が大きく前記対向する面側に膨出する形状を有していることを特徴とする光変調素子保持体。
【請求項７】
請求項６に記載の光変調素子保持体において、
前記延出部は、前記区画部本体側に向かうにしたがって次第に厚み寸法が大きくなる形状を有していることを特徴とする光変調素子保持体。
【請求項８】
請求項５から請求項７のいずれかに記載の光変調素子保持体において、
前記延出部は、前記冷却室内部に配置された状態で、前記対向する面側の端面における前記流入口に対向する部分が前記対向する面側に突出する凸曲面形状を有していることを特徴とする光変調素子保持体。
【請求項９】
請求項２から請求項８のいずれかに記載の光変調素子保持体において、
前記冷却室区画部は、複数の板状部材を積層させることで形成され、
前記複数の板状部材間のうち少なくともいずれかの間には、入射した光束の光学特性を変換する少なくとも１つの光学変換素子が介装されることを特徴とする光変調素子保持体。
【請求項１０】
請求項２から請求項８のいずれかに記載の光変調素子保持体において、
前記冷却室区画部は、入射した光束の光学特性を変換する少なくとも１つの光学変換素子を嵌合可能とする凹部を有し、前記凹部に嵌合された前記少なくとも１つの光学変換素子を覆うように撥水膜で被覆されていることを特徴とする光変調素子保持体。
【請求項１１】
請求項２から請求項１０のいずれかに記載の光変調素子保持体において、
前記バッファ部は、前記凹部、前記透光性基板、および前記冷却室区画部の他、前記凹部に配設され前記流入口を介して流入した前記冷却流体を前記光変調面に平行な方向で前記冷却室内部に拡げるように整流する整流部を含んで構成され、
前記冷却室区画部および前記整流部は、平面的に干渉しないように配置されていることを特徴とする光変調素子保持体。
【請求項１２】
請求項１１に記載の光変調素子保持体において、
前記冷却室区画部および前記整流部は、前記冷却室区画部および前記透光性基板の離間寸法が前記整流部および前記透光性基板の離間寸法よりも大きくなるように形成されていることを特徴とする光変調素子保持体。
【請求項１３】
請求項１から請求項１２のいずれかに記載の光変調素子保持体において、
前記冷却室が内部に形成される枠状部材には、前記開口周縁に位置し前記光変調面に直交する方向に窪む凹部が形成され、
前記バッファ部は、前記凹部と、前記透光性基板と、前記凹部および前記透光性基板の間に配設され前記流入口を介して流入した前記冷却流体を前記光変調面に平行な方向で前記冷却室内部に拡げるように整流する整流部とを含んで構成されていることを特徴とする光変調素子保持体。
【請求項１４】
請求項１３に記載の光変調素子保持体において、
前記整流部は、前記流入口を介して流入した前記冷却流体を前記光変調面に平行な方向で前記冷却室内部に拡げるように整流する整流面を有する複数の柱状部で構成されていることを特徴とする光変調素子保持体。
【請求項１５】
請求項１３または請求項１４に記載の光変調素子保持体において、
前記整流部は、前記流入口を介して流入した前記冷却流体の流入方向に直交する方向に延びるように配設され、前記透光性基板側の端面に前記冷却流体の流入方向に沿って複数の溝部を有していることを特徴とする光変調素子保持体。
【請求項１６】
請求項１３または請求項１４に記載の光変調素子保持体において、
前記整流部は、前記流入口を介して流入した前記冷却流体の流入方向に直交する方向に延びるように配設され、前記流入口に対向する部分から離間するにしたがって次第に前記光変調面に直交する方向の高さ寸法が小さくなるように形成されていることを特徴とする光変調素子保持体。
【請求項１７】
請求項１３から請求項１６のいずれかに記載の光変調素子保持体において、
前記整流部は、前記凹部に対して着脱可能に構成されていることを特徴とする光変調素子保持体。
【請求項１８】
請求項１３から請求項１６のいずれかに記載の光変調素子保持体において、
前記冷却室が内部に形成される枠状部材は、成形加工により形成された成形品であり、
前記整流部は、前記凹部に一体成形されていることを特徴とする光変調素子保持体。
【請求項１９】
請求項１３から請求項１８のいずれかに記載の光変調素子保持体において、
前記整流部には、前記冷却流体を流通可能とする複数の孔が形成されていることを特徴とする光変調素子保持体。
【請求項２０】
請求項１から請求項１９のいずれかに記載の光変調素子保持体において、
前記バッファ部は、前記流入口側、および前記流出口側の双方に形成されていることを特徴とする光変調素子保持体。
【請求項２１】
光源から射出された光束を画像情報に応じて変調して光学像を形成する光変調素子を含んで構成される光学装置であって、
請求項１から請求項２０のいずれかに記載の光変調素子保持体と、
前記光変調素子保持体の流入口および流出口と接続され、前記冷却流体を前記冷却室外部に案内し、再度、前記冷却室内部に導く複数の流体循環部材と、
前記複数の流体循環部材における前記冷却流体の流路中に配置され、前記冷却流体を前記複数の流体循環部材を介して前記光変調素子保持体に圧送し、前記冷却流体を強制的に循環させる流体圧送部とを備えていることを特徴とする光学装置。
【請求項２２】
請求項２１に記載の光学装置において、
入射した光束の光学特性を変換する少なくとも１つの光学変換素子を備え、
前記光学変換素子は、透光性基板と、前記透光性基板上に形成され、入射した光束の光学特性を変換する光学変換膜とで構成され、
前記光変調素子保持体を構成する透光性基板は、前記光学変換素子を構成する透光性基板であることを特徴とする光学装置。
【請求項２３】
光源装置と、請求項２１または請求項２２に記載の光学装置と、前記光学装置にて形成された光学像を拡大投射する投射光学装置とを備えていることを特徴とするプロジェクタ。
【発明の詳細な説明】
【技術分野】
【０００１】
本発明は、光変調素子保持体、光学装置、およびプロジェクタに関する。
【背景技術】
【０００２】
従来、光源から射出された光束を画像情報に応じて変調して光学像を形成する複数の光変調装置と、各光変調装置で変調された光束を合成して射出する色合成光学装置と、色合成光学装置にて合成された光束を拡大投射する投射光学装置とを備えるプロジェクタが知られている。
このうち、光変調装置としては、例えば、一対の基板間に液晶等の電気光学材料が密閉封入されたアクティブマトリックス駆動方式の光変調素子が一般的に採用される。具体的に、この光変調素子を構成する一対の基板は、光束射出側に配置され、液晶に駆動電圧を印加するためのデータ線、走査線、スイッチング素子、画素電極等が形成された駆動基板と、光束入射側に配置され、共通電極、ブラックマスク等が形成された対向基板とで構成されている。
また、この光変調素子の光束入射側および光束射出側には所定の偏光軸を有する光束を透過させる入射側偏光板および射出側偏光板がそれぞれ配置される。
ここで、光源から射出された光束が光変調素子に照射された場合には、液晶層による光吸収とともに、駆動基板に形成されたデータ線および走査線や、対向基板に形成されたブラックマトリックス等による光吸収により、光変調素子の温度が上昇しやすい。また、光源から射出された光束、および光変調素子を透過した光束のうち、所定の偏光軸を有していない光束は、入射側偏光板および射出側偏光板によって吸収され、偏光板に熱が発生しやすい。
【０００３】
このため、このような光学素子を内部に有するプロジェクタは、光学素子の温度上昇を緩和するために、冷却流体を用いた冷却装置を備えた構成が提案されている（例えば、特許文献１参照）。
すなわち、特許文献１に記載の冷却装置は、対向する端面が開口された略直方体状の筐体から構成され、内部に冷却流体を充填する冷却室を備えている。そして、前記対向する端面のうち、一方の端面側に光変調素子を配置し、他方の端面側に入射側偏光板を配置し、これら光変調素子および入射側偏光板にて開口の対向する端面を閉塞し、冷却室を形成している。このような構成により、光源から照射される光束により光変調素子および入射側偏光板に生じる熱を直接、冷却流体に放熱させている。
【０００４】
【特許文献１】特開平３−１７４１３４号公報
【発明の開示】
【発明が解決しようとする課題】
【０００５】
しかしながら、特許文献１に記載の冷却装置では、冷却室内に封入された冷却流体の容量が小さいため、冷却流体と、発熱した光変調素子および入射側偏光板等の光学素子との熱交換能力が低い。
また、冷却室内に封入された冷却流体の対流速度が遅いため、発熱した光学素子により冷却流体が温められやすく、光学素子と冷却流体との温度差が小さくなる。
したがって、特許文献１に記載の冷却装置では、冷却流体により光変調素子を効率的に冷却することが困難である、という問題がある。
【０００６】
本発明の目的は、冷却流体により光変調素子を効率的に冷却できる光変調素子保持体、光学装置、およびプロジェクタを提供することにある。
【課題を解決するための手段】
【０００７】
本発明の光変調素子保持体は、光源から射出された光束を画像情報に応じて変調して光学像を形成する光変調素子を保持し、内部に冷却流体が封入される冷却室が形成され、前記冷却室内の冷却流体により前記光変調素子を冷却する光変調素子保持体であって、前記光変調素子の光変調面に応じてそれぞれ開口が形成され前記光変調素子を挟持する一対の枠状部材と、前記一対の枠状部材における対向する面と反対の面のうち少なくともいずれかの面側に配置される透光性基板とを含んで構成され、前記冷却室は、前記一対の枠状部材の前記開口における前記対向する面側、および前記対向する面と反対の面側のうち少なくともいずれかの面側が前記光変調素子および前記透光性基板にてそれぞれ閉塞されることにより前記一対の枠状部材のうち少なくともいずれかの枠状部材の内部に形成され、
前記一対の枠状部材のうち少なくともいずれかの枠状部材には、前記光変調素子の光変調面と平面的に干渉しない位置に、前記冷却室に前記冷却流体を流入させる流入口と、前記冷却室内部の前記冷却流体を外部に流出させる流出口と、前記流入口を介して流入した前記冷却流体を一時的に蓄積し前記光変調面に平行な方向および／または前記光変調面に直交する方向に整流するバッファ部とが設けられていることを特徴とする。
【０００８】
ここで、光変調素子保持体は、透光性基板を１つ有する構成でもよく、２つ有する構成でもよい。例えば、透光性基板を１つのみ有する構成では、該透光性基板および光変調素子により１対の枠状部材の開口における対向する面側および対向する面と反対の面のいずれかの面側がそれぞれ閉塞され、一方の枠状部材の内部にのみ冷却室が形成される。また、例えば、透光性基板を２つ有する構成では、２つの透光性基板および光変調素子により１対の枠状部材の開口における対向する面側および対向する面と反対の面がそれぞれ閉塞され、１対の枠状部材双方の内部にそれぞれ冷却室が形成される。
本発明によれば、一対の枠状部材のうち少なくともいずれかの枠状部材は、流入口および流出口を有するので、例えば、冷却流体を流通可能な流体循環部材にて流入口および流出口を接続すれば、冷却流体を対流させることができ、冷却室内部での冷却流体の対流速度を速めることができる。また、このような構成であれば、従来のように冷却室内部に冷却流体が密閉封入される構成と比較して、光変調素子と熱交換を実施する冷却流体の容量を大きくでき、光変調素子と冷却流体との熱交換能力を向上させることができる。
したがって、光変調素子により冷却流体が温められて光変調素子と冷却流体との温度差が小さくなることがなく、冷却流体により光変調素子を効率的に冷却でき、本発明の目的を達成できる。
【０００９】
ところで、流入口を介した冷却流体が直接、冷却室に流入する構成を採用した場合には、冷却室内部の各位置での冷却流体の流速が異なりやすい。このように冷却室内部の各位置で冷却流体の流速が異なる場合には、光変調素子にて形成された光学像に冷却流体の流れる方向に延びる筋状の像が含まれ、光学像を良好に維持できない。また、冷却室内部の各位置で冷却流体の流速が異なる場合には、光変調素子の光変調面の各位置で冷却流体との熱交換能力が異なり、光変調素子の面内温度の均一化が図りにくい。
本発明によれば、冷却室が内部に形成される枠状部材は、光変調素子の光変調面と平面的に干渉しない位置にバッファ部が形成されているので、流入口を介して流入した冷却流体を一時的に蓄積し、光変調面に平行な方向および／または光変調面に直交する方向に整流できる。このため、冷却室内部の各位置での冷却流体の流速の均一化が図れ、光変調素子にて形成された光学像に筋状の像が含まれることなく、光変調素子にて形成された光学像を良好に維持できる。また、冷却室内部の各位置での冷却流体の流速の均一化が図れることにより、光変調素子の面内温度の均一化も図れ、局所的な過熱を回避し、光変調素子にて鮮明な光学像を形成できる。
【００１０】
本発明の光変調素子保持体では、前記光変調素子の光変調面に応じた形状を有し透光性を有する板状部材から構成され前記冷却室内部に配置され前記冷却室を光束入射側および光束射出側の２つの領域に区画して前記流入口を介して流入した前記冷却流体を前記光変調面に直交する方向に整流する冷却室区画部を備え、前記冷却室区画部は、前記冷却室内部に配置された状態で、前記流入口側の側端部に前記流入口側に向かうにしたがって断面積が縮小するテーパ部が形成され、前記バッファ部は、前記冷却室が内部に形成される枠状部材における前記開口周縁に位置し前記光変調面に直交する方向に窪む凹部と、前記透光性基板と、前記冷却室区画部とを含んで構成されていることが好ましい。
本発明によれば、光変調素子保持体は、冷却室区画部を備えているので、凹部、透光性基板、および冷却室区画部における流入口側の側端部にて、流入口を介して流入した冷却流体を一時的に蓄積するバッファ部を形成することができる。このため、バッファ部の構成を簡素化できる。
また、冷却室内部に冷却室区画部を配置することで、流入口を介して流入した冷却流体を一時的に蓄積した後、冷却室区画部の光束入射側および光束射出側に整流できる。また、冷却室内部に冷却室区画部を配置することで、冷却室内における光変調素子と接触する冷却流体層の厚みを縮小でき、光変調素子と接触する冷却流体の対流速度を速めることができる。このため、光変調素子と冷却流体との温度差を維持し、冷却流体により光変調素子をさらに効率的に冷却できる。
さらに、冷却室区画部は、流入口側の側端部にテーパ部が形成されているので、該冷却室区画部の光束入射側および光束射出側に円滑に整流できる。このため、テーパ部を有しない冷却室区画部と比較して、光変調素子と接触する冷却流体の対流速度を良好に維持でき、冷却流体により光変調素子を効率的に冷却できる。
【００１１】
本発明の光変調素子保持体では、前記テーパ部は、少なくとも前記対向する面側に斜面を有していることが好ましい。
ところで、冷却流体が光変調面に直交し対向する面側から透光性基板側に向けてバッファ部に流入する構成とした場合には、バッファ部に流入した後、冷却室区画部にて透光性基板側に向かう冷却流体の流量が多くなる。このため、光変調素子側に向かう冷却流体の流量が少なくなり、その結果、光変調素子と接触する冷却流体の対流速度が遅くなり、光変調素子と冷却流体との温度差を維持しにくい。
本発明によれば、冷却室区画部のテーパ部が少なくとも対向する面側に斜面を有しているので、バッファ部にて一時的に冷却流体を蓄積した後、該斜面により光変調素子側により多くの冷却流体を案内できる。このため、上述したような冷却流体が光変調面に直交し対向する面側から透光性基板側に向けてバッファ部に流入する構成とした場合であっても、光変調素子側に向かう冷却流体の流量を所定量に維持でき、光変調素子と冷却流体との温度差を維持し、冷却流体により光変調素子を効率的に冷却できる。
【００１２】
本発明の光変調素子保持体では、前記冷却室区画部は、前記光変調素子との離間寸法が前記透光性基板との離間寸法よりも大きくなるように前記冷却室内部に配置されていることが好ましい。
ところで、冷却流体が光変調面に直交し対向する面側から透光性基板側に向けてバッファ部に流入する構成とした場合には、上述したように、光変調素子側に向かう冷却流体の流量が少なくなり、その結果、光変調素子と接触する冷却流体の対流速度が遅くなり、光変調素子と冷却流体との温度差を維持しにくい。
本発明によれば、冷却室区画部を、光変調素子との離間寸法が透光性基板との離間寸法よりも大きくなるように冷却室内部に配置することで、バッファ部にて一時的に冷却流体を蓄積した後、光変調素子側により多くの冷却流体を整流できる。このため、上述したような冷却流体が光変調面に直交し対向する面側から透光性基板側に向けてバッファ部に流入する構成とした場合であっても、光変調素子側に向かう冷却流体の流量を所定量に維持でき、光変調素子と冷却流体との温度差を維持し、冷却流体により光変調素子を効率的に冷却できる。
【００１３】
本発明の光変調素子保持体では、前記冷却室区画部は、前記冷却室内部に配置された状態で、前記光変調素子に対向する区画部本体と、前記テーパ部を有し前記区画部本体から前記凹部に平面的に干渉するように延出する延出部とで構成され、前記延出部は、前記テーパ部を有する側端部における前記流入口に対向する部分が前記流入口側に突出する凸曲面形状を有していることが好ましい。
本発明では、冷却室区画部を構成する延出部は、テーパ部を有する側端部における流入口に対向する部分が流入口側に突出する凸曲面形状を有している。このことにより、流入口を介して流入した冷却流体を一時的に蓄積した後、延出部における側端部の凸曲面形状により、一部の冷却流体を延出部の側端部における流入口に対向する部分から離間する部分に向けて案内することができ、光変調素子の光変調面に平行な方向に整流できる。このため、延出部のテーパ部および前記凸曲面形状により、光変調面に平行な方向および直交する方向の双方に冷却流体を整流できる。したがって、冷却室区画部により、冷却室内部の各位置での冷却流体の流速のさらなる均一化が図れ、光変調素子にて形成された光学像をさらに良好に維持できる。また、冷却室内部の各位置での冷却流体の流速のさらなる均一化が図れることにより、光変調素子の面内温度のさらなる均一化も図れ、局所的な過熱を回避し、光変調素子にてさらに鮮明な光学像を形成できる。
【００１４】
前記区画部本体は、前記延出部に対して厚み寸法が大きく前記対向する面側に膨出する形状を有していることが好ましい。
ところで、冷却室区画部が延出部を有している場合には、延出部が枠状部材の凹部と平面的に干渉するため、冷却室区画部を冷却室内部に配置した状態では、区画部本体と光変調素子との離間寸法が区画部本体と透光性基板との離間寸法よりも必要以上に大きくなりやすい。このため、光変調素子側に向かう冷却流体の対流速度を所望の速度に制御することが難しく、光変調素子と冷却流体との温度差を維持しにくい。
本発明によれば、区画部本体が延出部に対して厚み寸法が大きく対向する面側に膨出する形状を有しているので、区画部本体と光変調素子との離間寸法、および区画部本体と透光性基板との離間寸法を、所定寸法に設定できる。このため、光変調素子側に向かう冷却流体の対流速度を所望の速度に制御でき、光変調素子と冷却流体との温度差を良好に維持できる。
【００１５】
本発明の光変調素子保持体では、前記延出部は、前記区画部本体側に向かうにしたがって次第に厚み寸法が大きくなる形状を有していることが好ましい。
本発明によれば、上述したように区画部本体が延出部に対して厚み寸法が大きく対向する面側に膨出する形状とした場合であっても、延出部を区画部本体側に向かうにしたがって次第に厚み寸法が大きくなる形状にすることで、延出部と区画部本体との異なる厚み寸法による段差部分を省略でき、光変調素子側に向かう冷却流体を段差部分に衝突させることがなく円滑に対流させることができる。このため、光変調素子側に向かう冷却流体の対流速度を所望の速度に容易に制御でき、光変調素子と冷却流体との温度差をさらに良好に維持できる。
【００１６】
本発明の光変調素子保持体では、前記延出部は、前記冷却室内部に配置された状態で、前記対向する面側の端面における前記流入口に対向する部分が前記対向する面側に突出する凸曲面形状を有していることが好ましい。
本発明では、延出部は、対向する面側の端面における流入口に対向する部分が対向する面側に突出する凸曲面形状を有している。このことにより、流入口を介して流入した冷却流体を一時的に蓄積した後、延出部における対向する面側の端面の凸曲面形状により、一部の冷却流体を延出部における光変調素子に対向する面側の端面の流入口に対向する部分から離間する部分に向けて案内することができ、光変調素子の光変調面に平行な方向により円滑に整流できる。このため、延出部のテーパ部、延出部における側端部の凸曲面形状、および延出部における対向する面側の端面の凸曲面形状により、光変調面に平行な方向および直交する方向の双方に冷却流体をより円滑に整流できる。したがって、冷却室区画部により、冷却室内部の各位置での冷却流体の流速をさらに一層均一化でき、光変調素子にて形成された光学像をさらに一層良好に維持できる。また、冷却室内部の各位置での冷却流体の流速をさらに一層均一化できることにより、光変調素子の面内温度もさらに一層均一化でき、局所的な過熱を回避し、光変調素子にてさらに一層鮮明な光学像を形成できる。
【００１７】
本発明の光変調素子保持体では、前記冷却室区画部は、複数の板状部材を積層させることで形成され、前記複数の板状部材間のうち少なくともいずれかの間には、入射した光束の光学特性を変換する少なくとも１つの光学変換素子が介装されることが好ましい。
ここで、光学変換素子としては、例えば、偏光板、位相差板、あるいは視野角補正板等を採用できる。
本発明によれば、冷却室区画部における複数の板状部材間のうち少なくともいずれかの間に少なくとも１つの光学変換素子が介装されるので、光変調素子のみならず、光源から射出された光束によって光学変換素子に生じる熱も、板状部材を介して冷却室区画部の光束入射側および光束射出側を対流する冷却流体に放熱できる。
また、光変調素子保持体に、光変調素子のみならず、周辺の光学変換素子を一体化させることができるため、これら光学素子の冷却性能向上に加えて小型化も可能となる。
【００１８】
本発明の光変調素子保持体では、前記冷却室区画部は、入射した光束の光学特性を変換する少なくとも１つの光学変換素子を嵌合可能とする凹部を有し、前記凹部に嵌合された前記少なくとも１つの光学変換素子を覆うように撥水膜で被覆されていることが好ましい。
ここで、光学変換素子としては、上記同様に、例えば、偏光板、位相差板、あるいは視野角補正板等を採用できる。
本発明によれば、冷却室区画部における凹部に少なくとも１つの光学変換素子が嵌合され、少なくとも１つの光学変換素子を覆うように撥水膜で被覆されるので、光変調素子のみならず、光源から射出された光束によって光学変換素子に生じる熱も、撥水膜あるいは冷却室区画部を介して冷却室区画部の光束入射側および光束射出側を対流する冷却流体に放熱できる。
また、少なくとも１つの光学変換素子が冷却室区画部における凹部に嵌合され撥水膜で被覆された状態であるので、撥水膜を介して冷却流体に熱を放熱しやすい構成となり、少なくとも１つの光学変換素子の冷却性能の向上が図れる。
さらに、少なくとも１つの光学変換素子が冷却室区画部における凹部に嵌合され撥水膜で被覆された状態であるので、冷却室区画部と冷却流体との接触角を大きくして冷却流体の濡れ性を抑制できる。このため、冷却流体に含まれる気泡、塵埃等が撥水膜に付着しにくい構成となり、気泡、塵埃等が付着することで光変調素子にて形成した光学像に不要な像が含まれることを回避でき、光変調素子にて形成された光学像を良好に維持できる。
さらにまた、少なくとも１つの光学変換素子が冷却室区画部における凹部に嵌合され撥水膜で被覆された状態であるので、光学変換素子の吸水劣化を抑制できる。
また、光変調素子保持体に、光変調素子のみならず、周辺の光学変換素子を一体化させることができるため、これら光学素子の冷却性能向上に加えて小型化も可能となる。
【００１９】
本発明の光変調素子保持体では、前記バッファ部は、前記凹部、前記透光性基板、および前記冷却室区画部の他、前記凹部に配設され前記流入口を介して流入した前記冷却流体を前記光変調面に平行な方向で前記冷却室内部に拡げるように整流する整流部を含んで構成され、前記冷却室区画部および前記整流部は、平面的に干渉しないように配置されていることが好ましい。
本発明によれば、バッファ部が凹部、透光性基板、冷却室区画部、および整流部を含んで構成されているので、流入口を介して流入した冷却流体を一時的に蓄積した後、該冷却流体を、整流部にて光変調素子の光変調面に平行な方向に整流できかつ、冷却室区画部にて光変調素子の光変調面に直交する方向に整流できる。このため、整流部および冷却室区画部の双方により、冷却室内部の各位置での冷却流体の流速をさらに一層均一化でき、光変調素子にて形成された光学像をさらに一層良好に維持できる。また、冷却室内部の各位置での冷却流体の流速をさらに一層均一化できることにより、光変調素子の面内温度もさらに一層均一化でき、局所的な過熱を回避し、光変調素子にてさらに一層鮮明な光学像を形成できる。
【００２０】
本発明の光変調素子保持体では、前記冷却室区画部および前記整流部は、前記冷却室区画部および前記透光性基板の離間寸法が前記整流部および前記透光性基板の離間寸法よりも大きくなるように形成されていることが好ましい。
本発明によれば、冷却室区画部および整流部を上述したように形成することで、バッファ部に流入した冷却流体を、冷却室区画部の側端部よりも流入口側に配設される整流部にて一時的に堰き止めることができる。このため、冷却室区画部および整流部により、冷却室内部の各位置での冷却流体の流速をより効果的に均一化できる。
【００２１】
本発明の光変調素子保持体では、前記冷却室が内部に形成される枠状部材には、前記開口周縁に位置し前記光変調面に直交する方向に窪む凹部が形成され、前記バッファ部は、前記凹部と、前記透光性基板と、前記凹部および前記透光性基板の間に配設され前記流入口を介して流入した前記冷却流体を前記光変調面に平行な方向で前記冷却室内部に拡げるように整流する整流部とを含んで構成されていることが好ましい。
本発明によれば、光変調素子保持体は、整流部を備えているので、凹部、透光性基板、および整流部にて、流入口を介して流入した冷却流体を一時的に蓄積するバッファ部を形成することができる。このため、バッファ部の構成を簡素化できる。
また、流入口を介して流入した冷却流体を一時的に蓄積した後、整流部により、光変調素子の光変調面と平行な方向に整流できる。このため、整流部により、光変調素子の光変調面に平行な面内で冷却流体の流速を効果的に均一化できる。
【００２２】
本発明の光変調素子保持体では、前記整流部は、前記流入口を介して流入した前記冷却流体を前記光変調面に平行な方向で前記冷却室内部に拡げるように整流する整流面を有する複数の柱状部で構成されていることが好ましい。
本発明によれば、整流部が整流面を有する複数の柱状部で構成されているので、流入口を介して流入した冷却流体を一時的に蓄積した後、該冷却流体を光変調素子の光変調面と平行な方向に簡単な構成で容易に整流できる。
【００２３】
本発明の光変調素子保持体では、前記整流部は、前記流入口を介して流入した前記冷却流体の流入方向に直交する方向に延びるように配設され、前記透光性基板側の端面に前記冷却流体の流入方向に沿って複数の溝部を有していることが好ましい。
本発明によれば、例えば、上述した整流部を、冷却室内部に配置した状態で透光性基板に近接するように形成しておけば、バッファ部に流入した冷却流体を、整流部にて一時的に堰き止めることができる。そして、一時的に堰き止めた冷却流体は、整流部における透光性基板側の端面に形成された複数の溝部を介して流通することとなる。このため、光変調素子の光変調面と平行な方向で流速が均一化した冷却流体をバッファ部から光変調面と平面的に干渉する領域へと効果的に流通させることができる。
【００２４】
本発明の光変調素子保持体では、前記整流部は、前記流入口を介して流入した前記冷却流体の流入方向に直交する方向に延びるように配設され、前記流入口に対向する部分から離間するにしたがって次第に前記光変調面に直交する方向の高さ寸法が小さくなるように形成されていることが好ましい。
本発明によれば、整流部を上述したように形成することで、流入口を介して流入した冷却流体を一時的に蓄積した後、該冷却流体を整流部における流入口に対向する部分から離間する部分に向けて案内することができ、光変調素子の光変調面と平行な方向に簡単な構成で容易に整流できる。
また、整流部を上述したように形成するとともに、上述した整流面を有する構成とすれば、冷却流体を光変調素子の光変調面と平行な方向に効果的に整流でき、冷却流体の流速の均一化を効果的に実施できる。
【００２５】
本発明の光変調素子保持体では、前記整流部は、前記凹部に対して着脱可能に構成されていることが好ましい。
本発明では、整流部が凹部に対して着脱可能に構成され、すなわち、整流部と枠状部材とが別体で構成されている。このことにより、整流部と枠状部材とが一体的に形成された構成と比較して、種々の形状の整流部を形成できる。このため、光変調素子保持体の設計の自由度が向上する。
【００２６】
本発明の光変調素子保持体では、前記冷却室が内部に形成される枠状部材は、成形加工により形成された成形品であり、前記整流部は、前記凹部に一体成形されていることが好ましい。
本発明によれば、整流部と枠状部材とが一体成形されているので、整流部と枠状部材とが別体の構成と比較して、整流部を設置する作業を省略でき、光変調素子保持体の組み立て作業を容易に実施できる。
また、金型を用いるので、金型を修正することで容易に整流部の形状を修正することが可能となる。また、整流部を複雑な形状とすることも可能となる。
【００２７】
本発明の光変調素子保持体では、前記整流部には、前記冷却流体を流通可能とする複数の孔が形成されていることが好ましい。
本発明によれば、整流部に複数の孔が形成されているので、冷却流体が複数の孔を流通する際に、複数の孔にて冷却流体に含まれる気泡、塵埃等を捕捉することが可能となる。このため、冷却流体に含まれる気泡、塵埃等に光束が入射することにより形成される像が光変調素子にて形成された光学像に含まれることを回避でき、光変調素子にて形成された光学像を良好に維持できる。
【００２８】
本発明の光変調素子保持体では、前記バッファ部は、前記流入口側、および前記流出口側の双方に形成されていることが好ましい。
本発明によれば、バッファ部が流入口側および流出口側の双方に形成されているので、例えば、冷却流体の流通方向を逆にした場合であっても、すなわち、流入口および流出口を逆の機能となるように設定した場合であっても、流出口側にバッファ部が形成されているので、流出口を介して流入した冷却流体を一時的に蓄積し、光変調面に平行な方向および／または光変調面に直交する方向に整流できる。このため、例えば、冷却流体の流通方向を逆にした場合であっても、冷却室内部の各位置での冷却流体の流速の均一化が図れ、光変調素子にて形成された光学像を良好に維持でき、また、光変調素子の面内温度の均一化も図れ光変調素子にて鮮明な光学像を形成できる。
【００２９】
本発明の光学装置は、光源から射出された光束を画像情報に応じて変調して光学像を形成する光変調素子を含んで構成される光学装置であって、上述した光変調素子保持体と、前記光変調素子保持体の流入口および流出口と接続され、前記冷却流体を前記冷却室外部に案内し、再度、前記冷却室内部に導く複数の流体循環部材と、前記複数の流体循環部材における前記冷却流体の流路中に配置され、前記冷却流体を前記複数の流体循環部材を介して前記光変調素子保持体に圧送し、前記冷却流体を強制的に循環させる流体圧送部とを備えていることを特徴とする。
本発明によれば、光学装置は、上述した光変調素子保持体、複数の流体循環部材、および流体圧送部を備えているので、上述した光変調素子保持体と同様の作用・効果を享受できる。
また、流体圧送部により冷却流体を強制的に循環させることができるので、冷却室内部の冷却流体を確実に対流させることができる。このため、光変調素子と冷却流体との間で常に大きい温度差を確保し、光変調素子の冷却効率の向上を図れる。
さらに、光変調素子保持体にバッファ部が形成されているので、流体圧送部にて圧送された冷却流体をバッファ部にて一時的に蓄積できる。このため、流体圧送部にて圧送された冷却流体の圧力が直接、冷却室内部に加わることがなく、すなわち、光変調素子および透光性基板に加わることがない。したがって、光変調素子に加わる圧力をバッファ部にて調圧でき、光変調素子に圧力が加わることによる画質の低下を防止できる。
【００３０】
本発明の光学装置では、入射した光束の光学特性を変換する少なくとも１つの光学変換素子を備え、前記光学変換素子は、透光性基板と、前記透光性基板上に形成され、入射した光束の光学特性を変換する光学変換膜とで構成され、前記光変調素子保持体を構成する透光性基板は、前記光学変換素子を構成する透光性基板であることが好ましい。
ここで、光学変換素子としては、上記同様に、例えば、偏光板、位相差板、あるいは視野角補正板等を採用できる。
本発明によれば、光変調素子保持体を構成する透光性基板は、光学変換素子を構成する透光性基板であるので、光変調素子のみならず、光源から射出された光束によって光学変換膜に生じる熱も、冷却室を対流する冷却流体に放熱できる。
また、光変調素子保持体に、光変調素子のみならず、周辺の光学変換素子を一体化させることができるため、これら光学素子の冷却性能向上に加えて小型化も可能となる。
【００３１】
本発明のプロジェクタは、光源装置と、上述した光学装置と、前記光学装置にて形成された光学像を拡大投射する投射光学装置とを備えていることを特徴とする。
本発明によれば、プロジェクタは、光源装置、上述した光学装置、および投射光学装置を備えているので、上述した光学装置と同様の作用・効果を享受できる。
また、上述した光学装置を備えることで、光変調素子の熱劣化を防止でき、プロジェクタの高寿命化を図れる。
さらに、上述した光学装置を備えることで、光変調素子にて形成された光学像を良好に維持でき、投射光学装置にて鮮明な光学像を拡大投射できる。
【発明を実施するための最良の形態】
【００３２】
[第１実施形態]
以下、本発明の第１実施形態を図面に基づいて説明する。
〔プロジェクタの構成〕
図１は、プロジェクタ１の概略構成を模式的に示す図である。
プロジェクタ１は、光源から射出される光束を画像情報に応じて変調して光学像を形成し、形成した光学像をスクリーン上に拡大投射するものである。このプロジェクタ１は、外装ケース２と、冷却ユニット３と、光学ユニット４と、投射光学装置としての投射レンズ５とを備える。
なお、図１において、図示は省略するが、外装ケース２内において、冷却ユニット３、光学ユニット４、および投射レンズ５以外の空間には、電源ブロック、ランプ駆動回路等が配置されるものとする。
【００３３】
外装ケース２は、合成樹脂等から構成され、冷却ユニット３、光学ユニット４、および投射レンズ５を内部に収納配置する全体略直方体状に形成されている。この外装ケース２は、図示は省略するが、プロジェクタ１の天面、前面、背面、および側面をそれぞれ構成するアッパーケースと、プロジェクタ１の底面、前面、側面、および背面をそれぞれ構成するロアーケースとで構成され、前記アッパーケースおよび前記ロアーケースは互いにねじ等で固定されている。
なお、外装ケース２は、合成樹脂製に限らず、その他の材料にて形成してもよく、例えば、金属等により構成してもよい。
また、図示は省略するが、この外装ケース２には、冷却ユニット３によりプロジェクタ１外部から冷却空気を内部に導入するための吸気口（例えば、図２に示す吸気口２２）、およびプロジェクタ１内部で温められた空気を排出するための排気口が形成されている。
さらに、この外装ケース２には、図１に示すように、投射レンズ５の側方で外装ケース２の角部分に位置し、光学ユニット４の後述する光学装置のラジエータを他の部材と隔離する隔壁２１が形成されている。
【００３４】
冷却ユニット３は、プロジェクタ１内部に形成される冷却流路に冷却空気を送り込み、プロジェクタ１内で発生する熱を冷却する。この冷却ユニット３は、投射レンズ５の側方に位置し、外装ケース２に形成された図示しない吸気口からプロジェクタ１外部の冷却空気を内部に導入して光学ユニット４の後述する光学装置の液晶パネルに冷却空気を吹き付けるシロッコファン３１と、外装ケース２に形成された隔壁２１内部に位置し、外装ケース２に形成された吸気口２２（図２参照）からプロジェクタ１外部の冷却空気を内部に導入して光学ユニット４の後述するラジエータに冷却空気を吹き付ける軸流ファン３２とを備える。
なお、この冷却ユニット３は、図示は省略するが、シロッコファン３１および軸流ファン３２の他、光学ユニット４の後述する光源装置、および図示しない電源ブロック、ランプ駆動回路等を冷却するための冷却ファンも有しているものとする。
【００３５】
光学ユニット４は、光源から射出された光束を、光学的に処理して画像情報に対応して光学像（カラー画像）を形成するユニットである。この光学ユニット４は、図１に示すように、外装ケース２の背面に沿って延出するとともに、外装ケース２の側面に沿って延出する平面視略Ｌ字形状を有している。なお、この光学ユニット４の詳細な構成については、後述する。
投射レンズ５は、複数のレンズが組み合わされた組レンズとして構成される。そして、この投射レンズ５は、光学ユニット４にて形成された光学像（カラー画像）を図示しないスクリーン上に拡大投射する。
【００３６】
〔光学ユニットの詳細な構成〕
光学ユニット４は、図１に示すように、インテグレータ照明光学系４１、色分離光学系４２、リレー光学系４３、光学装置４４、および、これら光学部品４１〜４４を収納配置する光学部品用筐体４５とを備える。
インテグレータ照明光学系４１は、光学装置４４を構成する後述する液晶パネルの光変調面（画像形成領域）を略均一に照明するための光学系である。このインテグレータ照明光学系４１は、図１に示すように、光源装置４１１と、第１レンズアレイ４１２と、第２レンズアレイ４１３と、偏光変換素子４１４と、重畳レンズ４１５とを備える。
【００３７】
光源装置４１１は、放射状の光線を射出する光源ランプ４１６と、この光源ランプ４１６から射出された放射光を反射するリフレクタ４１７とを備える。光源ランプ４１６としては、ハロゲンランプやメタルハライドランプ、高圧水銀ランプが多用される。また、リフレクタ４１７としては、図１では、放物面鏡を採用しているが、これに限らず、楕円面鏡で構成し、光束射出側に該楕円面鏡により反射された光束を平行光とする平行化凹レンズを採用した構成としてもよい。
第１レンズアレイ４１２は、光軸方向から見て略矩形状の輪郭を有する小レンズがマトリクス状に配列された構成を有している。各小レンズは、光源装置４１１から射出される光束を、複数の部分光束に分割している。
第２レンズアレイ４１３は、第１レンズアレイ４１２と略同様な構成を有しており、小レンズがマトリクス状に配列された構成を有している。この第２レンズアレイ４１３は、重畳レンズ４１５とともに、第１レンズアレイ４１２の各小レンズの像を光学装置４４の後述する液晶パネル上に結像させる機能を有している。
【００３８】
偏光変換素子４１４は、第２レンズアレイ４１３と重畳レンズ４１５との間に配置され、第２レンズアレイ４１３からの光を略１種類の偏光光に変換するものである。
具体的に、偏光変換素子４１４によって略１種類の偏光光に変換された各部分光は、重畳レンズ４１５によって最終的に光学装置４４の後述する液晶パネル上にほぼ重畳される。偏光光を変調するタイプの液晶パネルを用いたプロジェクタでは、１種類の偏光光しか利用できないため、ランダムな偏光光を発する光源装置４１１からの光の略半分を利用できない。このため、偏光変換素子４１４を用いることで、光源装置４１１からの射出光を略１種類の偏光光に変換し、光学装置４４での光の利用効率を高めている。
【００３９】
色分離光学系４２は、図１に示すように、２枚のダイクロイックミラー４２１，４２２と、反射ミラー４２３とを備え、ダイクロイックミラー４２１，４２２によりインテグレータ照明光学系４１から射出された複数の部分光束を、赤、緑、青の３色の色光に分離する機能を有している。
リレー光学系４３は、図１に示すように、入射側レンズ４３１、リレーレンズ４３３、および反射ミラー４３２，４３４を備え、色分離光学系４２で分離された赤色光を光学装置４４の後述する赤色光用の液晶パネルまで導く機能を有している。
【００４０】
この際、色分離光学系４２のダイクロイックミラー４２１では、インテグレータ照明光学系４１から射出された光束の青色光成分が反射するとともに、赤色光成分と緑色光成分とが透過する。ダイクロイックミラー４２１によって反射した青色光は、反射ミラー４２３で反射し、フィールドレンズ４１８を通って光学装置４４の後述する青色光用の液晶パネルに達する。このフィールドレンズ４１８は、第２レンズアレイ４１３から射出された各部分光側をその中心軸（主光線）に対して平行な光束に変換する。他の緑色光用、赤色光用の液晶パネルの光入射側に設けられたフィールドレンズ４１８も同様である。
【００４１】
ダイクロイックミラー４２１を透過した赤色光と緑色光のうちで、緑色光はダイクロイックミラー４２２によって反射し、フィールドレンズ４１８を通って光学装置４４の後述する緑色光用の液晶パネルに達する。一方、赤色光はダイクロイックミラー４２２を透過してリレー光学系４３を通り、さらにフィールドレンズ４１８を通って光学装置４４の後述する赤色光用の液晶パネルに達する。なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４１８に伝えるためである。
【００４２】
光学装置４４は、図１に示すように、光変調素子としての３枚の液晶パネル４４１（赤色光用の液晶パネルを４４１Ｒ、緑色光用の液晶パネルを４４１Ｇ、青色光用の液晶パネルを４４１Ｂとする）と、この液晶パネル４４１の光束入射側および光束射出側に配置される光学変換素子としての入射側偏光板４４２および射出側偏光板４４３と、クロスダイクロイックプリズム４４４とが一体的に形成されたものである。
なお、光学装置４４は、具体的な構成は後述するが、液晶パネル４４１、入射側偏光板４４２、射出側偏光板４４３、およびクロスダイクロイックプリズム４４４以外に、メインタンク、流体圧送部、ラジエータ、流体循環部材、流体分岐部、光変調素子保持体、および中継タンクを備える。
【００４３】
液晶パネル４４１は、具体的な図示は省略するが、一対の透明なガラス基板に電気光学物質である液晶が密閉封入された構成を有し、図示しない制御装置から出力される駆動信号に応じて、前記液晶の配向状態が制御され、入射側偏光板４４２から射出された偏光光束の偏光方向を変調する。
入射側偏光板４４２は、偏光変換素子４１４で偏光方向が略一方向に揃えられた各色光が入射され、入射された光束のうち、偏光変換素子４１４で揃えられた光束の偏光軸と略同一方向の偏光光のみ透過させ、その他の光束を吸収するものである。この入射側偏光板４４２は、例えば、サファイアガラスまたは水晶等の透光性基板上に光学変換膜としての偏光膜が貼付された構成を有している。
射出側偏光板４４３は、入射側偏光板４４２と略同様の構成であり、液晶パネル４４１から射出された光束のうち、入射側偏光板４４２における光束の透過軸と直交する偏光軸を有する光束のみ透過させ、その他の光束を吸収するものである。
【００４４】
クロスダイクロイックプリズム４４４は、射出側偏光板４４３から射出された色光毎に変調された光学像を合成してカラー画像を形成する光学素子である。このクロスダイクロイックプリズム４４４は、４つの直角プリズムを貼り合わせた平面視略正方形状をなし、直角プリズム同士を貼り合わせた界面には、２つの誘電体多層膜が形成されている。これら誘電体多層膜は、液晶パネル４４１Ｒ，４４１Ｂから射出され射出側偏光板４４３を介した色光を反射し、液晶パネル４４１Ｇから射出され射出側偏光板４４３を介した色光を透過する。このようにして、各液晶パネル４４１Ｒ，４４１Ｇ，４４１Ｂにて変調された各色光が合成されてカラー画像が形成される。
【００４５】
図２は、プロジェクタ１内の一部を上方側から見た斜視図である。なお、図２において、光学部品用筐体４５内の光学部品は、説明を簡略化するために、光学装置４４の後述する光学装置本体のみを図示し、その他の光学部品４１〜４３は省略している。
図３は、プロジェクタ１内の一部を下方側から見た斜視図である。
光学部品用筐体４５は、例えば、金属製部材から構成され、図１に示すように、内部に所定の照明光軸Ａが設定され、上述した光学部品４１〜４３、および光学装置４４の後述する光学装置本体を照明光軸Ａに対する所定位置に収納配置する。なお、光学部品用筐体４５は、金属製部材に限らず、熱伝導性材料であればその他の材料にて構成してもよい。この光学部品用筐体４５は、図２に示すように、光学部品４１〜４３、および光学装置４４の後述する光学装置本体を収納する容器状の部品収納部材４５１と、部品収納部材４５１の開口部分を閉塞する図示しない蓋状部材とで構成される。
【００４６】
このうち、部品収納部材４５１は、光学部品用筐体４５の底面、前面、および側面をそれぞれ構成する。
この部品収納部材４５１において、側面の内側面には、図２に示すように、上述した光学部品４１２〜４１５，４１８，４２１〜４２３，４３１〜４３４を上方からスライド式に嵌め込むための溝部４５１Ａが形成されている。
また、側面の正面部分には、図２に示すように、投射レンズ５を光学ユニット４に対して所定位置に設置するための投射レンズ設置部４５１Ｂが形成されている。この投射レンズ設置部４５１Ｂは、平面視略矩形状に形成され、平面視略中央部分には光学装置４４からの光束射出位置に対応して円形状の図示しない孔が形成されており、光学ユニット４にて形成されたカラー画像が前記孔を通して投射レンズ５にて拡大投射される。
また、この部品収納部材４５１において、底面には、図３に示すように、光学装置４４の液晶パネル４４１位置に対応して形成された３つの孔４５１Ｃと、光学装置４４の後述する流体分岐部の冷却流体流入部に対応して形成された孔４５１Ｄとが形成されている。ここで、冷却ユニット３のシロッコファン３１によりプロジェクタ１外部から内部に導入された冷却空気は、シロッコファン３１の吐出口３１Ａ（図３）から吐出され、図示しないダクトを介して前記孔４５１Ｃに導かれる。
【００４７】
〔光学装置の構成〕
図４は、光学装置４４を下方側から見た斜視図である。
光学装置４４は、図２ないし図４に示すように、液晶パネル４４１、入射側偏光板４４２、射出側偏光板４４３、およびクロスダイクロイックプリズム４４４が一体化された光学装置本体４４０と、メインタンク４４５と、流体圧送部４４６と、ラジエータ４４７と、複数の流体循環部材４４８とを備える。
複数の流体循環部材４４８は、内部に冷却流体が対流可能にアルミニウム製の管状部材で構成され、冷却流体が循環可能に各部材４４０，４４５〜４４７を接続する。そして、循環する冷却流体により光学装置本体４４０を構成する液晶パネル４４１、入射側偏光板４４２、および射出側偏光板４４３に生じる熱を冷却する。
なお、本実施形態では、冷却流体として、透明性の非揮発性液体であるエチレングリコールを採用する。冷却流体としては、エチレングリコールに限らず、その他の液体を採用してもよい。
以下では、各部材４４０，４４５〜４４７を、循環する冷却流体の流路に沿って液晶パネル４４１に対する上流側から順に説明する。
【００４８】
〔メインタンクの構造〕
図５は、メインタンク４４５の構造を示す図である。具体的に、図５（Ａ）は、メインタンク４４５を上方から見た平面図である。また、図５（Ｂ）は、図５（Ａ）におけるＡ-Ａ線の断面図である。
メインタンク４４５は、略円柱形状を有し、アルミニウム製の２つの容器状部材から構成され、２つの容器状部材の開口部分を互いに接続することで内部に冷却流体を一時的に蓄積する。これら容器状部材は、例えば、シール溶接またはゴム等の弾性部材を介在させることで接続される。
【００４９】
このメインタンク４４５において、円柱軸方向略中央部分には、図５（Ｂ）に示すように、冷却流体を内部に流入させる冷却流体流入部４４５Ａおよび内部の冷却流体を外部に流出させる冷却流体流出部４４５Ｂが形成されている。
これら冷却流体流入部４４５Ａおよび冷却流体流出部４４５Ｂは、流体循環部材４４８の管径寸法よりも小さい管径寸法を有する略筒状部材から構成され、メインタンク４４５の内外に突出するように配置されている。そして、冷却流体流入部４４５Ａの外側に突出した一端には、流体循環部材４４８の一端が接続され、該流体循環部材４４８を介して外部からの冷却流体がメインタンク４４５内部に流入する。また、冷却流体流出部４４５Ｂの外側に突出した一端にも、流体循環部材４４８の一端が接続され、該流体循環部材４４８を介してメインタンク４４５内部の冷却流体が外部へと流出する。
また、冷却流体流入部４４５Ａおよび冷却流体流出部４４５Ｂの内側に突出した他端は、図５（Ａ）に示すように、メインタンク４４５の円柱軸に向けて延出し、平面的に視て略直交するようにそれぞれ配置されている。このような構成により、冷却流体流入部４４５Ａを介してメインタンク４４５内部に流入した冷却流体が、冷却流体流出部４４５Ｂを介して直ぐに外部に流出することを回避でき、流入した冷却流体をメインタンク４４５内部の冷却流体と混合させ、冷却流体の温度の均一化を図っている。
【００５０】
また、このメインタンク４４５の外周面において、円柱軸方向略中央部分には、図５（Ａ）に示すように、２つの容器状部材のそれぞれに３つの固定部４４５Ｃが形成され、該固定部４４５Ｃにねじ４４５Ｄ（図２、図３）を挿通し、外装ケース２の底面に螺合することで、２つの容器状部材が互いに密接して接続されるとともに、メインタンク４４５が外装ケース２に固定される。
そして、このメインタンク４４５は、図１または図２に示すように、光学部品用筐体４５と外装ケース２の内側面とで形成される平面視三角形状の領域に配置される。この領域にメインタンク４４５を配置することで、外装ケース２内の収納効率の向上が図れ、プロジェクタ１が大型化することがない。
【００５１】
〔流体圧送部の構造〕
流体圧送部４４６は、メインタンク４４５内に蓄積された冷却流体を送入し、送入した冷却流体を外部に強制的に送出する。このため、流体圧送部４４６は、図４に示すように、メインタンク４４５の冷却流体流出部４４５Ｂに接続した流体循環部材４４８の他端と連通接続するとともに、外部に冷却流体を送出するために他の流体循環部材４４８の一端と連通接続している。
この流体圧送部４４６は、具体的な図示は省略するが、例えば、略直方体状のアルミニウム製の中空部材内に羽根車が配置された構成を有し、図示しない制御装置による制御の下、前記羽根車が回転することで、メインタンク４４５内に蓄積された冷却流体を流体循環部材４４８を介して強制的に送入し、送入した冷却流体を流体循環部材４４８を介して外部に強制的に送出する。このような構成では、流体圧送部４４６は、前記羽根車の回転軸方向の厚み寸法を小さくすることができ、プロジェクタ１内部の空きスペースに配置することが可能となる。本実施形態では、流体圧送部４４６は、図２または図３に示すように、投射レンズ５の下方に配置される。
なお、流体圧送部４４６の構成としては、上述した羽根車を有する連続送出型の構成に限らず、ダイヤフラムを利用した間欠送出型等の他の構成を採用してもよい。
【００５２】
〔光学装置本体の構造〕
光学装置本体４４０は、３つの液晶パネル４４１、３つの入射側偏光板４４２、３つの射出側偏光板４４３、およびクロスダイクロイックプリズム４４４の他、図２または図４に示すように、流体分岐部４４０１（図４）と、３つの光変調素子保持体４４０２と、３つの支持部材４４０３と、中継タンク４４０４（図２）とを備える。
【００５３】
〔流体分岐部の構造〕
図６は、流体分岐部４４０１の構造を示す図である。具体的に、図６（Ａ）は、流体分岐部４４０１を上方から見た平面図である。また、図６（Ｂ）は、図６（Ａ）におけるＢ-Ｂ線の断面図である。
流体分岐部４４０１は、略直方体状のアルミニウム製の中空部材で構成され、流体圧送部４４６から強制的に送出された冷却流体を送入し、送入した冷却流体を３つの光変調素子保持体４４０２毎に分岐して送出する。また、この流体分岐部４４０１は、クロスダイクロイックプリズム４４４の３つの光束入射側端面に交差する端面である下面に固定され、クロスダイクロイックプリズム４４４を支持するプリズム固定板としての機能も有する。
この流体分岐部４４０１において、底面の略中央部分には、図６（Ｂ）に示すように、流体圧送部４４６から圧送された冷却流体を内部に流入させる冷却流体流入部４４０１Ａが形成されている。この冷却流体流入部４４０１Ａは、メインタンク４４５の冷却流体流入部４４５Ａと同様に、流体循環部材４４８の管径寸法よりも小さい管径寸法を有する略筒状部材から構成され、流体分岐部４４０１内外に突出するように配置されている。そして、冷却流体流入部４４０１Ａの外側に突出した一端には、流体圧送部４４６に連通接続された流体循環部材４４８の他端が接続され、該流体循環部材４４８を介して流体圧送部４４６から圧送された冷却流体が流体分岐部４４０１内部に流入する。
また、底面の四隅部分には、図６（Ａ）に示すように、該底面に沿って延出する腕部４４０１Ｂがそれぞれ形成されている。これら腕部４４０１Ｂの先端部分には、それぞれ孔４４０１Ｂ１が形成され、これら孔４４０１Ｂ１に図示しないねじを挿通し、光学部品用筐体４５の部品収納部材４５１に螺合することで、光学装置本体４４０が部品収納部材４５１に固定される（図１１参照）。この際、流体分岐部４４０１および光学部品用筐体４５は、熱伝達可能に接続される。
【００５４】
また、この流体分岐部４４０１において、クロスダイクロイックプリズム４４４の光束入射側端面に対応する３つの側面には、図６（Ａ）に示すように、送入された冷却流体を３つの光変調素子保持体４４０２毎に分岐して流出させる冷却流体流出部４４０１Ｃが形成されている。
これら冷却流体流出部４４０１Ｃは、冷却流体流入部４４０１Ａと同様に、流体循環部材４４８の管径寸法よりも小さい管径寸法を有する略筒状部材から構成され、流体分岐部４４０１内外に突出するように配置されている。そして、各冷却流体流出部４４０１Ｃの外側に突出した一端には、それぞれ流体循環部材４４８の一端が接続され、該流体循環部材４４８を介して流体分岐部４４０１内部の冷却流体が分岐されて外部へと流出する。
さらに、この流体分岐部４４０１において、上面の略中央部分には、図６に示すように、球状の膨出部４４０１Ｄが形成されている。そして、この膨出部４４０１Ｄにクロスダイクロイックプリズム４４４の下面を当接させることで、流体分岐部４４０１に対するクロスダイクロイックプリズム４４４のあおり方向の位置調整が可能となる。
【００５５】
〔光変調素子保持体の構造〕
図７は、光変調素子保持体４４０２の概略構成を示す分解斜視図である。
３つの光変調素子保持体４４０２は、３つの液晶パネル４４１、３つの入射側偏光板４４２、および３つの射出側偏光板４４３をそれぞれ保持するとともに、内部に冷却流体が流入および流出し、該冷却流体により３つの液晶パネル４４１、３つの入射側偏光板４４２、および３つの射出側偏光板４４３をそれぞれ冷却する。なお、各光変調素子保持体４４０２は、同様の構成であり、以下では１つの光変調素子保持体４４０２のみを説明する。
光変調素子保持体４４０２は、図７に示すように、一対の枠状部材４４０５，４４０６と、４つの弾性部材４４０７と、一対の偏光板固定部材４４０８Ａ，４４０８Ｂとを備える。
枠状部材４４０５は、略中央部分に液晶パネル４４１の光変調面に対応した矩形状の開口部４４０５Ａを有する平面視略矩形状のアルミニウム製の枠体であり、枠状部材４４０６に対して光束入射側に配置され、液晶パネル４４１の光束入射側端面を支持するとともに、入射側偏光板４４２の光束射出側端面を支持する。
【００５６】
図８は、枠状部材４４０５を光束入射側から見た斜視図である。
この枠状部材４４０５において、光束入射側端面には、図８に示すように、弾性部材４４０７の形状に対応して矩形枠状の凹部４４０５Ｂが形成され、この凹部４４０５Ｂにて弾性部材４４０７を介して入射側偏光板４４２を支持する。そして、枠状部材４４０５が入射側偏光板４４２の光束射出側端面を支持することで、弾性部材４４０７、および入射側偏光板４４２の光束射出側端面にて、開口部４４０５Ａにおける光束入射側が閉塞される。また、この凹部４４０５Ｂの外周面には、複数の係止突起４４０５Ｃが形成され、これら係止突起４４０５Ｃに弾性部材４４０７の外側面が当接し、弾性部材４４０７が位置決めされて凹部４４０５Ｂに設置される。
また、開口部４４０５Ａは、図８に示すように、光束射出側端面から光束入射側端面に向けて開口面積が大きくなるように、光束入射側の角部分が面取りされ、斜面４４０５Ａ１を有している。
【００５７】
また、この枠状部材４４０５において、光束射出側端面にも、図７に示すように、光束入射側端面と同様に、弾性部材４４０７の形状に対応して矩形枠状の凹部４４０５Ｂが形成され、この凹部４４０５Ｂにて弾性部材４４０７を介して液晶パネル４４１の光束入射側端面を支持する。そして、枠状部材４４０５が液晶パネル４４１の光束入射側端面を支持することで、弾性部材４４０７および液晶パネル４４１の光束入射側端面にて、開口部４４０５Ａの光束射出側が閉塞される。また、光束射出側端面にも、凹部４４０５Ｂの外周面に係止突起４４０５Ｃが形成されている。
以上のように液晶パネル４４１および入射側偏光板４４２により開口部４４０５Ａの光束入射側および光束射出側が閉塞されると、枠状部材４４０５内部に冷却流体を封入可能とする冷却室Ｒ１（図１１参照）が形成される。
【００５８】
さらに、この枠状部材４４０５において、その下方側端部略中央部分には、図８に示すように、流体分岐部４４０１の冷却流体流出部４４０１Ｃから流出した冷却流体を内部に流入させる流入口４４０５Ｄが形成されている。この流入口４４０５Ｄは、流体循環部材４４８の管径寸法よりも小さい管径寸法を有する略筒状部材から構成され、枠状部材４４０５の外側に突出するように形成されている。そして、流入口４４０５Ｄの突出した端部には、流体分岐部４４０１の冷却流体流出部４４０１Ｃに接続された流体循環部材４４８の他端が接続され、該流体循環部材４４８を介して流体分岐部４４０１から流出した冷却流体が枠状部材４４０５の冷却室Ｒ１（図１１参照）に流入する。
【００５９】
さらにまた、この枠状部材４４０５において、その上方側端部略中央部分には、図８に示すように、枠状部材４４０５の冷却室Ｒ１（図１１参照）内の冷却流体を外部に流出させる流出口４４０５Ｅが形成されている。すなわち、流出口４４０５Ｅは、流入口４４０５Ｄの対向位置に形成されている。この流出口４４０５Ｅは、流入口４４０５Ｄと同様に、流体循環部材４４８の管径寸法よりも小さい管径寸法を有する略筒状部材から構成され、枠状部材４４０５の外側に突出するように形成されている。そして、流出口４４０５Ｅの突出した端部には、流体循環部材４４８が接続され、冷却室Ｒ１（図１１参照）内の冷却流体が該流体循環部材４４８を介して外部に流出される。
【００６０】
そして、開口部４４０５Ａ周縁において、流入口４４０５Ｄおよび流出口４４０５Ｅと連通する部位近傍は、図８に示すように、光束射出側に窪む凹部４４０５Ｆがそれぞれ形成され、該凹部４４０５Ｆの外側面が前記部位に向けて幅狭となる形状となっている。
また、各凹部４４０５Ｆの底面には、整流部４４０５Ｇがそれぞれ立設されている。
これら整流部４４０５Ｇは、断面略直角三角形状を有する三角柱状の２つの柱状部４４０５Ｇ１でそれぞれ構成されている。これら柱状部４４０５Ｇ１は、図８に示すように、流入口４４０５Ｄを介して流入した冷却流体、流出口４４０５Ｅに向かう冷却流体を、液晶パネル４４１の光変調面に平行な方向に整流する整流面４４０５Ｇ２を有している。そして、これら柱状部４４０５Ｇ１は、図８に示すように、所定の間隔を空けて配置されるとともに、断面略直角三角形状の斜辺に相当する整流面４４０５Ｇ２が互いに前記部位の離間方向に拡がるように配置されている。
そして、入射側偏光板４４２により開口部４４０５Ａの光束入射側が閉塞されると、冷却室Ｒ１内部において、液晶パネル４４１の光変調面に平面的に干渉しない位置に、入射側偏光板４４２の光束射出側端面、凹部４４０５Ｆ、および整流部４４０５Ｇにより、冷却流体を一時的に蓄積可能とするバッファ部Ｂｆ１（図１１参照）が形成される。
【００６１】
また、この枠状部材４４０５において、上方側端部角隅部分および下方側端部角隅部分には、図８に示すように、支持部材４４０３の後述するピン状部材を挿通可能とする４つの挿通部４４０５Ｈが形成されている。
さらに、この枠状部材４４０５において、左側端部角隅部分および右側端部角隅部分には、図８に示すように、枠状部材４４０６と接続するための接続部４４０５Ｉが形成されている。
さらにまた、この枠状部材４４０５において、左側端部略中央部分および右側端部略中央部分には、図８に示すように、偏光板固定部材４４０８Ａが係合するフック４４０５Ｊが形成されている。
【００６２】
枠状部材４４０６は、アルミニウム製の部材から構成され、上述した枠状部材４４０５との間に、弾性部材４４０７を介して液晶パネル４４１を挟持するとともに、枠状部材４４０５と対向する面と反対の面側にて弾性部材４４０７を介して射出側偏光板４４３を支持するものであり、その具体的な構造は、上述した枠状部材４４０５と略同様である。すなわち、この枠状部材４４０６には、枠状部材４４０５の開口部４４０５Ａ（斜面４４０５Ａ１を含む）、凹部４４０５Ｂ、係止突起４４０５Ｃ、流入口４４０５Ｄ、流出口４４０５Ｅ、凹部４４０５Ｆ、整流部４４０５Ｇ（柱状部４４０５Ｇ１および整流面４４０５Ｇ２を含む）、接続部４４０５Ｉ、およびフック４４０５Ｊと同様の、開口部４４０６Ａ（斜面４４０６Ａ１を含む）、凹部４４０６Ｂ、係止突起４４０６Ｃ、流入口４４０６Ｄ，流出口４４０６Ｅ、凹部４４０６Ｆ、整流部４４０６Ｇ、接続部４４０６Ｉ、およびフック４４０６Ｊが形成されている。
【００６３】
そして、枠状部材４４０６内部には、枠状部材４４０５と同様に、液晶パネル４４１および射出側偏光板４４３により開口部４４０６Ａの光束入射側および光束射出側が閉塞されると、枠状部材４４０５内部に冷却流体を封入可能とする冷却室Ｒ２（図１１参照）が形成される。
また、冷却室Ｒ２内部においても、冷却室Ｒ１内部と略同様に、液晶パネル４４１の光変調面に平面的に干渉しない位置に、射出側偏光板４４３の光束入射側端面、凹部４４０６Ｆ、および整流部４４０６Ｇにより、冷却流体を一時的に蓄積可能とするバッファ部Ｂｆ１（図１１参照）が形成される。
なお、流体分岐部４４０１の冷却流体流出部４４０１Ｃと枠状部材４４０５，４４０６の各流入口４４０５Ｄ，４４０６Ｄとを接続する流体循環部材４４８は、図４に示すように、他端が２つに分岐した形状を有している。すなわち、流体分岐部４４０１の冷却流体流出部４４０１Ｃから流出した冷却流体は、流体循環部材４４８を介して２つに分岐され、各枠状部材４４０５，４４０６の各冷却室Ｒ１，Ｒ２（図１１参照）に流入する。
また、枠状部材４４０５，４４０６の各接続部４４０５Ｉ，４４０６Ｉにねじ４４０５Ｋを螺合することで、液晶パネル４４１が弾性部材４４０７を介して枠状部材４４０５，４４０６間に挟持され、枠状部材４４０５，４４０６の各開口部４４０５Ａ，４４０６Ａの対向する面側が封止される。
【００６４】
弾性部材４４０７は、入射側偏光板４４２と枠状部材４４０５、枠状部材４４０５と液晶パネル４４１、液晶パネル４４１と枠状部材４４０６、および枠状部材４４０６と射出側偏光板４４３の間にそれぞれ介在配置され、枠状部材４４０５，４４０６の各冷却室Ｒ１，Ｒ２（図１１参照）を封止し、冷却流体の液漏れ等を防止するものである。この弾性部材４４０７は、弾性を有するシリコンゴムで形成され、両面あるいは片面に表層の架橋密度を上げる表面処理が施されている。例えば、弾性部材４４０７としては、サーコンＧＲ−ｄシリーズ（冨士高分子工業の商標）を採用できる。ここで、端面に表面処理が施されていることにより、弾性部材４４０７を枠状部材４４０５，４４０６の各凹部４４０５Ｂ，４４０６Ｂに設置する作業を容易に実施できる。
なお、弾性部材４４０７は、水分透過量の少ないブチルゴムまたはフッ素ゴム等を使用してもよい。
【００６５】
偏光板固定部材４４０８Ａ，４４０８Ｂは、入射側偏光板４４２および射出側偏光板４４３を、弾性部材４４０７を介して枠状部材４４０５，４４０６の各凹部４４０５Ｂ，４４０６Ｂにそれぞれ押圧固定する。これら偏光板固定部材４４０８Ａ，４４０８Ｂは、略中央部分に開口部４４０８Ａ１，４４０８Ｂ１が形成された平面視略矩形枠体で構成され、開口部４４０８Ａ１，４４０８Ｂ１周縁部分にて、入射側偏光板４４２および射出側偏光板４４３を枠状部材４４０５，４４０６に対してそれぞれ押圧する。また、これら偏光板固定部材４４０８Ａ，４４０８Ｂには、左右側端縁にそれぞれフック係合部４４０８Ａ２，４４０８Ｂ２が形成され、フック係合部４４０８Ａ２，４４０８Ｂ２を枠状部材４４０５，４４０６の各フック４４０５Ｊ，４４０６Ｊに係合させることで、枠状部材４４０５，４４０６に対して偏光板固定部材４４０８Ａ，４４０８Ｂが入射側偏光板４４２および射出側偏光板４４３を押圧した状態で固定される。
【００６６】
〔支持部材の構造〕
支持部材４４０３は、略中央部分に図示しない開口が形成された平面視矩形枠状の板体から構成される。
この支持部材４４０３において、光束入射側端面には、光変調素子保持体４４０２の４つの挿通部４４０５Ｈに対応した位置に、板体から突出するピン状部材４４０３Ａ（図１１参照）が形成されている。
そして、この支持部材４４０３は、ピン状部材４４０３Ａ（図１１参照）を光変調素子保持体４４０２の４つの挿通部４４０５Ｈに挿通することで該光変調素子保持体４４０２を支持し、板体の光束射出側端面をクロスダイクロイックプリズム４４４の光束入射側端面に接着固定することで、光変調素子保持体４４０２がクロスダイクロイックプリズム４４４と一体化される。
【００６７】
〔中継タンクの構造〕
図９は、中継タンク４４０４の構造を示す図である。具体的に、図９（Ａ）は、中継タンク４４０４を上方から見た平面図である。また、図９（Ｂ）は、図９（Ａ）におけるＣ-Ｃ線の断面図である。
中継タンク４４０４は、略円柱状のアルミニウム製の中空部材で構成され、クロスダイクロイックプリズム４４４の３つの光束入射側端面に交差する端面である上面に固定される。そして、この中継タンク４４０４は、各光変調素子保持体４４０２から送出された冷却流体を一括して送入し、送入した冷却流体を外部に送出する。
この中継タンク４４０４において、その上面には、図９に示すように、各光変調素子保持体４４０２の各枠状部材４４０５，４４０６から送出された冷却流体を内部に流入させる６つの冷却流体流入部４４０４Ａが形成されている。これら冷却流体流入部４４０４Ａは、流体循環部材４４８の管径寸法よりも小さい管径寸法を有する略筒状部材から構成され、中継タンク４４０４内外に突出するように配置されている。そして、各冷却流体流入部４４０４Ａの外側に突出した端部には、３つの光変調素子保持体４４０２の各枠状部材４４０５，４４０６の流出口４４０５Ｅ，４４０６Ｅと接続された流体循環部材４４８の他端が接続され、該流体循環部材４４８を介して各光変調素子保持体４４０２から送出された冷却流体が一括して中継タンク４４０４内部に流入する。
【００６８】
また、この中継タンク４４０４において、外側面の下方側には、図９に示すように、送入された冷却流体を外部に流出させる冷却流体流出部４４０４Ｂが形成されている。この冷却流体流出部４４０４Ｂは、冷却流体流入部４４０４Ａと同様に、流体循環部材４４８の管径寸法よりも小さい管径寸法を有する略筒状部材から構成され、中継タンク４４０４内外に突出するように配置されている。そして、冷却流体流出部４４０４Ｂの外側に突出した端部には、流体循環部材４４８の一端が接続され、該流体循環部材４４８を介して中継タンク４４０４内部の冷却流体が外部へと流出する。
【００６９】
〔ラジエータの構造〕
図１０は、ラジエータ４４７の構造、およびラジエータ４４７と軸流ファン３２との配置関係を示す図である。具体的に、図１０（Ａ）は、ラジエータ４４７および軸流ファン３２を上方から見た斜視図である。また、図１０（Ｂ）は、ラジエータ４４７および軸流ファン３２をラジエータ４４７側から見た平面図である。
ラジエータ４４７は、図１または図２に示すように、外装ケース２に形成された隔壁２１内に配置され、光学装置本体４４０において各液晶パネル４４１、各入射側偏光板４４２、および各射出側偏光板４４３にて温められた冷却流体の熱を放熱する。このラジエータ４４７は、図１０に示すように、固定部４４７１と、管状部材４４７２と、複数のフィン４４７３とを備える。
固定部４４７１は、例えば、金属等の熱伝導性部材から構成され、図１０（Ｂ）に示すように、平面視略コ字形状を有し、対向するコ字状端縁に管状部材４４７２が挿通可能に構成されている。また、この固定部４４７１は、コ字状内側面にて複数の放熱フィン４４７３を支持する。この固定部４４７１のコ字状先端部分には、外側に延出する延出部４４７１Ａが形成され、該延出部４４７１Ａの孔４４７１Ａ１を介して図示しないねじを外装ケース２に螺合することでラジエータ４４７が外装ケース２に固定される。
【００７０】
管状部材４４７２は、アルミニウムから構成され、図１０（Ｂ）に示すように、固定部４４７１の一方のコ字状先端端縁から他方のコ字状先端端縁に向けて延出し、この延出方向先端部分が略９０°屈曲して下方側に延出し、さらにこの延出方向先端部分が略９０°屈曲して固定部４４７１の他方のコ字状先端端縁から一方のコ字状先端端縁に向けて延出する平面視略コ字形状を有し、固定部４４７１および放熱フィン４４７３と熱伝達可能に接続する。また、この管状部材４４７２は、流体循環部材４４８の管径寸法よりも小さい管径寸法を有し、図１０（Ｂ）に示す上方側の一端が、光学装置本体４４０における中継タンク４４０４の冷却流体流出部４４０４Ｂと接続した流体循環部材４４８の他端と接続する。また、図１０（Ｂ）に示す下方側の他端が、メインタンク４４５の冷却流体流入部４４５Ａと接続した流体循環部材４４８の他端と接続する。したがって、中継タンク４４０４から流出した冷却流体が流体循環部材４４８を介して管状部材４４７２を通り、管状部材４４７２を通った冷却流体が流体循環部材４４８を介してメインタンク４４５内に流入する。
【００７１】
放熱フィン４４７３は、例えば、金属等の熱伝導性部材からなる板体で構成され、管状部材４４７２を挿通可能に構成されている。そして、複数の放熱フィン４４７３は、管状部材４４７２の挿通方向と直交する方向に延びるようにそれぞれ形成され、管状部材４４７２の挿通方向に沿って並列配置している。このような複数の放熱フィン４４７３の配置状態では、図１０に示すように、軸流ファン３２から吐出される冷却空気は、複数の放熱フィン４４７３の間を通り抜けることになる。
【００７２】
以上説明したように、冷却流体は、複数の流体循環部材４４８を介して、メインタンク４４５〜流体圧送部４４６〜流体分岐部４４０１〜各光変調素子保持体４４０２〜中継タンク４４０４〜ラジエータ４４７〜メインタンク４４５という流路を循環する。
【００７３】
〔冷却構造〕
次に、液晶パネル４４１、入射側偏光板４４２、および射出側偏光板４４３の冷却構造を説明する。
図１１は、液晶パネル４４１、入射側偏光板４４２、および射出側偏光板４４３の冷却構造を説明するための断面図である。
流体圧送部４４６が駆動することにより、メインタンク４４５内部の冷却流体が流体圧送部４４６を介して流体分岐部４４０１に圧送され、流体分岐部４４０１にて分岐されて各光変調素子保持体４４０２の各冷却室Ｒ１，Ｒ２内部に流入する。この際、各冷却室Ｒ１，Ｒ２内部に流入した冷却流体は、各バッファ部Ｂｆ１にて一時的に蓄積された後、整流部４４０５Ｇ，４４０６Ｇにて冷却室Ｒ１，Ｒ２内部に拡がるように整流される。
ここで、光源装置４１１から射出された光束により、液晶パネル４４１、入射側偏光板４４２、および射出側偏光板４４３に生じた熱は、光変調素子保持体４４０２の各枠状部材４４０５，４４０６の各冷却室Ｒ１，Ｒ２内の冷却流体に伝達される。
各冷却室Ｒ１，Ｒ２内の冷却流体に伝達された熱は、冷却流体の流れにしたがって冷却室Ｒ１，Ｒ２〜中継タンク４４０４〜ラジエータ４４７へと移動する。温められた冷却流体がラジエータ４４７の管状部材４４７２を通過する際、該冷却流体の熱は、管状部材４４７２〜複数の放熱フィン４４７３に伝達される。そして、軸流ファン３２から吐出される冷却空気により、複数の放熱フィン４４７３に伝達された熱が冷却される。
そして、ラジエータ４４７にて冷却された冷却流体は、ラジエータ４４７〜メインタンク４４５〜流体圧送部４４６〜流体分岐部４４０１へと移動し、再度、冷却室Ｒ１，Ｒ２へと移動する。
【００７４】
また、冷却ユニット３のシロッコファン３１によりプロジェクタ１外部から内部に導入された冷却空気は、光学部品用筐体４５の底面に形成された孔４５１Ｃを介して光学部品用筐体４５内に導入される。光学部品用筐体４５内に導入された冷却空気は、図１１に示すように、光変調素子保持体４４０２の外面、および光変調素子保持体４４０２と支持部材４４０３との間に流入し、下方から上方に向けて流通する。この際、冷却空気は、入射側偏光板４４２の光束入射側端面および射出側偏光板４４３の光束射出側端面を冷却しながら流通する。
【００７５】
上述した第１実施形態においては、光変調素子保持体４４０２を構成する各枠状部材４４０５，４４０６は、それぞれ流入口４４０５Ｄ，４４０６Ｄおよび流出口４４０５Ｅ，４４０６Ｅを有する構成であるので、流体循環部材４４８にて流入口４４０５Ｄ，４４０６Ｄおよび流出口４４０５Ｅ，４４０６Ｅを接続することで、冷却流体を対流させることができ、冷却室Ｒ１，Ｒ２内部での冷却流体の対流速度を速めることができる。また、このような構成であれば、従来のように冷却室内部に冷却流体が密閉封入される構成と比較して、液晶パネル４４１と熱交換を実施する冷却流体の容量を大きくでき、液晶パネル４４１と冷却流体との熱交換能力を向上させることができる。
また、冷却室Ｒ１，Ｒ２は、枠状部材４４０５，４４０６の各開口４４０５Ａ，４４０６Ａが液晶パネル４４１、入射側偏光板４４２、および射出側偏光板４４３にて閉塞されることで形成されているので、液晶パネル４４１のみならず、入射側偏光板４４２および射出側偏光板４４３に生じた熱も、冷却室Ｒ１，Ｒ２内に充填された冷却流体に直接、放熱できる。したがって、液晶パネル４４１、入射側偏光板４４２、および射出側偏光板４４３を効率的に冷却できる。
【００７６】
さらに、各枠状部材４４０５，４４０６は、液晶パネル４４１の光変調面と平面的に干渉しない位置にバッファ部Ｂｆ１がそれぞれ形成されているので、流入口４４０５Ｄ，４４０６Ｄを介して流入した冷却流体を一時的に蓄積できかつ、光変調面に平行な方向に整流できる。このため、冷却室Ｒ１，Ｒ２内部の各位置での冷却流体の流速の均一化が図れ、液晶パネル４４１にて形成された光学像に流速のバラつきによる筋状の像が含まれることなく、液晶パネル４４１にて形成された光学像を良好に維持できる。また、冷却室Ｒ１，Ｒ２内部の各位置での冷却流体の流速の均一化が図れることにより、液晶パネル４４１の面内温度の均一化も図れ、局所的な過熱を回避し、液晶パネル４４１にて鮮明な光学像を形成できる。
【００７７】
ここで、各枠状部材４４０５，４４０６は、整流部４４０５Ｇ，４４０６Ｇを備えているので、凹部４４０５Ｆ，４４０６Ｆ、入射側偏光板４４２、射出側偏光板４４３、および整流部４４０５Ｇ，４４０６Ｇにて、流入口４４０５Ｄ，４４０６Ｄを介して流入した冷却流体を一時的に蓄積するバッファ部Ｂｆ１を形成できる。このため、バッファ部Ｂｆ１の構成を簡素化できる。
また、流入口４４０５Ｄ，４４０６Ｄを介して流入した冷却流体を一時的に蓄積した後、整流部４４０５Ｇ，４４０６Ｇにより、液晶パネル４４１の光変調面と平行な方向に整流できる。このため、整流部４４０５Ｇ，４４０６Ｇにより、液晶パネル４４１の光変調面に平行な面内での冷却流体の流速を効果的に均一化できる。
【００７８】
さらに、整流部４４０５Ｇ，４４０６Ｇは、整流面４４０５Ｇ２を有する２つの柱状部４４０５Ｇ１でそれぞれ構成されているので、流入口４４０５Ｄ，４４０６Ｄを介して流入した冷却流体を一時的に蓄積した後、液晶パネル４４１の光変調面と平行な方向に簡単な構成で容易に整流できる。
さらにまた、バッファ部Ｂｆ１が流入口４４０５Ｄ，４４０６Ｄ側のみならず、流出口４４０５Ｅ，４４０６Ｅ側にも形成されているので、例えば冷却流体の流通方向を逆にした場合であっても、すなわち、流入口４４０５Ｄ，４４０６Ｄおよび流出口４４０５Ｅ，４４０６Ｅを逆の機能となるように設定した場合であっても、流出口４４０５Ｅ，４４０６Ｅを介して流入した冷却流体を一時的に蓄積できかつ、光変調面に平行な方向に整流できる。このため、例えば冷却流体の流通方向を逆にした場合であっても、冷却室Ｒ１，Ｒ２内部の各位置での冷却流体の流速の均一化が図れ、液晶パネル４４１にて形成された光学像を良好に維持でき、また、液晶パネル４４１の面内温度の均一化も図れ液晶パネル４４１にて鮮明な光学像を形成できる。
【００７９】
そして、光学装置４４は流体圧送部４４６を備えているので、該流体圧送部４４６により冷却流体を強制的に循環させることができ、冷却室Ｒ１，Ｒ２内部の冷却流体を確実に対流させることができる。このため、液晶パネル４４１と冷却流体との間で常に大きい温度差を確保し、液晶パネル４４１の冷却効率の向上を図れる。
また、光変調素子保持体４４０２にバッファ部Ｂｆ１が形成されているので、流体圧送部４４６にて圧送された冷却流体をバッファ部Ｂｆ１にて一時的に蓄積できる。このため、流体圧送部４４６にて圧送された冷却流体の圧力が直接、冷却室Ｒ１，Ｒ２内部に加わることがなく、すなわち、液晶パネル４４１、入射側偏光板４４２、および射出側偏光板４４３に加わることがない。したがって、液晶パネル４４１に加わる圧力をバッファ部Ｂｆ１にて調圧でき、液晶パネル４４１に圧力が加わることによる画質の低下を防止できる。また、同様に、入射側偏光板４４２および射出側偏光板４４３に圧力が加わることによる変形を回避し、偏光軸がずれることによる画質の低下を防止できる。
【００８０】
そしてまた、プロジェクタ１が上述した光学装置４４を備えることで、液晶パネル４４１、入射側偏光板４４２、および射出側偏光板４４３の熱劣化を防止でき、プロジェクタ１の高寿命化を図れる。
また、プロジェクタ１が上述した光学装置４４を備えることで、液晶パネル４４１にて形成された光学像を良好に維持でき、投射レンズ５にて鮮明な光学像をスクリーン上に拡大投射できる。
【００８１】
[第２実施形態]
次に、本発明の第２実施形態を図面に基づいて説明する。
以下の説明では、前記第１実施形態と同様の構造および同一部材には同一符号を付して、その詳細な説明は省略または簡略化する。
前記第１実施形態では、光学装置４４を構成する光変調素子保持体４４０２には、一対の冷却室Ｒ１，Ｒ２が形成され、冷却流体を循環させることで、液晶パネル４４１、入射側偏光板４４２、および射出側偏光板４４３に生じる熱を放熱させている。
これに対して第２実施形態では、光学装置５４を構成する光変調素子保持体５４０２には、１つの冷却室Ｒ３のみが形成され、冷却流体を循環させることで、液晶パネル４４１および射出側偏光板４４３に生じる熱を放熱させる。
また、入射側偏光板４４２は、前記第１実施形態では光学装置４４として一体化されていたが、第２実施形態では、光学装置５４として一体化されず、光学部品４１２〜４１５、４１８、４２１〜４２３、４３１〜４３４と同様に、光学部品用筐体４５の部品収納部材４５１の溝部４５１Ａにスライドさせることで光学部品用筐体４５内に収納保持される。
この入射側偏光板４４２は、具体的な図示は省略するが、所定の偏光軸を有する光束を透過し、他の偏光軸を有する光束を反射する反射型偏光素子から構成されている。例えば、入射側偏光板４４２としては、ガラス等の透光性基板と、該透光性基板上に形成され、重合体を延伸形成した多数のフィルムが積層してなる多層構造フィルムとを備えた反射型偏光素子を採用できる。また、入射側偏光板４４２としては、上述した有機材料からなる反射型偏光素子に限らず、例えば、ガラス等の透光性基板と、該透光性基板上に形成され、金属等の導電性材料から構成され、透光性基板から突出しかつ、透光性基板の面内方向に延出する複数の突条部が縞状に並列配置された無機材料からなる反射型偏光素子を採用してもよい。
【００８２】
図１２は、第２実施形態における光学装置５４を上方側から見た斜視図である。
図１３は、光学装置５４を下方側から見た斜視図である。
光学装置５４は、前記第１実施形態で説明したメインタンク４４５、流体圧送部４４６、ラジエータ４４７、および複数の流体循環部材４４８の他、光学装置本体５４０を備える。
光学装置本体５４０は、前記第１実施形態で説明した３つの液晶パネル４４１、３つの射出側偏光板４４３、クロスダイクロイックプリズム４４４、流体分岐部４４０１（図１３）、および３つの支持部材４４０３の他、３つの光変調素子保持体５４０２と、中継タンク５４０４（図１２）とを備え、これら各部材４４１，４４３，４４４，４４０１，４４０３，５４０２，５４０４が一体化されている。
【００８３】
図１４は、光変調素子保持体５４０２の概略構成を示す分解斜視図である。
３つの光変調素子保持体５４０２は、３つの液晶パネル４４１、および３つの射出側偏光板４４３をそれぞれ保持するとともに、内部に冷却流体が流入および流出し、該冷却流体により３つの液晶パネル４４１、および３つの射出側偏光板４４３をそれぞれ冷却する。なお、各光変調素子保持体５４０２は、同様の構成であり、以下では１つの光変調素子保持体５４０２のみを説明する。この光変調素子保持体５４０２は、前記第１実施形態で説明した光変調素子保持体４４０２と略同様な構成を有し、一対の枠状部材５４０５，５４０６と、２つの弾性部材４４０７と、偏光板固定部材４４０８Ｂとを備える。
枠状部材５４０５は、略中央部分に液晶パネル４４１の光変調面に対応した矩形状の開口部５４０５Ａを有する平面視略矩形状の枠体であり、枠状部材５４０６に対して光束入射側に配置され、液晶パネル４４１を弾性部材４４０７を介して光束入射側から枠状部材５４０６に対して押圧固定する。
この枠状部材５４０５において、光束射出側端面には、図１４に示すように、液晶パネル４４１の光束入射側端面を支持するための支持面５４０５Ｂが形成されている。
また、枠状部材５４０５において、上方側端部角隅部分および下方側端部角隅部分には、図１４に示すように、支持部材４４０３のピン状部材４４０３Ａ（図１５参照）を挿通可能とする４つの挿通部５４０５Ｃが形成されている。
さらに、枠状部材５４０５において、左側端部角隅部分および右側端部角隅部分には、図１４に示すように、枠状部材５４０６と接続するための接続部５４０５Ｄが形成されている。
【００８４】
枠状部材５４０６は、アルミニウム製の部材から構成され、上述した枠状部材５４０５との間に、弾性部材４４０７を介して液晶パネル４４１を挟持するとともに、枠状部材５４０５と対向する面と反対の面側にて弾性部材４４０７を介して偏光板固定部材４４０８Ｂにより射出側偏光板４４３を支持するものであり、その具体的な構造は、前記第１実施形態で説明した枠状部材４４０６と略同様である。すなわち、この枠状部材５４０６には、前記第１実施形態で説明した枠状部材４４０６の開口部４４０６Ａ（斜面４４０６Ａ１を含む）、凹部４４０６Ｂ、係止突起４４０６Ｃ、流入口４４０６Ｄ、流出口４４０６Ｅ、凹部４４０６Ｆ、整流部４４０６Ｇ、接続部４４０６Ｉ、およびフック４４０６Ｊと同様の、開口部５４０６Ａ（斜面５４０６Ａ１を含む）、凹部５４０６Ｂ、係止突起５４０６Ｃ、流入口５４０６Ｄ、流出口５４０６Ｅ、凹部５４０６Ｆ、整流部５４０６Ｇ、接続部５４０６Ｉ、およびフック５４０６Ｊが形成されている。
【００８５】
そして、枠状部材５４０５，５４０６の各接続部５４０５Ｄ，５４０６Ｉにねじ５４０５Ｋを螺合することで、液晶パネル４４１が弾性部材４４０７を介して枠状部材５４０６に押圧され、枠状部材５４０６の開口部５４０６Ａの光束入射側が封止される。
また、枠状部材５４０６に対して偏光板固定部材４４０８Ｂを固定することで、射出側偏光板４４３が弾性部材４４０７を介して枠状部材５４０６に押圧され、枠状部材５４０６の開口部５４０６Ａの光束射出側が封止される。
以上のように、枠状部材５４０６の開口部５４０６Ａの光束入射側および光束射出側が閉塞されることで、枠状部材５４０６内部に冷却室Ｒ３（図１５参照）が形成される。また、冷却室Ｒ３内部において、射出側偏光板４４３の光束入射側端面、凹部５４０６Ｆ、および整流部５４０６Ｇにより、液晶パネル４４１の光変調面に平面的に干渉しない位置に、冷却流体を一時的に蓄積可能とするバッファ部Ｂｆ１（図１５参照）が形成される。
なお、上述したように、光変調素子保持体５４０２には、冷却室Ｒ３が１つのみ形成されるので、流体分岐部４４０１の冷却流体流出部４４０１Ｃと光変調素子保持体５４０２とを接続する流体循環部材４４８は、他端が分岐することなく、枠状部材５４０６の流入口５４０６Ｄに接続する。
【００８６】
中継タンク５４０４は、前記第１実施形態で説明した中継タンク４４０４と略同様な構成であり、異なる点は、光変調素子保持体５４０２が１つのみの冷却室Ｒ３を有していることにより冷却流体流入部４４０４Ａが３つのみ形成されている点である。その他の構造は、前記第１実施形態で説明した中継タンク４４０４と同様である。
【００８７】
次に、液晶パネル４４１および射出側偏光板４４３の冷却構造を説明する。
図１５は、液晶パネル４４１および射出側偏光板４４３の冷却構造を説明するための断面図である。
流体圧送部４４６が駆動することにより、メインタンク４４５内部の冷却流体が流体圧送部４４６を介して流体分岐部４４０１に圧送され、流体分岐部４４０１にて分岐されて各光変調素子保持体５４０２の各冷却室Ｒ３内部に流入する。この際、各冷却室Ｒ３内部に流入した冷却流体は、各バッファ部Ｂｆ１にて一時的に蓄積された後、整流部５４０６Ｇにて冷却室Ｒ３内部に拡がるように整流される。
ここで、光源装置４１１から射出された光束により、液晶パネル４４１および射出側偏光板４４３に生じた熱は、光変調素子保持体５４０２における枠状部材５４０６の冷却室Ｒ３内の冷却流体に伝達される。
冷却室Ｒ３内の冷却流体に伝達された熱は、冷却流体の流れにしたがって冷却室Ｒ３〜中継タンク５４０４〜ラジエータ４４７へと移動し、前記第１実施形態と同様に、ラジエータ４４７にて放熱される。
そして、ラジエータ４４７にて冷却された冷却流体は、ラジエータ４４７〜メインタンク４４５〜流体圧送部４４６〜流体分岐部４４０１へと移動し、再度、冷却室Ｒ３へと移動する。
また、冷却ユニット３のシロッコファン３１により、前記第１実施形態と同様に、冷却空気が光変調素子保持体５４０２の外面、および光変調素子保持体５４０２と支持部材４４０３との間に流入し、下方から上方に向けて流通する。この際、冷却空気は、液晶パネル４４１の光束入射側端面および射出側偏光板４４３の光束射出側端面を冷却しながら流通する。
【００８８】
上述した第２実施形態においては、前記第１実施形態と比較して、入射側偏光板４４２を反射型偏光素子にて構成することで、入射側偏光板４４２の温度上昇を抑制でき、入射側偏光板４４２を光学装置５４に一体化する必要がない。したがって、光変調素子保持体５４０２は、液晶パネル４４１および射出側偏光板４４３のみを保持する構成とすればよく、光変調素子保持体５４０２の構成の簡素化を図れる。
また、光変調素子保持体５４０２には、１つの冷却室Ｒ３のみが形成されるので、流体分岐部４４０１と光変調素子保持体５４０２、および光変調素子保持体５４０２と中継タンク５４０４とを接続する流体循環部材４４８の構成の簡素化も図れる。
【００８９】
[第３実施形態]
次に、本発明の第３実施形態を図面に基づいて説明する。
以下の説明では、前記第１実施形態と同様の構造および同一部材には同一符号を付して、その詳細な説明は省略または簡略化する。
本実施形態は、光変調素子保持体４４０２において、冷却室Ｒ１，Ｒ２内に、各冷却室Ｒ１，Ｒ２をそれぞれ光束入射側および光束射出側の２つの領域に区画する冷却室区画部４４００をそれぞれ配置する点が前記第１実施形態と異なるのみである。その他の構造は、前記第１実施形態と同様のものとする。
【００９０】
図１６は、第３実施形態における冷却室区画部４４００の配置位置を示す図である。
図１７は、冷却室区画部４４００の構造を示す図である。具体的に、図１７（Ａ）は、液晶パネル４４１の光束入射側に配置される冷却室区画部４４００を光束射出側から見た図である。図１７（Ｂ）は、図１７（Ａ）のＤ−Ｄ線の断面図である。図１７（Ｃ）は、図１７（Ａ）のＥ−Ｅ線の断面図である。
２つの冷却室区画部４４００は、図１６に示すように、液晶パネル４４１と枠状部材４４０５，４４０６との間にそれぞれ配置される。
なお、２つの冷却室区画部４４００は、同様の構成であり、以下では液晶パネル４４１と枠状部材４４０５との間に配置される冷却室区画部４４００のみを説明する。
この冷却室区画部４４００は、図１７に示すように、区画部本体４４００Ａと、当接部４４００Ｂとを備える。
【００９１】
区画部本体４４００Ａは、枠状部材４４０５の開口部４４０５Ａよりも若干小さい寸法を有する平面視略矩形状の板体である。
この区画部本体４４００Ａにおいて、上下側端部には、図１７（Ａ）または図１７（Ｂ）に示すように、光束入射側および光束射出側の角部分が面取りされた斜面４４００Ａ２を有するテーパ部４４００Ａ１が形成されている。すなわち、上下側端部は、テーパ部４４００Ａ１により、上下方向に向かうにしたがって断面積が小さくなる形状を有している。
また、この区画部本体４４００Ａにおいて、左右側端部には、図１７（Ａ）または図１７（Ｃ）に示すように、光束射出側の角部分が面取りされた斜面４４００Ａ４を有するテーパ部４４００Ａ３が形成されている。すなわち、これらテーパ部４４００Ａ１，４４００Ａ３により、区画部本体４４００Ａの光束射出側端面は、平面視略中央部分が光束射出側に向けて膨出した形状となる。
【００９２】
当接部４４００Ｂは、枠状部材４４０５に当接する部分であり、図１７に示すように、区画部本体４４００Ａの左右側端部の辺縁に沿ってそれぞれ形成されている。これら当接部４４００Ｂは、上下方向に延出する平面視略矩形状の板体であり、その厚み寸法は、図１７（Ｂ）または図１７（Ｃ）に示すように、区画部本体４４００Ａよりも小さく形成されている。
以上説明した区画部本体４４００Ａおよび当接部４４００Ｂは、ガラス等の透光性部材から構成され、成形加工により一体成形された成形品である。なお、これら区画部本体４４００Ａおよび当接部４４００Ｂは、透光性を有する部材であれば特に限定されないが、１０Ｗ／ｍ・Ｋ以上の熱伝導率を有する透光性部材で構成することが好ましい。
なお、液晶パネル４４１の光束射出側に配置される冷却室区画部４４００は、図１６に示すように、液晶パネル４４１の光束入射側に配置される冷却室区画部４４００と光軸方向の両端面が逆になるように配置される。
【００９３】
図１８および図１９は、冷却室Ｒ１，Ｒ２内に冷却室区画部４４００をそれぞれ配置した状態を説明するための図である。具体的に、図１８は、光変調素子保持体４４０２を光束射出側から見た図である。図１９は、図１８のＦ−Ｆ線の断面図である。
なお、具体的な図示を省略するが、枠状部材４４０５における光束射出側に形成された凹部４４０５Ｂの左右方向端部側には、凹部４４０５Ｂよりも光軸方向の厚み寸法が小さい凹部が形成されているものとする。そして、前記図示しない凹部は、冷却室区画部４４００の当接部４４００Ｂに対応した形状を有し、冷却室区画部４４００が冷却室Ｒ１に配置される際には、前記図示しない凹部に冷却室区画部４４００における当接部４４００Ｂの光束入射側端面が当接する。また、光変調素子保持体４４０２を組み立てた状態では、当接部４４００Ｂの光束射出側端面に、液晶パネル４４１と枠状部材４４０５との間に配置される弾性部材４４０７の左右方向端部が当接し、冷却室区画部４４００が前記図示しない凹部に押圧固定される。
また、枠状部材４４０６にも同様に、前記図示しない凹部が形成されているものとする。
【００９４】
冷却室Ｒ１，Ｒ２内に冷却室区画部４４００をそれぞれ配置した状態では、前記図示しない凹部、弾性部材４４０７により、図１９に示すように、入射側偏光板４４２、液晶パネル４４１、および射出側偏光板４４３と冷却室区画部４４００との間に、それぞれ所定の隙間が形成される。
本実施形態では、これら隙間の光軸方向の寸法は、０．５ｍｍ〜２ｍｍとなるように設定されている。なお、これら隙間の光軸方向の寸法は、０．５ｍｍ〜１ｍｍとなるように設定することが好ましい。
また、冷却室Ｒ１内に冷却室区画部４４００を配置した状態では、図１９に示すように、入射側偏光板４４２の光束射出側端面、凹部４４０５Ｆ、整流部４４０５Ｇ、および冷却室区画部４４００における区画部本体４４００Ａのテーパ部４４００Ａ１により、液晶パネル４４１の光変調面と平面的に干渉しない位置に、冷却流体を一時的に蓄積可能とするバッファ部Ｂｆ２が形成される。また、冷却室Ｒ２内も同様に、射出側偏光板４４３の光束入射側端面、凹部４４０６Ｆ、整流部４４０６Ｇ、および冷却室区画部４４００における区画部本体４４００Ａのテーパ部４４００Ａ１により、液晶パネル４４１の光変調面と平面的に干渉しない位置に、バッファ部Ｂｆ２が形成される。
【００９５】
そして、このような構成により、図１９に示すように、流入口４４０５Ｄ，４４０６Ｄから冷却室Ｒ１，Ｒ２内部に流入する冷却流体は、各バッファ部Ｂｆ２により一時的に蓄積された後、整流部４４０５Ｇ，４４０６Ｇにて液晶パネル４４１の光変調面に平行な方向に整流されるとともに、冷却室区画部４４００における下方側端部に形成された各斜面４４００Ａ２にて光束入射側および光束射出側に整流され冷却室区画部４４００の光束入射側端面および光束射出側端面に沿って対流する。また、冷却室区画部４４００の光束入射側端面および光束射出側端面に沿って対流する冷却流体は、冷却室区画部４４００における上方側端部に形成された各斜面４４００Ａ２にて該冷却室区画部４４００の厚み方向略中央部分に導かれ、流出口４４０５Ｅ，４４０６Ｅを介して冷却室Ｒ１，Ｒ２外部に流出する。
【００９６】
上述した第３実施形態においては、前記第１実施形態と比較して、バッファ部Ｂｆ２が凹部４４０５Ｆ，４４０６Ｆ、整流部４４０５Ｇ，４４０６Ｇ、入射側偏光板４４２、射出側偏光板４４３、および冷却室区画部４４００で構成されているので、流入口４４０５Ｄ，４４０６Ｄを介して流入した冷却流体を一時的に蓄積した後、該冷却流体を整流部４４０５Ｇ，４４０６Ｇにて液晶パネル４４１の光変調面に平行な方向に整流できかつ、冷却室区画部４４００にて液晶パネル４４１の光変調面に直交する方向に整流できる。このため、整流部４４０５Ｇ，４４０６Ｇおよび冷却室区画部４４００の双方により、冷却室Ｒ１，Ｒ２内部の各位置での冷却流体の流速をさらに一層均一化でき、液晶パネル４４１にて形成された光学像をさらに一層良好に維持できる。また、冷却室Ｒ１，Ｒ２内部の各位置での冷却流体の流速をさらに一層均一化できることにより、液晶パネル４４１の面内温度もさらに一層均一化でき、局所的な過熱を回避し、液晶パネル４４１にてさらに一層鮮明な光学像を形成できる。
【００９７】
また、冷却室Ｒ１，Ｒ２内部に冷却室区画部４４００を配置することで、冷却室Ｒ１，Ｒ２内における液晶パネル４４１、入射側偏光板４４２、および射出側偏光板４４３とそれぞれ接触する冷却流体層の厚みが縮小し、液晶パネル４４１、入射側偏光板４４２、および射出側偏光板４４３とそれぞれ接触する冷却流体の対流速度を速めることができる。したがって、液晶パネル４４１、入射側偏光板４４２、および射出側偏光板４４３と冷却流体との温度差を維持し、冷却流体により、液晶パネル４４１、入射側偏光板４４２、および射出側偏光板４４３を一層効率的に冷却できる。
【００９８】
ここで、冷却室区画部４４００は、流入口４４０５Ｄ，４４０６Ｄ側および流出口４４０５Ｅ，４４０６Ｅ側の上下側端部にテーパ部４４００Ａ１が形成されているので、流入口４４０５Ｄ，４４０６Ｄから流入する冷却流体が冷却室Ｒ１，Ｒ２内で失速することなく、冷却室区画部４４００の光束入射側および光束射出側に円滑に対流させることができるとともに、冷却室区画部４４００の光束入射側および光束射出側を対流する冷却流体を円滑に流出口４４０５Ｅ，４４０６Ｅに導くことができる。
したがって、テーパ部４４００Ａ１を有しない冷却室区画部と比較して、液晶パネル４４１、入射側偏光板４４２、および射出側偏光板４４３とそれぞれ接触する冷却流体の対流速度を良好に維持して冷却流体による熱の輸送量を増加させることができ、冷却流体により液晶パネル４４１、入射側偏光板４４２、および射出側偏光板４４３を効率的に冷却できる。
また、流入口４４０５Ｄ，４４０６Ｄから流入する冷却流体が冷却室Ｒ１，Ｒ２内で失速することがないので、冷却室Ｒ１，Ｒ２内での発泡現象を抑制でき、液晶パネル４４１にて形成される光学像の画質の安定化を図れる。
さらに、冷却室Ｒ１，Ｒ２内を対流する冷却流体の対流速度を速めた状態で維持できるので、流体圧送部４４６を駆動する際の回転数を低く設定でき、流体圧送部４４６における駆動時の音を最小限に抑え、プロジェクタ１の低騒音化を図れる。また、流体圧送部４４６の駆動回転数を低く設定することにより、省電力化も実現できる。
【００９９】
さらに、冷却室区画部４４００は、テーパ部４４００Ａ１，４４００Ａ３により平面視略中央部分が液晶パネル４４１側に膨出した形状となるので、液晶パネル４４１と冷却室区画部４４００との間を対流する冷却流体層の厚みをさらに縮小し、液晶パネル４４１と接触する冷却流体の対流速度をさらに速めることができる。
【０１００】
さらに、冷却室区画部４４００は、区画部本体４４００Ａおよび当接部４４００Ｂで構成され、枠状部材４４０５，４４０６の凹部に当接部４４００Ｂが当接することで冷却室Ｒ１，Ｒ２内にそれぞれ配置されるので、冷却室Ｒ１，Ｒ２内部における所定位置に各冷却室区画部４４００を良好に配置させることができる。したがって、冷却室Ｒ１，Ｒ２内部において、冷却室区画部４４００の位置がずれ液晶パネル４４１、入射側偏光板４４２、および射出側偏光板４４３とそれぞれ接触する冷却流体層の厚みが変化することがなく、液晶パネル４４１、入射側偏光板４４２、および射出側偏光板４４３の冷却状態を良好に維持できる。
ここで、当接部４４００Ｂは、区画部本体４４００Ａの左右側端部の辺縁に沿ってそれぞれ形成されているので、枠状部材４４０５，４４０６に対して各冷却室区画部４４００を確実に設置することができ、冷却室区画部４４００の位置ずれを確実に防止できる。
【０１０１】
そして、区画部本体４４００Ａおよび当接部４４００Ｂは、成形加工により一体成形された成形品であるので、斜面４４００Ａ２も容易に形成でき、冷却室区画部４４００を容易に製造できる。また、このように冷却室区画部４４００を成形加工により形成することで、区画部本体４４００Ａの左右側端部に位置する当接部４４００Ｂも容易に形成できる。さらに、斜面４４００Ａ２を所望の角度で形成でき、液晶パネル４４１、入射側偏光板４４２、および射出側偏光板４４３と冷却室区画部４４００との間に流入する冷却流体の流量制御も容易に実施できる。さらにまた、冷却室区画部４４００の光束入射側端面および／または光束射出側端面を流線形状、非線形形状となるように形成することも容易に実施でき、冷却室区画部４４００の光束入射側および／または光束射出側の冷却流体の対流状態を任意に設定することが可能となる。したがって、冷却室区画部４４００を製造するにあたって、冷却室区画部４４００の製造コストを低減でき、液晶パネル４４１、入射側偏光板４４２、および射出側偏光板４４３の冷却効率の向上を低コストで実現できる。
【０１０２】
そしてまた、冷却室区画部４４００の熱伝導率を１０Ｗ／ｍ・Ｋ以上に設定すれば、冷却室区画部４４００の光束入射側および光束射出側を対流する冷却流体の熱を冷却室区画部４４００に伝達させることができ、冷却室区画部４４００の光束入射側および光束射出側を対流する冷却流体の温度差を抑制できる。したがって、液晶パネル４４１と、入射側偏光板４４２および射出側偏光板４４３との均等冷却が可能となる。
【０１０３】
[第４実施形態]
次に、本発明の第４実施形態を図面に基づいて説明する。
以下の説明では、前記第１実施形態と同様の構造および同一部材には同一符号を付して、その詳細な説明は省略または簡略化する。
前記第１実施形態では、光学装置本体４４０を構成する光変調素子保持体４４０２は、２つの流入口４４０５Ｄ，４４０６Ｄ、および２つの流出口４４０５Ｅ，４４０６Ｅを有する。そして、流入口４４０５Ｄ，４４０６Ｄを介して各冷却室Ｒ１，Ｒ２内にそれぞれ冷却流体を流入させ、流出口４４０５Ｅ，４４０６Ｅを介して各冷却室Ｒ１，Ｒ２内の冷却流体をそれぞれ外部に流出させている。
これに対して第４実施形態では、光学装置本体６４０を構成する光変調素子保持体６４０２には、一対の冷却室Ｒ４，Ｒ５が形成され、これら冷却室Ｒ４，Ｒ５は光変調素子保持体６４０２内部にて連通接続されている。そして、光変調素子保持体６４０２は、１つの流入口６４０５Ｄ、および１つの流出口６４０６Ｄを有し、流入口６４０５Ｄを介して各冷却室Ｒ４，Ｒ５に冷却流体を流入させ、流出口６４０６Ｄを介して各冷却室Ｒ４，Ｒ５内に流通する冷却流体を外部に流出させる。光学装置本体６４０を除くその他の構成は、前記第１実施形態と同様のものとする。
【０１０４】
図２０は、第４実施形態における光学装置本体６４０を上方から見た斜視図である。
図２１は、光学装置本体６４０を下方から見た斜視図である。
光学装置本体６４０は、図２０または図２１に示すように、前記第１実施形態で説明した３つの液晶パネル４４１、３つの入射側偏光板４４２、３つの射出側偏光板４４３、クロスダイクロイックプリズム４４４、流体分岐部４４０１、および支持部材４４０３、および前記第２実施形態で説明した中継タンク５４０４の他、３つの光変調素子保持体６４０２を備える。
【０１０５】
図２２は、光変調素子保持体６４０２の概略構成を示す分解斜視図である。
３つの光変調素子保持体６４０２は、前記第１実施形態で説明した光変調素子保持体４４０２と同様に、３つの液晶パネル４４１、３つの入射側偏光板４４２、および３つの射出側偏光板４４３をそれぞれ保持するとともに、内部に冷却流体が流入および流出し、該冷却流体により３つの液晶パネル４４１、３つの入射側偏光板４４２、および３つの射出側偏光板４４３をそれぞれ冷却する。なお、各光変調素子保持体６４０２は、同様の構成であり、以下では１つの光変調素子保持体６４０２のみを説明する。この光変調素子保持体６４０２は、図２２に示すように、一対の枠状部材６４０５，６４０６と、４つの弾性部材６４０７と、一対の偏光板固定部材６４０８Ａ，６４０８Ｂと、支持枠体６４０９と、２つの冷却室区画部６４００とを備える。
【０１０６】
図２３は、枠状部材６４０５の概略構成を示す図である。具体的に、図２３（Ａ）は、枠状部材６４０５を光束射出側から見た斜視図である。また、図２３（Ｂ）は、枠状部材６４０５を光束入射側から見た斜視図である。
枠状部材６４０５は、ＰＰＳ（ポリフェニレンサルファイド）、またはＧＦ（ガラスファイバ）を添加したＰＣ（ポリカーボネート）等の樹脂材料を成形加工により形成した一体成形品で構成され、枠状部材６４０６に対して光束入射側に配置され、液晶パネル４４１の光束入射側を支持するとともに、入射側偏光板４４２の光束射出側を支持するものであり、その具体的な構造は、前記第１実施形態で説明した枠状部材４４０５の形状と略同様である。すなわち、この枠状部材６４０５は、図２３に示すように、枠状部材４４０５の開口部４４０５Ａ（斜面４４０５Ａ１を含む）、光束入射側端面に形成された凹部４４０５Ｂ，４４０５Ｆ、整流部４４０５Ｇ（柱状部４４０５Ｇ１および整流面４４０５Ｇ２を含む）、および接続部４４０５Ｉと略同様の、開口部６４０５Ａ（斜面６４０５Ａ１を含む）、凹部６４０５Ｂ，６４０５Ｆ、整流部６４０５Ｇ（柱状部６４０５Ｇ１および整流面６４０５Ｇ２を含む）、および接続部６４０５Ｉを有している。
なお、本実施形態における凹部６４０５Ｆのうち、上方側に位置する凹部６４０５Ｆの上方側の側壁は、図２３（Ｂ）に示すように、左右方向略中央部分が上方に向けて窪み凹となる曲面状に形成されている。また、下方側に位置する凹部６４０５Ｆの下方側の側壁も同様に、左右方向略中央部分が下方側に窪み凹となる曲面状に形成されている。
【０１０７】
この枠状部材６４０５において、光束射出側端面には、図２３（Ａ）に示すように、光束入射側に窪む凹部６４０５Ｃが形成されている。この凹部６４０５Ｃは、弾性部材６４０７の後述する第２弾性部材の形状に対応し、開口部６４０５Ａの周縁部分に位置し平面視略矩形形状を有する第１凹部６４０５Ｃ１と、上方側左右方向略中央部分に位置し平面視略円形状を有する第２凹部６４０５Ｃ２とが連続して形成されたものである。そして、これら凹部６４０５Ｃにて前記第２弾性部材および支持枠体６４０９を介して液晶パネル４４１の光束入射側端面を支持する。そして、枠状部材６４０５が液晶パネル４４１の光束入射側端面を支持することで、前記第２弾性部材、支持枠体６４０９および液晶パネル４４１の光束入射側端面にて、開口部６４０５Ａの光束射出側が閉塞される。
また、第１凹部６４０５Ｃ１における下方側の左右方向略中央部分には、図２３に示すように、光束射出側端面および下方側の凹部６４０５Ｆを貫通する孔６４０５Ｅ１を有して光束射出側端面から略直交して突出し、枠状部材５４０６の後述する挿通孔に挿通される筒状部６４０５Ｅが形成されている。
【０１０８】
筒状部６４０５Ｅは、後述する流入口６４０５Ｄに対して略直交するように連通接続している。そして、この筒状部６４０５Ｅの内側面の一部は、流入口６４０５Ｄの中心軸と交差するように延出し、該内側面の一部には流入口６４０５Ｄを介して流入した冷却流体を、枠状部材６４０６の光束入射側および光束射出側に分流する突出部６４０５Ｅ２（図２８参照）が形成されている。
また、第２凹部６４０５Ｃ２における略中央部分には、図２３（Ａ）または図２３（Ｂ）に示すように、光束射出側端面および上方側の凹部６４０５Ｆを貫通し、枠状部材６４０６の後述する筒状部を挿通可能とする挿通孔６４０５Ｈが形成されている。
【０１０９】
また、枠状部材６４０５において、左側端部および右側端部には、図２３に示すように、偏光板固定部材６４０８Ａが係合する３つのフック６４０５Ｊがそれぞれ形成されている。
これら３つのフック６４０５Ｊは、左側端部および右側端部において、上下方向端部近傍、および上下方向略中央部分にそれぞれ形成され、上下方向略中央部分を中心として対称配置されている。
ここで、偏光板固定部材６４０８Ａは、図２２に示すように、前記第１実施形態で説明した偏光板固定部材４４０８Ａと略同様の形状を有し、すなわち、偏光板固定部材４４０８Ａの開口部４４０８Ａ１、フック係合部４４０８Ａ２と同様の、開口部６４０８Ａ１およびフック係合部６４０８Ａ２を有する。本実施形態におけるフック係合部６４０８Ａ２は、図２２に示すように、枠状部材６４０５のフック６４０５Ｊに対応して６つで構成される。
そして、液晶パネル４４１にて枠状部材６４０５における開口部６４０５Ａの光束射出側を閉塞し、偏光板固定部材６４０８Ａにて入射側偏光板４４２を枠状部材６４０５の凹部６４０５Ｂに弾性部材６４０７の後述する第１弾性部材を介して押圧固定し枠状部材６４０５における開口部６４０５Ａの光束入射側を閉塞することで、枠状部材６４０５内部（開口部６４０５Ａ内、および、凹部６４０５Ｂと入射側偏光板４４２との空隙）に冷却流体を封入可能とする冷却室Ｒ４（図２８参照）が形成される。
【０１１０】
さらに、枠状部材６４０５において、その下方側端部略中央部分には、図２３に示すように、下方側に位置する凹部６４０５Ｆの下方側の側壁に貫通し、外部からの冷却流体を冷却室Ｒ４内部に流入させる流入口６４０５Ｄが形成されている。この流入口６４０５Ｄは、前記第１実施形態で説明した流入口４４０５Ｄと同様に、流体循環部材４４８の管径寸法よりも小さい管径寸法を有する略筒状部材から構成され、枠状部材６４０５の外側に突出するように形成されている。そして、流入口６４０５Ｄの突出した端部には、流体分岐部４４０１の冷却流体流出部４４０１Ｃに接続された流体循環部材４４８の他端が接続され、該流体循環部材４４８を介して流体分岐部４４０１から流出した冷却流体が冷却室Ｒ４内部に流入する。
なお、上述したように、光変調素子保持体６４０２には、流入口６４０５Ｄが１つのみ形成されるので、流体分岐部４４０１の冷却流体流出部４４０１Ｃと光変調素子保持体５４０２とを接続する流体循環部材４４８は、前記第２実施形態と同様に、他端が分岐することなく、流入口６４０５Ｄに接続する。
【０１１１】
さらにまた、枠状部材６４０５において、開口部６４０５Ａ内側面の光束入射側には、図２３（Ｂ）に示すように、冷却室区画部６４００を位置決め固定する４つの位置決め突起６４０５Ｌが形成されている。
これら位置決め突起６４０５Ｌは、図２３（Ｂ）に示すように、開口部６４０５Ａ内側面の四隅位置近傍に位置し、断面略直角三角形を有する柱状に形成されている。そして、これら位置決め突起６４０５Ｌは、図２３（Ｂ）に示すように、断面略直角三角形の斜辺に相当する端面が光束入射側に向き、上下方向中央部分に向けて光軸方向の厚み寸法が次第に小さくなるように配置されている。
【０１１２】
図２４は、枠状部材６４０６の概略構成を示す図である。具体的に、図２４（Ａ）は、枠状部材６４０６を光束射出側から見た斜視図である。また、図２４（Ｂ）は、枠状部材６４０６を光束入射側から見た斜視図である。
枠状部材６４０６は、ＰＰＳ（ポリフェニレンサルファイド）、またはＧＦ（ガラスファイバ）を添加したＰＣ（ポリカーボネート）等の樹脂材料を成形加工により形成した成形品で構成され、図示しないねじにより上述した枠状部材６４０５と接続し枠状部材６４０５との間に弾性部材６４０７および支持枠体６４０９を介して液晶パネル４４１を挟持するとともに、枠状部材６４０５と対向する面と反対の面側にて弾性部材６４０７を介して射出側偏光板４４３を支持するものであり、その具体的な構造は、前記第１実施形態で説明した枠状部材４４０６の形状と略同様である。すなわち、この枠状部材６４０６は、枠状部材４４０６の開口部４４０６Ａ（斜面４４０６Ａ１を含む）、光束射出側端面に形成された凹部４４０６Ｂ，４４０６Ｆ、整流部４４０６Ｇ（柱状部４４０６Ｇ１および整流面４４０６Ｇ２を含む）、および接続部４４０６Ｉと略同様の、開口部６４０６Ａ（斜面６４０６Ａ１を含む）、凹部６４０６Ｂ，６４０６Ｆ、整流部６４０６Ｇ（柱状部６４０６Ｇ１および整流面６４０６Ｇ２を含む）、および接続部６４０６Ｉを有している。
なお、本実施形態における凹部６４０６Ｆは、上述した枠状部材６４０５における凹部６４０５Ｆと同様の形状を有している。
【０１１３】
この枠状部材６４０６において、光束入射側端面には、図２３（Ｂ）に示すように、光束射出側に窪む凹部６４０６Ｃが形成されている。この凹部６４０６Ｃは、弾性部材６４０７の後述する第３弾性部材の形状に対応し、開口部６４０６Ａの周縁部分に位置し平面視略矩形形状を有する第１凹部６４０６Ｃ１と、下方側左右方向略中央部分に位置し平面視略円形状を有する第２凹部６４０６Ｃ２とが連続して形成されたものである。そして、これら凹部６４０６Ｃにて前記第３弾性部材および支持枠体６４０９を介して液晶パネル４４１の光束射出側端面を支持する。そして、枠状部材６４０６が液晶パネル４４１の光束射出側端面を支持することで、前記第３弾性部材、支持枠体６４０９および液晶パネル４４１の光束射出側端面にて、開口部６４０６Ａの光束入射側が閉塞される。
また、第１凹部６４０６Ｃ１における上方側の左右方向略中央部分には、図２４に示すように、上述した枠状部材６４０５の挿通孔６４０５Ｈに対応して、上方側に位置する凹部６４０６Ｆおよび光束入射側端面を貫通する孔６４０６Ｅ１を有し、光束入射側端面から略直交して突出する筒状部６４０６Ｅが形成されている。
さらに、第２凹部６４０６Ｃ２における略中央部分には、図２４に示すように、下方側に位置する凹部６４０６Ｆおよび光束射出側端面を貫通し、上述した枠状部材６４０５における筒状部６４０５Ｅを挿通可能とする挿通孔６４０６Ｈが形成されている。
【０１１４】
そして、枠状部材６４０５と枠状部材６４０６とを組み合わせた状態では、枠状部材６４０５における筒状部６４０５Ｅが、支持枠体６４０９の後述する挿通孔、および弾性部材６４０７の後述する第３弾性部材の挿通孔を介して、枠状部材６４０６における挿通孔６４０６Ｈに挿通される。このため、流入口６４０５Ｄを介して枠状部材６４０５内部に流入した冷却流体は、筒状部６４０５Ｅの突出部６４０５Ｅ２（図２８参照）に分流され、筒状部６４０５Ｅの孔６４０５Ｅ１および挿通孔６４０６Ｈを介して枠状部材６４０５の光束入射側（冷却室Ｒ４）および枠状部材６４０６の光束射出側（後述する冷却室Ｒ５（図２８参照））に流通する。
また、枠状部材６４０５と枠状部材６４０６とを組み合わせた状態では、枠状部材６４０６における筒状部６４０６Ｅが、液晶パネル４４１におけるフレキシブルプリント基板４４１Ｅの挿通孔４４１Ｅ１（図２２）、支持枠体６４０９の後述する挿通孔、および弾性部材６４０７の後述する第２弾性部材の挿通孔を介して、枠状部材６４０５における挿通孔６４０５Ｈに挿通される。このため、枠状部材６４０５の光束入射側（冷却室Ｒ４）および枠状部材６４０６の光束射出側（後述する冷却室Ｒ５（図２８参照））を筒状部６４０６Ｅの孔６４０６Ｅ１、および挿通孔６４０５Ｈを介して冷却流体が流通可能となる。
【０１１５】
ここで、筒状部６４０５Ｅ，６４０６Ｅの内径は、例えば、１mm〜５mmが好ましく、２mm〜３mmがさらに好ましい。本実施形態では、筒状部６４０５Ｅの内径断面積と、筒状部６４０６Ｅの内径断面積とは、略同一断面積で構成されている。また、挿通孔６４０５Ｈ，６４０６Ｈの内径は、それぞれ筒状部６４０６Ｅ，６４０５Ｅを嵌合可能な寸法に設定されている。
なお、筒状部６４０５Ｅの内径断面積と、筒状部６４０６Ｅの内径断面積とを略同一断面積とする構成に限らず、異なる内径断面積とする構成を採用してもよい。
【０１１６】
また、枠状部材６４０６において、左側端部および右側端部には、図２４に示すように、上述した枠状部材６４０５のフック６４０５Ｊと同様に、偏光板固定部材６４０８Ｂが係合する３つのフック６４０６Ｊがそれぞれ形成されている。
ここで、偏光板固定部材６４０８Ｂは、図２２に示すように、上述した偏光板固定部材６４０８Ａと同様の形状を有し、開口部６４０８Ａ１およびフック係合部６４０８Ａ２と同様の、開口部６４０８Ｂ１およびフック係合部６４０８Ｂ２を有する。
そして、液晶パネル４４１にて枠状部材６４０６における開口部６４０６Ａの光束入射側を閉塞し、偏光板固定部材６４０８Ｂにて射出側偏光板４４３を枠状部材６４０６の凹部６４０６Ｂに弾性部材６４０７の後述する第４弾性部材を介して押圧固定し枠状部材６４０６における開口部６４０６Ａの光束射出側を閉塞することで、枠状部材６４０６内部（開口部６４０６Ａ内、および、凹部６４０６Ｂと射出側偏光板４４３との空隙）に冷却流体を封入可能とする冷却室Ｒ５（図２８参照）が形成される。
【０１１７】
さらに、枠状部材６４０６において、その上方側端部略中央部分には、図２４に示すように、上方側に位置する凹部６４０６Ｆの上方側の側壁に貫通するとともに筒状部６４０６Ｅと略直交して連通接続し、冷却室Ｒ４，Ｒ５内部の冷却流体を外部に流出させる流出口６４０６Ｄが形成されている。この流出口６４０６Ｄは、流入口６４０５Ｄと同様に、流体循環部材４４８の管径寸法よりも小さい管径寸法を有する略筒状部材から構成され、枠状部材６４０６の外側に突出するように形成されている。そして、流入口６４０５Ｄを介して冷却室Ｒ４内に流入し、さらに挿通孔６４０５Ｈおよび筒状部６４０６Ｅの孔６４０６Ｅ１を介して冷却室Ｒ５内へと流入した冷却流体、および、流入口６４０５Ｄを介して流入し、さらに筒状部６４０５Ｅの突出部６４０５Ｅ２により分流されて冷却室Ｒ５内に流入した冷却流体が流出口６４０６Ｄおよび流体循環部材４４８を介して中継タンク５４０４に流出される。
【０１１８】
本実施形態では、流入口６４０５Ｄおよび流出口６４０６Ｄの内径断面積は、筒状部６４０５Ｅ，６４０６Ｅの内径断面積と略同一断面積となるように設定されている。このような構成とすることで、光変調素子保持体６４０２内での冷却流体の流路抵抗を略同一とすることができ、冷却流体の対流速度を速めることができる。
なお、流入口６４０５Ｄおよび流出口６４０６Ｄの内径断面積を、筒状部６４０５Ｅ，６４０６Ｅの内径断面積と略同一断面積とする構成に限らず、異なる断面積とする構成を採用してもよい。
【０１１９】
さらにまた、枠状部材６４０６において、開口部６４０６Ａ内側面の光束射出側には、図２４（Ａ）に示すように、上述した枠状部材６４０５の位置決め突起６４０５Ｌと同様の、４つの位置決め突起６４０６Ｌが形成されている。
また、枠状部材６４０６において、光束入射側端面には、図２４（Ｂ）に示すように、筒状部６４０６Ｅの上方に位置し、光束入射側端面から略直交して突出する押圧部６４０６Ｍが形成されている。そして、枠状部材６４０５と枠状部材６４０６とを組み合わせた状態では、押圧部６４０６Ｍが、液晶パネル４４１におけるフレキシブルプリント基板４４１Ｅの挿通孔４４１Ｅ１（図２２）に挿通され、その先端が支持枠体６４０９の後述する挿通孔の周縁に当接し、支持枠体６４０９を枠状部材６４０５側に押圧する。
さらに、枠状部材６４０６において、光束入射側端面の上方側端部および下方側端部には、図２４（Ｂ）に示すように、支持枠体６４０９の後述する突出部に対応して、光束射出側に窪む２つの切り欠き６４０６Ｎがそれぞれ形成されている。そして、枠状部材６４０５と枠状部材６４０６とを組み合わせた状態では、４つの切り欠き６４０６Ｎを介して支持枠体６４０９の前記突出部が外側に突出する。
【０１２０】
弾性部材６４０７は、図２２に示すように、入射側偏光板４４２および枠状部材６４０５の間に介在配置される第１弾性部材６４０７Ａと、枠状部材６４０５および液晶パネル４４１の間に介在配置される第２弾性部材６４０７Ｂと、液晶パネル４４１および枠状部材６４０６の間に介在配置される第３弾性部材６４０７Ｃと、枠状部材６４０６および射出側偏光板４４３の間に介在配置される第４弾性部材６４０７Ｄとで構成される。
このうち、第１弾性部材６４０７Ａ、および第４弾性部材６４０７Ｄは、図２２に示すように、前記第１実施形態で説明した弾性部材４４０７と略同様に、略矩形枠形状を有している。また、これら第１弾性部材６４０７Ａおよび第４弾性部材６４０７Ｄは、図２２に示すように、一対の枠状部材６４０５，６４０６に対向する端面が平面状に形成され、入射側偏光板４４２および射出側偏光板４４３に対向する端面が曲面状に形成され、断面略半円形状を有している。そして、これら第１弾性部材６４０７Ａ、および第４弾性部材６４０７Ｃは、枠状部材６４０５，６４０６の各凹部６４０５Ｂ，６４０６Ｂにそれぞれ設置される。
【０１２１】
また、第２弾性部材６４０７Ｂは、図２２に示すように、平面視略矩形枠状の弾性部材６４０７Ｂ１と、弾性部材６４０７Ｂ１の上端縁略中央部分に位置し平面視略円形状の弾性部材６４０７Ｂ２とが一体的に形成されたものである。
このうち、弾性部材６４０７Ｂ１において、内周端部には、図２２に示すように、該弾性部材６４０７Ｂ１の厚み寸法よりも小さい厚み寸法を有する断面視略円形状の弾性部材６４０７Ｂ４が一体的に形成されている。また、弾性部材６４０７Ｂ１は、液晶パネル４４１に対向する端面が平面状に形成され、枠状部材６４０５に対向する端面が曲面状に形成され、断面略半円形状を有している。そして、弾性部材６４０７Ｂ１，６４０７Ｂ４は、枠状部材６４０５の第１凹部６４０５Ｃ１に弾性部材６４０７Ｂ１の前記曲面が対向するように配置され、支持枠体６４０９および液晶パネル４４１に跨るように設置される。
また、弾性部材６４０７Ｂ２は、その略中央部分に枠状部材６４０５の筒状部６４０５Ｅを挿通可能とする挿通孔６４０７Ｂ３が形成されている。この弾性部材６４０７Ｂ２も上述した弾性部材６４０７Ｂ１と同様に断面略半円形状を有する。そして、この弾性部材６４０７Ｂ２は、枠状部材６４０５の第２凹部６４０５Ｃ２に前記曲面が当接し、支持枠体６４０９に前記平面が当接するように設置される。
【０１２２】
さらに、第３弾性部材６４０７Ｃは、図２２に示すように、平面視略矩形枠状の弾性部材６４０７Ｃ１と、弾性部材６４０７Ｃ１の下端縁略中央部分に位置し平面視略円形状の弾性部材６４０７Ｃ２とが一体的に形成されたものである。
このうち、弾性部材６４０７Ｃ１において、内周端部には、図２２に示すように、該弾性部材６４０７Ｂ１の厚み寸法よりも小さい厚み寸法を有する断面視略円形状の弾性部材６４０７Ｃ４が一体的に形成されている。また、弾性部材６４０７Ｃ１は、弾性部材６４０７Ｂ１と同様に、液晶パネル４４１に対向する端面が平面状に形成され、枠状部材６４０６に対向する端面が曲面状に形成され、断面略半円形状を有している。そして、弾性部材６４０７Ｃ１，６４０７Ｃ４は、枠状部材６４０６の第１凹部６４０６Ｃ１に弾性部材６４０７Ｃ１の前記曲面が対向するように配置され、支持枠体６４０９および液晶パネル４４１を跨るように設置される。
また、弾性部材６４０７Ｃ２は、その略中央部分に枠状部材６４０６の筒状部６４０６Ｅを挿通可能とする挿通孔６４０７Ｃ３が形成されている。この弾性部材６４０７Ｃ２も上述した弾性部材６４０７Ｃ１と同様に断面略半円形状を有する。そして、この弾性部材６４０７Ｃ２は、枠状部材６４０６の第２凹部６４０６Ｃ２に前記曲面が当接し、支持枠体６４０９に前記平面が当接するように設置される。
【０１２３】
そして、これら弾性部材６４０７は、枠状部材６４０５，６４０６の各冷却室Ｒ４，Ｒ５を封止し、入射側偏光板４４２および枠状部材６４０５、枠状部材６４０５および液晶パネル４４１、液晶パネル４４１および枠状部材６４０６、枠状部材６４０６および射出側偏光板４４３の間から冷却流体が漏れることを防止するとともに、筒状部６４０５Ｅ，６４０６Ｅおよび挿通孔６４０６Ｈ，６４０５Ｈの接続部分から液晶パネル４４１側に冷却流体が漏れることも防止している。
【０１２４】
上述した弾性部材６４０７としては、硬度Ｈｓ（ＪＩＳスプリング式）が３０〜５０のゴム部材で構成することが好ましい。その材料は、特に限定されず、例えば、シリコンゴム、水分透過量の少ないブチルゴムまたはフッ素ゴム等が例示できる。
【０１２５】
図２５は、支持枠体６４０９の概略構成を示す分解斜視図である。具体的に、支持枠体６４０９を光束射出側から見た分解斜視図である。
図２６は、支持枠体６４０９に液晶パネル４４１を組み込んだ状態を示す図である。具体的に、図２６（Ａ）は、支持枠体６４０９を光束射出側から見た図である。図２６（Ｂ）は、図２６（Ａ）におけるＧ−Ｇ線の断面図である。図２６（Ｃ）は、支持枠体６４０９を光束入射側から見た図である。
支持枠体６４０９は、アルミニウム製の平面視略矩形状の板体から構成され、液晶パネル４４１を保持するとともに、該液晶パネル４４１を光源装置４１１から射出される光束の照明光軸Ａに対する所定位置に位置決めするものである。この支持枠体６４０９は、図２５または図２６に示すように、支持枠体本体６４０９Ａと、支持補助部６４０９Ｂとを備える。
【０１２６】
支持枠体本体６４０９Ａは、液晶パネル４４１を支持する基体であり、平面視略矩形状の板体から構成される。
この支持枠体本体６４０９Ａにおいて、その略中央部分には、図２５または図２６に示すように、液晶パネル４４１の駆動基板４４１Ｃの外形寸法と略同一寸法を有する開口部６４０９Ａ１が形成されている。
また、支持枠体本体６４０９Ａにおいて、光束入射側端面には、図２５または図２６（Ｃ）に示すように、開口部６４０９Ａ１周縁から光束入射側に膨出する膨出部６４０９Ａ２が形成されている。
この膨出部６４０９Ａ２において、その上方側端部は、図２６（Ａ）または図２６（Ｂ）に示すように、開口部６４０９Ａ１の内側、すなわち、下方側に延出形成されている。このため、開口部６４０９Ａ１における内側面上方側には、図２６（Ａ）または図２６（Ｃ）に示すように、段差部６４０９Ａ３が形成される。そして、この段差部６４０９Ａ３の底部は、図２６（Ａ）または図２６（Ｂ）に示すように、液晶パネル４４１を支持枠体６４０９に組み込んだ状態では、液晶パネル４４１における駆動基板４４１Ｃの上方側端部と平面的に干渉する。すなわち、この段差部６４０９Ａ３は、駆動基板４４１Ｃの光束入射側端面と当接し、液晶パネル４４１の面外方向の位置を規制する機能を有する。
また、開口部６４０９Ａ１の内側面において、膨出部６４０９Ａ２における上方側端部の膨出方向基端部分には、図２６（Ａ）に示すように、液晶パネル４４１のフレキシブルプリント基板４４１Ｅの幅寸法に応じて孔６４０９Ａ４が形成されており、支持枠体６４０９に液晶パネル４４１が設置された状態では、該孔６４０９Ａ４にフレキシブルプリント基板４４１Ｅが挿通される。
【０１２７】
さらに、開口部６４０９Ａ１の内側面において、膨出部６４０９Ａ２側には、図２５、図２６（Ｂ）または図２６（Ｃ）に示すように、開口部６４０９Ａ１の内側に突出する複数の突起部６４０９Ａ５が形成されている。本実施形態では、内側面の各側端縁にそれぞれ２つの突起部６４０９Ａ５が形成されている。なお、突起部６４０９Ａ５の数は、上述した数に限らない。そして、これら突起部６４０９Ａ５は、その先端部分を結ぶ軌跡が液晶パネル４４１の対向基板４４１Ｄの外形位置基準面となるように設定され、液晶パネル４４１の面内方向の位置を規制する機能を有する。
【０１２８】
さらに、支持枠体本体６４０９Ａにおいて、光束入射側端面には、図２５または図２６（Ｃ）に示すように、膨出部６４０９Ａ２の上方側で左右方向両端部近傍に、光束入射側に向けて突出するピン６４０９Ａ６がそれぞれ形成されている。
さらにまた、支持枠体本体６４０９Ａにおいて、上方側端部角隅部分および下方側端部角隅部分には、図２５または図２６に示すように、上方向および下方向にそれぞれ延出し、光変調素子保持体６４０２が組み立てられた状態で一対の枠状部材６４０５，６４０６の側端部から平面的に突出する４つの突出部６４０９Ａ７が形成されている。そして、これら突出部６４０９Ａ７の先端部分には、図２５または図２６に示すように、支持部材４４０３のピン状部材４４０３Ａを挿通可能とする取付孔６４０９Ａ８がそれぞれ形成されている。
また、支持枠体本体６４０９Ａにおいて、下方側端部略中央部分には、図２５または図２６に示すように、枠状部材６４０６の筒状部６４０６Ｅを挿通可能とする挿通孔６４０９Ａ９が形成されている。
【０１２９】
支持補助部６４０９Ｂは、支持枠体本体６４０９Ａにおける光束入射側端面の膨出部６４０９Ａ２の上方側に取り付けられ、支持枠体本体６４０９Ａによる液晶パネル４４１の支持状態を補助する部分である。この支持補助部６４０９Ｂは、支持枠体本体６４０９Ａにおける光束入射側端面の上方側端部に対応した形状を有し、左右方向に延出した平面視略矩形状の板体から構成される。
この支持補助部６４０９Ｂの左右両端部近傍には、図２５または図２６（Ｃ）に示すように、光束入射側端面および光束射出側端面を貫通し、支持枠体本体６４０９Ａのピン６４０９Ａ６を嵌合可能とする嵌合孔６４０９Ｂ１がそれぞれ形成されている。
また、支持補助部６４０９Ｂにおいて、その光束射出側端面の左右方向略中央部分には、図２５に示すように、液晶パネル４４１のフレキシブルプリント基板４４１Ｅの幅寸法に対応した幅寸法を有し、光束入射側に窪む凹部６４０９Ｂ２が形成されている。
さらに、支持補助部６４０９Ｂにおいて、上方側端部略中央部分には、図２５または図２６（Ｃ）に示すように、上方に向けて延出し、枠状部材６４０５の筒状部６４０５Ｅを挿通可能とする挿通孔６４０９Ｂ３が形成されている。
【０１３０】
以上説明した支持枠体６４０９に対する液晶パネル４４１の組み込みは、以下のように実施される。
先ず、支持枠体本体６４０９Ａの光束射出側から、液晶パネル４４１のフレキシブルプリント基板４４１Ｅを開口部６４０９Ａ１に挿通するとともに該開口部６４０９Ａ１から孔６４０９Ａ４を介して支持枠体本体６４０９Ａの外部に突出させるように、液晶パネル４４１を開口部６４０９Ａ１に設置する。この際、駆動基板４４１Ｃの光束入射側端面が段差部６４０９Ａ３に当接し液晶パネル４４１の面外方向の位置が規制されるとともに、対向基板４４１Ｄの外側面が複数の突起部６４０９Ａ５の先端に当接し液晶パネル４４１の面外方向の位置が規制され、支持枠体本体６４０９Ａに対して液晶パネル４４１が位置決めされる。
ここで、支持枠体本体６４０９Ａにおける膨出部６４０９Ａ２の形成位置での厚み寸法は、図２６（Ｂ）に示すように、液晶パネル４４１の厚み寸法と略同一となるように設定されている。また、光束射出側端面から段差部６４０９Ａ３の底部までの寸法は、図２６（Ｂ）に示すように、液晶パネル４４１の駆動基板４４１Ｃの厚み寸法と略同一となるように設定されている。このため、支持枠体本体６４０９Ａに液晶パネル４４１を設置した状態では、図２６（Ｂ）に示すように、支持枠体本体６４０９Ａの光束射出側端面、および膨出部６４０９Ａ２の光束入射側端面と、液晶パネル４４１の光束射出側端面および光束入射側端面とがそれぞれ略面一となる。
【０１３１】
支持枠体本体６４０９Ａに液晶パネル４４１を位置決めした後、開口部６４０９Ａ１の内側面と駆動基板４４１Ｃの外周との間の隙間、および、開口部６４０９Ａ１の内側面と対向基板４４１Ｄの外周との間で複数の突起部６４０９Ａ５によって形成される隙間に、伸び率の高い接着剤を充填させる。このため、液晶パネル４４１が支持枠体本体６４０９Ａに対して位置決め固定されるとともに、前記隙間から冷却流体が液晶パネル４４１の内部に流入することが防止される。
なお、この接着剤としては、前記隙間から流入してくる冷却流体を遮断する材質、例えば、ウレタンゴム等を混ぜ合わせたものが好ましい。また、紫外線硬化タイプや嫌気タイプの主剤をベースにすれば、組み立て作業性の向上が図れる。
【０１３２】
支持枠体本体６４０９Ａに液晶パネル４４１を位置決め固定した後、支持枠体本体６４０９Ａにおける光束入射側端面の膨出部６４０９Ａ２の上方側に支持補助部６４０９Ｂを取り付ける。
具体的に、支持枠体本体６４０９Ａのピン６４０９Ａ６に支持補助部６４０９Ｂの嵌合孔６４０９Ｂ１を嵌合させるように、支持枠体本体６４０９Ａに対して支持補助部６４０９Ｂを設置する。この際、支持枠体本体６４０９Ａの孔６４０９Ａ４を介して突出する液晶パネル４４１のフレキシブルプリント基板４４１Ｅは、支持補助部６４０９Ｂの凹部６４０９Ｂ２と支持枠体本体６４０９Ａの光束入射側端面との間に形成される空間内に遊嵌配置される。
そして、支持枠体本体６４０９Ａと支持補助部６４０９Ｂとの間の隙間に、支持枠体本体６４０９Ａに対する液晶パネル４４１の位置決めの際に用いた接着剤と同様の接着剤を充填し、支持枠体本体６４０９Ａに対して支持補助部６４０９Ｂを固定する。
ここで、支持補助部６４０９Ｂの厚み寸法は、図２６（Ｂ）に示すように、支持枠体本体６４０９Ａにおける膨出部６４０９Ａ２の膨出方向の高さ寸法と略同一に設定されている。このため、支持枠体本体６４０９Ａに対して支持補助部６４０９Ｂを取り付けた状態では、図２６（Ｂ）に示すように、膨出部６４０９Ａ２の光束入射側端面と、支持補助部６４０９Ｂの光束入射側端面とが略面一となる。
【０１３３】
また、液晶パネル４４１が組み込まれた支持枠体６４０９を一対の枠状部材６４０５，６４０６に組み込む際には、支持枠体本体６４０９Ａの挿通孔６４０９Ａ９、および支持補助部６４０９Ｂの挿通孔６４０９Ｂ３が、一対の枠状部材６４０５，６４０６に対する支持枠体６４０９の位置決め用の孔としての機能を果たす。すなわち、支持枠体６４０９の挿通孔６４０９Ａ９，６４０９Ｂ３に一対の枠状部材６４０５，６４０６の筒状部６４０５Ｅ，６４０６Ｅをそれぞれ挿通することで、一対の枠状部材６４０５，６４０６に対して支持枠体６４０９が位置決めされ、すなわち、液晶パネル４４１が枠状部材６４０５，６４０６の所定位置に位置決めされる。そして、一対の枠状部材６４０５，６４０６および支持枠体６４０９を組み立てた状態では、一対の枠状部材６４０５，６４０６における第１凹部６４０５Ｃ１，６４０６Ｃ１の開口部分が、支持枠体６４０９の光束入射側端面および液晶パネル４４１の対向基板４４１Ｄの光束入射側端面、および、支持枠体６４０９の光束射出側端面および液晶パネル４４１の駆動基板４４１Ｃの光束射出側端面にそれぞれ閉塞され、第２弾性部材６４０７Ｂの弾性部材６４０７Ｂ１、および第３弾性部材６４０７Ｃの弾性部材６４０７Ｃ１が収納される弾性部材収納部６４０７Ｅがそれぞれ形成される（図２８参照）。
【０１３４】
２つの冷却室区画部６４００は、図２２に示すように、前記第３実施形態で説明した冷却室区画部４４００と同様に、各冷却室Ｒ４，Ｒ５にそれぞれ配置され各冷却室Ｒ４，Ｒ５をそれぞれ光束入射側および光束射出側の２つの領域に区画するものである。これら冷却室区画部６４００は、枠状部材６４０５，６４０６の開口部６４０５Ａ，６４０６Ａよりも若干小さい寸法を有する平面視略矩形状の透光性部材から構成され、図２２に示すように、入射側偏光板４４２および枠状部材６４０５の間、枠状部材６４０６および射出側偏光板４４３の間に配置される。なお、これら冷却室区画部６４００は、前記第３実施形態で説明した冷却室区画部４４００と同様の材料を採用できる。
これら冷却室区画部６４００において、上下側端部には、図２２に示すように、液晶パネル４４１に対向する端面側の角部分のみが面取りされた斜面６４００Ａ１を有するテーパ部６４００Ａが形成されている。すなわち、上下側端部は、テーパ部６４００Ａにより、上下方向に向かうにしたがって断面積が小さくなる形状を有している。
そして、これら冷却室区画部６４００は、光変調素子保持体６４０２を組み立てる際、上下側端部の斜面６４００Ａ１を枠状部材６４０５，６４０６の位置決め突起６４０５Ｌ，６４０６Ｌにそれぞれ当接することで、枠状部材６４０５，６４０６にそれぞれ位置決めされ、例えば、接着剤等により枠状部材６４０５，６４０６に対して固定される。
上述したように、冷却室Ｒ４内に各冷却室区画部６４００を配置した状態では、前記第３実施形態と同様に、入射側偏光板４４２の光束射出側端面、凹部６４０５Ｆ、整流部６４０５Ｇ、および冷却室区画部６４００の上下側端部により、液晶パネル４４１の光変調面と平面的に干渉しない位置に、冷却流体を一時的に蓄積可能とするバッファ部Ｂｆ２が形成される。また、冷却室Ｒ５内も同様に、射出側偏光板４４３の光束入射側端面、凹部６４０６Ｆ、整流部６４０６Ｇ、および冷却室区画部６４００の上下側端部により、液晶パネル４４１の光変調面と平面的に干渉しない位置に、バッファ部Ｂｆ２が形成される。
【０１３５】
本実施形態では、冷却室区画部６４００を冷却室Ｒ４に配置した状態で、入射側偏光板４４２と冷却室区画部６４００との離間寸法Ｌ１（図２８参照）よりも、液晶パネル４４１と冷却室区画部６４００との離間寸法Ｌ２（図２８参照）が大きくなるように設定されている。
なお、冷却室Ｒ５に配置される冷却室区画部６４００も上記同様に、射出側偏光板４４３と冷却室区画部６４００との離間寸法Ｌ１（図２８参照）よりも、液晶パネル４４１と冷却室区画部６４００との離間寸法Ｌ２（図２８参照）が大きくなるように設定されている。
ここで、離間寸法Ｌ１は、０．３mm〜１．０mmとすることが好ましく、本実施形態では０．７mmに設定されている。また、離間寸法Ｌ２は、１．０mm〜２．０mmとすることが好ましく、本実施形態では１．４mmに設定されている。
また、本実施形態では、整流部６４０５Ｇ，６４０６Ｇと入射側偏光板４４２および射出側偏光板４４３との各離間寸法Ｌ３（図２８参照）は、上述した離間寸法Ｌ１よりも小さくなるように設定されている。本実施形態では、各離間寸法Ｌ３が０．４mmに設定されている。
【０１３６】
次に、液晶パネル４４１、入射側偏光板４４２、および射出側偏光板４４３の冷却構造を説明する。
図２７および図２８は、液晶パネル４４１、入射側偏光板４４２、および射出側偏光板４４３の冷却構造を説明するための図である。具体的に、図２７は、光変調素子保持体６４０２を光束入射側から見た図である。図２８は、図２７のＨ−Ｈ線の断面図である。
流体圧送部４４６が駆動することにより、メインタンク４４５内部の冷却流体が流体圧送部４４６を介して流体分岐部４４０１に圧送され、流体分岐部４４０１にて分岐されて各光変調素子保持体６４０２の各流入口６４０５Ｄを介して各光変調素子保持体６４０２内部へと流入する。
【０１３７】
各光変調素子保持体６４０２内部に流入した冷却流体は、図２８に示すように、筒状部６４０５Ｅの突出部６４０５Ｅ２にて分流され、冷却室Ｒ４のバッファ部Ｂｆ２、および冷却室Ｒ５のバッファ部Ｂｆ２にそれぞれ流入する。すなわち、冷却流体は、各バッファ部Ｂｆ２に流入する際、液晶パネル４４１の光変調面に直交し各枠状部材６４０５，６４０６の対向する面側から入射側偏光板４４２または射出側偏光板４４３に向かう。
そして、各バッファ部Ｂｆ２に流入した冷却流体は、各バッファ部Ｂｆ２により一時的に蓄積された後、整流部６４０５Ｇ，６４０６Ｇにて液晶パネル４４１の光変調面に平行な方向に整流されるとともに、冷却室区画部６４００における下方側端部に形成された斜面６４００Ａ１にて光束入射側および光束射出側に整流され冷却室区画部６４００の光束入射側端面および光束射出側端面に沿って対流する。
【０１３８】
ここで、光源装置４１１から射出された光束により、液晶パネル４４１、入射側偏光板４４２、および射出側偏光板４４３に生じた熱は、各冷却室Ｒ４，Ｒ５内の冷却流体に伝達される。
冷却室Ｒ５内の冷却流体に伝達された熱は、図２８に示すように、冷却流体の流れにしたがって、図２８中、上方に向けて進み、枠状部材６４０６における上方側の凹部６４０６Ｆ（図２４（Ａ））の側壁、および上方側の整流部６４０６Ｇにより、左右方向略中央部分に案内され、流出口６４０６Ｄを介して冷却室Ｒ５外部へと移動する。
一方、冷却室Ｒ４内の冷却流体に伝達された熱は、図２８に示すように、冷却流体の流れにしたがって、図２８中、上方に向けて移動する。また、上方に向けて移動した熱は、冷却流体の流れにしたがって、枠状部材６４０５における上方側の凹部６４０５Ｆ（図２３（Ｂ））の側壁、および上方側の整流部６４０５Ｇにより、左右方向略中央部分に案内される。そして、左右方向略中央部分へと案内された熱は、図２８に示すように、冷却流体の流れにしたがって、挿通孔６４０５Ｈおよび筒状部６４０６Ｅの孔６４０６Ｅ１を介して、冷却室Ｒ５内に移動し、流出口６４０６Ｄを介して冷却室Ｒ５外部へと移動する。
【０１３９】
冷却室Ｒ４，Ｒ５から流出口６４０６Ｄを介して光変調素子保持体６４０２外部へと移動した熱は、冷却流体の流れにしたがって、中継タンク６４０４〜ラジエータ４４７へと移動し、前記第１実施形態と同様に、ラジエータ４４７にて放熱される。
そして、ラジエータ４４７にて冷却された冷却流体は、ラジエータ４４７〜メインタンク４４５〜流体圧送部４４６〜流体分岐部４４０１へと移動し、再度、冷却室Ｒ４，Ｒ５へと移動する。
また、冷却ユニット３のシロッコファン３１により、前記第１実施形態と同様に、冷却空気が光変調素子保持体６４０２の外面、および光変調素子保持体６４０２と支持部材４４０３との間に流入し、下方から上方に向けて流通する。この際、冷却空気は、液晶パネル４４１の光束入射側端面および射出側偏光板４４３の光束射出側端面を冷却しながら流通する。
【０１４０】
上述した第４実施形態においては、前記第１実施形態と比較して、各冷却室Ｒ４，Ｒ５が筒状部６４０５Ｅの孔６４０５Ｅ１および挿通孔６４０６Ｈと、筒状部６４０６Ｅの孔６４０６Ｅ１および挿通孔６４０５Ｈとにより連通接続されているので、各冷却室Ｒ４，Ｒ５内の冷却流体を略同一の温度に設定でき、すなわち、液晶パネル４４１における光束入射側および光束射出側の温度の均一化を図れる。
【０１４１】
ところで、このように各冷却室Ｒ４，Ｒ５を連通接続すると、冷却流体が光変調素子保持体６４０２の各バッファ部Ｂｆ２に流入する際、液晶パネル４４１の光変調面に直交し各枠状部材６４０５，６４０６の対向する面側から入射側偏光板４４２側または射出側偏光板４４３側に向かう。このような構成の場合には、各バッファ部Ｂｆ２に流入した後、冷却室区画部６４００にて入射側偏光板４４２側および射出側偏光板４４３側に向かう冷却流体の流量が多くなる。このため、液晶パネル４４１側に向かう冷却流体の流量が少なくなり、その結果、液晶パネル４４１と接触する冷却流体の対流速度が遅くなり、液晶パネル４４１と冷却流体との温度差を維持しにくい。
本実施形態では、冷却室区画部６４００のテーパ部６４００Ａが液晶パネル４４１側に斜面６４００Ａ１を有しているので、各バッファ部Ｂｆ２にて一時的に冷却流体を蓄積した後、冷却室区画部６４００の斜面６４００Ａ１により液晶パネル４４１側により多くの冷却流体を案内できる。このため、液晶パネル４４１側に向かう冷却流体の流量を所定量に維持でき、液晶パネル４４１と冷却流体との温度差を維持し、冷却流体により液晶パネル４４１を効率的に冷却できる。
【０１４２】
また、冷却室区画部６４００を冷却室Ｒ４，Ｒ５にそれぞれ配置した状態で、入射側偏光板４４２と冷却室Ｒ４内に配置される冷却室区画部６４００との離間寸法Ｌ１、および射出側偏光板４４３と冷却室Ｒ５内に配置される冷却室区画部６４００との離間寸法Ｌ１よりも、液晶パネル４４１と各冷却室区画部６４００との各離間寸法Ｌ２が大きくなるように設定されている。このことにより、各バッファ部Ｂｆ２にて一時的に冷却流体を蓄積した後、液晶パネル４４１側により多くの冷却流体を整流できる。このため、液晶パネル４４１側に向かう冷却流体の流量を所定量に良好に維持でき、液晶パネル４４１と冷却流体との温度差を良好に維持し、冷却流体により液晶パネル４４１をより効率的に冷却できる。
【０１４３】
さらに、液晶パネル４４１に対して発熱量の高い入射側偏光板４４２および射出側偏光板４４３と各冷却室区画部６４００との各離間寸法Ｌ１を、上述した各離間寸法Ｌ２よりも小さく設定することで、入射側偏光板４４２または射出側偏光板４４３と接触する各冷却流体層の体積を、液晶パネル４４１と接触する冷却流体層の体積よりも小さく設定できる。このため、入射側偏光板４４２または射出側偏光板４４３からの熱を吸収して体積が膨張する各冷却流体層の量が少なくなり、冷却流体の体積膨張による光学像の揺らぎ現象を抑制でき、液晶パネル４４１にて形成された光学像を良好に維持できる。
さらにまた、上述した各離間寸法Ｌ１を小さくすることで、入射側偏光板４４２または射出側偏光板４４３と接触する各冷却流体層の対流速度を速めることができ、入射側偏光板４４２および射出側偏光板４４３を効果的に冷却できる。このため、入射側偏光板４４２および射出側偏光板４４３において、熱により光学歪みが生じることを回避でき、光学歪みによる光学像の色むら発生を効果的に抑制できる。
【０１４４】
また、整流部６４０５Ｇ，６４０６Ｇと入射側偏光板４４２および射出側偏光板４４３との各離間寸法Ｌ３は、各離間寸法Ｌ１よりも小さくなるように設定されている。このことにより、各バッファ部Ｂｆ２に流入した冷却流体を、各冷却室区画部６４００の下端部よりも筒状部６４０５Ｅの孔６４０５Ｅ１および挿通孔６４０６Ｈ側に配設される整流部６４０５Ｇ，６４０６Ｇにて一時的に堰き止めることができる。このため、各冷却室区画部６４００および整流部６４０５Ｇ，６４０６Ｇにより、冷却室Ｒ４，Ｒ５内部の各位置での冷却流体の流速をより効果的に均一化できる。
【０１４５】
ここで、本実施形態では、離間寸法Ｌ１が０．７mm、離間寸法Ｌ２が１．４mm、離間寸法Ｌ３が０．４mmに設定されているので、以下に示すように、光学像の画質の向上、液晶パネル４４１および射出側偏光板４４３の温度の低減化が効果的に図れる。
具体的に、液晶パネル４４１として０．７inchの液晶パネルを用い、離間寸法Ｌ１および離間寸法Ｌ２を所定の値に設定して、光学像に含まれる筋状の像の状態、および、光学像の色むらの状態を目視にて確認した。また、液晶パネル４４１の温度、および射出側偏光板４４３の温度を測定した。
実施例１では、離間寸法Ｌ１を０．９mm、離間寸法Ｌ２を１．２mmに設定した。
また、実施例２では、離間寸法Ｌ１を０．７mm、離間寸法Ｌ２を１．４mmに設定した。
結果としては、以下の表１に示す通りである。なお、表１中、「○」は、画質が良好である状態、または、温度の低減化が図れた状態を示している。また、「◎」は、画質がさらに良好である状態、また、温度のさらなる低減化が図れた状態を示している。
【０１４６】
【表１】
2005292774.tif 000003
【０１４７】
実施例１においては、表１に示すように、光学像に含まれる筋状の像を抑制でき、さらに、光学像の色むらも抑制できた。また、液晶パネル４４１の温度、および射出側偏光板４４３の温度の低減化も図れた。
また、実施例２においては、表１に示すように、実施例１に対して光学像に含まれる筋状の像をさらに抑制できかつ、光学像の色むらもさらに抑制できた。また、液晶パネル４４１の温度は実施例１と同様であるが、射出側偏光板４４３の温度は、実施例１よりも低い結果となった。
以上のことにより、離間寸法Ｌ１を０．７mm、離間寸法Ｌ２を１．４mmに設定することで、光学像の画質の向上、射出側偏光板４４３の温度の低減化を効果的に図れることが確認された。
【０１４８】
さらに、各枠状部材６４０５，６４０６は、樹脂材料を成形加工により形成した成形品で構成され、整流部６４０５Ｇ，６４０６Ｇが各凹部６４０５Ｆ，６４０６Ｆに対して一体成形されている。このことにより、整流部６４０５Ｇ，６４０６Ｇと枠状部材６４０５，６４０６とが別体の構成と比較して、整流部６４０５Ｇ，６４０６Ｇを設置する作業を省略でき、光変調素子保持体６４０２の組み立て作業を容易に実施できる。
さらにまた、金型を用いることで各枠状部材６４０５，６４０６を形成するので、前記金型を修正することで容易に整流部６４０５Ｇ，６４０６Ｇの形状を修正することが可能となる。また、整流部６４０５Ｇ，６４０６Ｇを複雑な形状とすることも可能となる。
【０１４９】
[第５実施形態]
次に、本発明の第５実施形態を図面に基づいて説明する。
以下の説明では、前記第４実施形態と同様の構造および同一部材には同一符号を付して、その詳細な説明は省略または簡略化する。
図２９および図３０は、第５実施形態における整流部７４０５Ｇ，７４０６Ｇの形状を示す図である。具体的に、図２９（Ａ）は、第５実施形態における枠状部材６４０５を光束入射側から見た斜視図である。図２９（Ｂ）は、第５実施形態における枠状部材６４０６を光束射出側から見た斜視図である。図３０は、第５実施形態における光変調素子保持体６４０２の整流部７４０５Ｇ，７４０６Ｇ位置での縦断面図である。
本実施形態は、前記第４実施形態に対して、図２９および図３０に示すように、枠状部材６４０５，６４０６における整流部７４０５Ｇ，７４０６Ｇの形状が異なるのみである。整流部７４０５Ｇ，７４０６Ｇ以外の構造は、前記第４実施形態と同様である。
【０１５０】
整流部７４０５Ｇ，７４０６Ｇは、図２９に示すように、上方側および下方側に位置する各凹部６４０５Ｆ、および上方側および下方側に位置する各凹部６４０６Ｆの底面にそれぞれ立設され、流入口６４０５Ｄを介して流入した冷却流体を、液晶パネル４４１の光変調面に平行な方向に整流する。
各整流部７４０５Ｇは、図２９（Ａ）に示すように、平面視略四角柱状の５つの柱状部７４０５Ｇ１でそれぞれ構成されている。５つの柱状部７４０５Ｇ１は、図２９（Ａ）に示すように、対向する側面が流入口６４０５Ｄを介して流入する冷却流体の流入方向、すなわち、枠状部材６４０５における下端部から上端部に向かう方向に沿いかつ、前記流入方向に直交する方向に所定の間隔を空けて並列配置されている。
５つの柱状部７４０５Ｇ１において、流入口６４０５Ｄ側（枠状部材６４０５における下端部側）の側面は、図２９（Ａ）に示すように、枠状部材６４０５における下端部側に向けて突出し、流入口６４０５Ｄを介して流入した冷却流体を液晶パネル４４１の光変調面に平行な方向に整流する整流面７４０５Ｇ２を有している。
【０１５１】
また、５つの柱状部７４０５Ｇ１において、凹部６４０５Ｆから立設する方向の高さ寸法は、図３０に示すように、流入口６４０５Ｄに対向する位置に配設され、すなわち、５つの柱状部７４０５Ｇ１のうち中央に位置する柱状部７４０５Ｇ１が最も高くなるように形成されている。そして、前記中央に位置する柱状部７４０５Ｇ１から離間するにしたがって、各柱状部７４０５Ｇ１における光軸方向の高さ寸法が次第に小さくなるように形成されている。すなわち、５つの柱状部７４０５Ｇ１は、図３０に示すように、入射側偏光板４４２側の端面を結ぶ軌跡が略円弧形状となるように形成されている。
また、整流部７４０６Ｇは、図２９（Ｂ）および図３０に示すように、上述した整流部７４０５Ｇと同様の配置および形状を有し、整流部７４０５Ｇの柱状部７４０５Ｇ１および整流面７４０５Ｇ２と同様の、柱状部７４０６Ｇ１および整流面７４０６Ｇ２を有する。
【０１５２】
本実施形態では、整流部７４０５Ｇ，７４０６Ｇは、前記第４実施形態で説明した整流部６４０５Ｇ，６４０６Ｇと同様に、各冷却室区画部６４００と入射側偏光板４４２および射出側偏光板４４３との離間寸法Ｌ１（図２８）よりも、各柱状部７４０５Ｇ１，７４０６Ｇ１と入射側偏光板４４２および射出側偏光板４４３との離間寸法Ｌ３（図３０）の方が小さくなるように形成されている。すなわち、整流部７４０５Ｇ，７４０６Ｇは、５つの柱状部７４０５Ｇ１，７４０６Ｇ１のうち、左右端部側に位置する最も小さい前記高さ寸法を有する柱状部７４０５Ｇ１，７４０６Ｇ１と入射側偏光板４４２および射出側偏光板４４３との離間寸法Ｌ３Ａ（図３０）が、前記離間寸法Ｌ１よりも小さくなるように形成されている。
なお、整流部７４０５Ｇ，７４０６Ｇにおける各凹部６４０５Ｆ，６４０６Ｆから立設する方向の高さ寸法は、５つの柱状部７４０５Ｇ１，７４０６Ｇ１のうち中央に位置する最も大きい前記高さ寸法を有する柱状部７４０５Ｇ１，７４０６Ｇ１と入射側偏光板４４２および射出側偏光板４４３との離間寸法Ｌ３Ｂ（図３０）が、前記離間寸法Ｌ１よりも小さければ、上述した寸法関係に限らない。
【０１５３】
上述した第５実施形態においては、前記第４実施形態と比較して、各整流部７４０５Ｇ，７４０６Ｇを上述したような配置および形状とすることで、各バッファ部Ｂｆ２にて一時的に冷却流体を蓄積した後、該冷却流体を各整流部７４０５Ｇ，７４０６Ｇにおける左右端部側に向けて案内することができ、液晶パネル４４１の光変調面と平行な方向に簡単な構成で効果的に整流できる。このため、冷却室Ｒ４，Ｒ５内部の各位置での冷却流体の流速をさらに効果的に均一化できる。
また、各整流部７４０５Ｇ，７４０６Ｇは、整流面７４０５Ｇ２，７４０６Ｇ２を有する構成であるので、５つの柱状部７４０５Ｇ１，７４０６Ｇ１の各高さ寸法の設定とともに、冷却流体を液晶パネル４４１の光変調面と平行な方向により効果的に整流でき、冷却流体の流速の均一化をより効果的に実施できる。
【０１５４】
[第６実施形態]
次に、本発明の第６実施形態を図面に基づいて説明する。
以下の説明では、前記第４実施形態と同様の構造および同一部材には同一符号を付して、その詳細な説明は省略または簡略化する。
図３１および図３２は、第６実施形態における整流部８４０５Ｇ，８４０６Ｇの形状を示す図である。具体的に、図３１（Ａ）は、第６実施形態における枠状部材６４０５を光束入射側から見た斜視図である。図３１（Ｂ）は、第６実施形態における枠状部材６４０６を光束射出側から見た斜視図である。図３２は、第６実施形態における光変調素子保持体６４０２の整流部８４０５Ｇ，８４０６Ｇ位置での縦断面図である。
本実施形態は、前記第５実施形態と同様に、前記第４実施形態に対して、図３１および図３２に示すように、枠状部材６４０５，６４０６における整流部８４０５Ｇ，８４０６Ｇの形状が異なるのみである。整流部８４０５Ｇ，８４０６Ｇ以外の構造は、前記第４実施形態と同様である。
【０１５５】
整流部８４０５Ｇ，８４０６Ｇは、図３０に示すように、上方側および下方側に位置する凹部６４０５Ｆ、および上方側および下方側に位置する各凹部６４０６Ｆの底面にそれぞれ立設され、流入口６４０５Ｄを介して流入した冷却流体を、液晶パネル４４１の光変調面に平行な方向に整流する。
各整流部８４０５Ｇは、図３１（Ａ）に示すように、平面視略四角柱状の５つの柱状部８４０５Ｇ１でそれぞれ構成されている。５つの柱状部８４０５Ｇ１は、図３１（Ａ）または図３２に示すように、流入口６４０５Ｄを介して流入する冷却流体の流入方向、すなわち、枠状部材６４０５における下端部から上端部に向かう方向と直交する方向に互いに近接するように並列配置されている。
５つの柱状部８４０５Ｇ１において、流入口６４０５Ｄ側（枠状部材６４０５における下端部側）の側面は、図３１（Ａ）に示すように、前記第５実施形態で説明した柱状部７４０５Ｇ１と同様に、枠状部材６４０５における下端部側に向けて突出し、流入口６４０５Ｄを介して流入した冷却流体を液晶パネル４４１の光変調面に平行な方向に整流する整流面８４０５Ｇ２を有している。
また、５つの柱状部８４０５Ｇ１において、凹部６４０５Ｆから立設する方向の高さ寸法は、図３２に示すように、同一となるように形成されている。
さらに、５つの柱状部８４０５Ｇ１において、入射側偏光板４４２側の端面には、図３２に示すように、前記流入方向に沿って複数の溝部８４０５Ｇ３（本実施形態では、３つの溝部８４０５Ｇ３）がそれぞれ形成されている。なお、図３２では、１つの柱状部８４０５Ｇ１の溝部８４０５Ｇ３のみに符号を付している。
また、整流部８４０６Ｇは、図３１（Ｂ）および図３２に示すように、上述した整流部８４０５Ｇと同様の配置および形状を有し、整流部８４０５Ｇの柱状部８４０５Ｇ１、整流面８４０５Ｇ２、および溝部８４０５Ｇ３と同様の、柱状部８４０６Ｇ１、整流面（図示省略）、および溝部８４０６Ｇ３を有する。
【０１５６】
本実施形態では、整流部８４０５Ｇ，８４０６Ｇは、前記第４実施形態で説明した整流部６４０５Ｇ，６４０６Ｇと同様に、各冷却室区画部６４００と入射側偏光板４４２および射出側偏光板４４３との離間寸法Ｌ１（図２８）よりも、該整流部８４０５Ｇ，８４０６Ｇと入射側偏光板４４２および射出側偏光板４４３との離間寸法Ｌ３Ｃ（図３２）の方が小さくなるように形成されている。本実施形態では、前記第４実施形態と同様に、離間寸法Ｌ３Ｃは、０．４mmに設定されている。
【０１５７】
上述した第６実施形態においては、前記第４実施形態と比較して、各整流部８４０５Ｇ，８４０６Ｇを上述したような配置および形状とすることで、各バッファ部Ｂｆ２に流入した冷却流体を、各冷却室区画部６４００の下端部よりも筒状部６４０５Ｅの孔６４０５Ｅ１および挿通孔６４０６Ｈ側に配設される各整流部８４０５Ｇ，８４０６Ｇにて一時的に堰き止めることが効果的に実施できる。また、各整流部８４０５Ｇ，８４０６Ｇの入射側偏光板４４２側、および射出側偏光板４４３側の各端面に溝部８４０５Ｇ３，８４０６Ｇ３が形成されているので、一時的に堰き止められた冷却流体を各溝部８４０５Ｇ３，８４０６Ｇ３を介して流通させることができ、液晶パネル４４１の光変調面と平行な方向で流速の均一化を効果的に実施できる。
【０１５８】
[第７実施形態]
次に、本発明の第７実施形態を図面に基づいて説明する。
以下の説明では、前記第４実施形態と同様の構造および同一部材には同一符号を付して、その詳細な説明は省略または簡略化する。
図３３は、第７実施形態における光変調素子保持体７４０２の概略構成を示す分解斜視図である。
本実施形態は、前記第４実施形態に対して、図３３に示すように、２つの冷却室区画部７４００の形状を変更している。また、これら冷却室区画部７４００の形状の変更に伴い、枠状部材７４０５，７４０６の形状も変更している。２つの冷却室区画部７４００および枠状部材７４０５，７４０６以外の光変調素子保持体７４０２の構成、および、光変調素子保持体７４０２以外の構成は、前記第４実施形態と同様である。
【０１５９】
図３４は、枠状部材７４０５，７４０６の構造を示す図である。具体的に、図３４（Ａ）は、枠状部材７４０５を光束入射側から見た斜視図である。図３４（Ｂ）は、枠状部材７４０６を光束射出側から見た斜視図である。
枠状部材７４０５，７４０６は、図３４に示すように、前記第４実施形態で説明した枠状部材６４０５，６４０６と同様の構造を有し、異なる点は、整流部６４０５Ｇ，６４０６Ｇが省略されている点のみである。その他の構造は、前記第４実施形態で説明した枠状部材６４０５，６４０６と同様である。
【０１６０】
図３５は、冷却室区画部７４００の構造を示す図である。具体的に、図３５（Ａ）は、液晶パネル４４１の光束入射側に配置される冷却室区画部７４００を光束射出側から見た図である。図３５（Ｂ）は、図３５（Ａ）のＩ−Ｉ線の断面図である。図３５（Ｃ）は、図３５（Ａ）のＪ−Ｊ線の断面図である。
なお、２つの冷却室区画部７４００は、同様の形状であり、以下では液晶パネル４４１の光束入射側に配置される冷却室区画部７４００のみを説明する。
この冷却室区画部７４００は、図３５に示すように、区画部本体７４００Ａと延出部７４００Ｂとが一体成形された成形品で構成される。なお、冷却室区画部７４００は、前記第３実施形態および前記第４実施形態で説明した冷却室区画部４４００，６４００と同様の材料を採用できる。
【０１６１】
区画部本体７４００Ａは、前記第４実施形態で説明した冷却室区画部６４００の形状と略同様な形状を有し、冷却室Ｒ４内部に配置された状態で、液晶パネル４４１に対向する部分である。そして、この区画部本体７４００Ａは、図３５に示すように、上下側端部に液晶パネル４４１に対向する端面側の角部分のみが面取りされた斜面７４００Ａ２を有するテーパ部７４００Ａ１が形成されている。すなわち、上下側端部は、テーパ部７４００Ａ１により、上下方向に向かうにしたがって断面積が小さくなる形状を有している。
【０１６２】
延出部７４００Ｂは、図３５に示すように、区画部本体７４００Ａの斜面７４００Ａ２から上下方向に延出し、冷却室Ｒ４内部に配置された状態で、枠状部材７４０５の凹部６４０５Ｆに対向する部分である。
これら延出部７４００Ｂにおいて、延出方向端部は、図３５に示すように、区画部本体７４００Ａと同様に、液晶パネル４４１に対向する端面側の角部分のみが面取りされた斜面７４００Ｂ２を有するテーパ部７４００Ｂ１が形成されている。すなわち、これら延出部７４００Ｂも区画部本体７４００Ａと同様に、テーパ部７４００Ｂ１により、上下方向に向かうにしたがって断面積が小さくなる形状を有している。
また、これら延出部７４００Ｂにおいて、延出方向端部は、図３５に示すように、左右方向略中央部分（流出口６４０６Ｄまたは流入口６４０５Ｄに対向する部分）が上下方向（流出口６４０６Ｄ側または流入口６４０５Ｄ側）に突出する凸曲面形状を有している。なお、本実施形態では、上方側の凹部６４０５Ｆの形状と下方側の凹部６４０５Ｆの形状とが異なるため、上方側の延出部７４００Ｂの形状と下方側の延出部７４００Ｂの形状とを異なるように形成しているが、同一形状となるように形成しても構わない。
【０１６３】
そして、冷却室区画部７４００は、図３５（Ｂ）に示すように、区画部本体７４００Ａの光束入射側端面と延出部７４００Ｂの光束入射側端面とが略面一となり、光束入射側端面が平面形状を有する。また、冷却室区画部７４００は、図３５（Ｂ）に示すように、区画部本体７４００Ａの厚み寸法が延出部７４００Ｂの厚み寸法よりも大きく、液晶パネル４４１に対向する部分が液晶パネル４４１側に膨出する形状となっている。
【０１６４】
図３６および図３７は、冷却室Ｒ４，Ｒ５内に冷却室区画部７４００をそれぞれ配置した状態を説明するための図である。具体的に、図３６は、光変調素子保持体７４０２を光束射出側から見た図である。図３７は、図３６のＫ−Ｋ線の断面図である。
冷却室区画部７４００が冷却室Ｒ４，Ｒ５に配置される際には、前記第４実施形態と同様に、区画部本体７４００Ａの上下側端部の斜面７４００Ａ２を枠状部材７４０５，７４０６の位置決め突起６４０５Ｌ，６４０６Ｌにそれぞれ当接することで枠状部材７４０５，７４０６に各冷却室区画部７４００がそれぞれ位置決めされ、例えば、接着剤等により枠状部材７４０５，７４０６に対して各冷却室区画部７４００を固定する。
そして、冷却室Ｒ４内に冷却室区画部７４００を配置した状態では、図３７に示すように、入射側偏光板４４２の光束射出側端面、凹部６４０５Ｆ、および冷却室区画部７４００における延出部７４００Ｂのテーパ部７４００Ｂ１により、液晶パネル４４１の光変調面と平面的に干渉しない位置に、冷却流体を一時的に蓄積可能とするバッファ部Ｂｆ３が形成される。また、冷却室Ｒ５内も同様に、射出側偏光板４４３の光束入射側端面、凹部６４０６Ｆ、および冷却室区画部７４００における延出部７４００Ｂのテーパ部７４００Ｂ１により、液晶パネル４４１の光変調面と平面的に干渉しない位置に、バッファ部Ｂｆ３が形成される。
なお、本実施形態では、前記第４実施形態と同様に、冷却室区画部７４００を冷却室Ｒ４に配置した状態で、冷却室区画部７４００と入射側偏光板４４２および射出側偏光板４４３との離間寸法Ｌ１（図３７）よりも、液晶パネル４４１と冷却室区画部７４００における区画部本体７４００Ａとの離間寸法Ｌ２（図３７）が大きくなるように設定されている。ここで、離間寸法Ｌ１は、０．３mm〜１．０mmとすることが好ましく、本実施形態では、前記第４実施形態と同様に、０．７mmに設定されている。また、離間寸法Ｌ２は、１．０mm〜２．０mmとすることが好ましく、本実施形態では、前記第４実施形態と同様に、１．４mmに設定されている。
【０１６５】
上述した第７実施形態においては、前記第４実施形態と比較して、整流部６４０５Ｇ，６４０６Ｇが省略され、各冷却室区画部７４００が凹部６４０５Ｆ，６４０６Ｆと平面的に干渉するように延出形成されている。そして、バッファ部Ｂｆ３が入射側偏光板４４２（射出側偏光板４４３）と、凹部６４０５Ｆ（凹部６４０６Ｆ）と、冷却室区画部７４００のテーパ部７４００Ｂ１により形成される。また、冷却室区画部７４００を構成する延出部７４００Ｂは、テーパ部７４００Ｂ１を有する延出方向端部の左右方向略中央部分が上下方向に突出する凸曲面形状を有している。このことにより、流入口６４０５Ｄを介して流入した冷却流体をバッファ部Ｂｆ３にて一時的に蓄積した後、該冷却流体を、延出部７４００Ｂにおける延出方向端部の凸曲面形状により、液晶パネル４４１の光変調面に平行な方向（左右方向）に整流できる。このため、延出部７４００Ｂのテーパ部７４００Ｂ１および凸曲面形状により、液晶パネル４４１に平行な方向および直交する方向の双方に冷却流体を整流できる。したがって、整流部６４０５Ｇ，６４０６Ｇを省略した構成であっても、冷却室区画部７４００により、冷却室Ｒ４，Ｒ５内部の各位置での冷却流体の流速の均一化が図れ、液晶パネル４４１にて形成された光学像を良好に維持できる。また、冷却室Ｒ４，Ｒ５内部の各位置での冷却流体の流速の均一化が図れることにより、液晶パネル４４１の面内温度の均一化も図れ、局所的な過熱を回避し、液晶パネル４４１にて鮮明な光学像を形成できる。さらに、整流部６４０５Ｇ，６４０６Ｇを省略できるため、枠状部材７４０５，７４０６の構造の簡素化を図れ、枠状部材７４０５，７４０６の製造を容易とする。
【０１６６】
ところで、冷却室区画部７４００が延出部７４００Ｂを有している場合には、冷却室区画部７４００を冷却室Ｒ４，Ｒ５内部に配置した場合に、冷却室区画部７４００と入射側偏光板４４２および射出側偏光板４４３との離間寸法Ｌ１よりも、冷却室区画部７４００の区画部本体７４００Ａと液晶パネル４４１との離間寸法Ｌ２が必要以上に大きくなりやすい。このように離間寸法Ｌ２が必要以上に大きい場合には、バッファ部Ｂｆ３にて一時的に冷却流体を蓄積した後、液晶パネル４４１側に向かう冷却流体の対流速度を所望の速度に制御することが難しく、液晶パネル４４１と冷却流体との温度差を維持しにくい。
本実施形態では、区画部本体７４００Ａが延出部７４００Ｂに対して厚み寸法が大きく区画部本体７４００Ａが液晶パネル４４１側に膨出する形状を有しているので、区画部本体７４００Ａと液晶パネル４４１との離間寸法Ｌ２、および冷却室区画部７４００と入射側偏光板４４２および射出側偏光板４４３との離間寸法Ｌ１を、所定寸法に設定できる。このため、液晶パネル４４１側に向かう冷却流体の対流速度を所望の速度に制御でき、液晶パネル４４１と冷却流体との温度差を良好に維持できる。
【０１６７】
[第８実施形態]
次に、本発明の第８実施形態を図面に基づいて説明する。
以下の説明では、前記第７実施形態と同様の構造および同一部材には同一符号を付して、その詳細な説明は省略または簡略化する。
図３８は、冷却室区画部８４００の構造を示す図である。具体的に、図３８（Ａ）は、液晶パネル４４１の光束入射側に配置される冷却室区画部８４００を光束射出側から見た図である。図３８（Ｂ）は、図３８（Ａ）のＬ−Ｌ線の断面図である。図３８（Ｃ）は、図３８（Ａ）のＭ−Ｍ線の断面図である。
本実施形態は、前記第７実施形態に対して、図３８に示すように、２つの冷却室区画部８４００の形状を変更している。２つの冷却室区画部８４００以外の構成は、前記第７実施形態と同様である。
【０１６８】
なお、２つの冷却室区画部８４００は、同様の形状であり、以下では液晶パネル４４１の光束入射側に配置される冷却室区画部８４００のみを説明する。
この冷却室区画部８４００は、図３８に示すように、前記第７実施形態で説明した区画部本体７４００Ａの他、延出部８４００Ｂを備える。これら区画部本体７４００Ａおよび延出部８４００Ｂは、前記第７実施形態と同様に、一体成形されたものである。また、冷却室区画部８４００は、前記第３実施形態、前記第４実施形態、および前記第７実施形態で説明した冷却室区画部４４００，６４００，７４００と同様の材料を採用できる。
【０１６９】
延出部８４００Ｂは、図３８に示すように、前記第７実施形態で説明した延出部７４００Ｂと略同様の形状を有し、延出部７４００Ｂと以下の点で異なる。
すなわち、延出部８４００Ｂは、図３８に示すように、液晶パネル４４１と対向する端面における左右方向略中央部分（流出口６４０６Ｄまたは流入口６４０５Ｄに対向する部分）が液晶パネル４４１側に膨出する凸曲面形状を有している。
また、延出部８４００Ｂは、図３８に示すように、区画部本体７４００Ａ側に向かうにしたがって次第に厚み寸法が大きくなる形状を有している。そして、延出部８４００Ｂにおける液晶パネル４４１と対向する端面は、区画部本体７４００Ａ側に向かうにしたがって区画部本体７４００Ａにおける液晶パネル４４１と対向する端面に次第に近接する形状となる。
【０１７０】
上述した第８実施形態においては、前記第７実施形態と比較して、延出部８４００Ｂにおける液晶パネル４４１と対向する端面の左右方向略中央部分が液晶パネル４４１側に膨出する凸曲面形状を有しているので、流入口６４０５Ｄを介して流入した冷却流体をバッファ部Ｂｆ３にて一時的に蓄積した後、該冷却流体を、延出部８４００Ｂにおける延出方向端部の凸曲面形状、および延出部８４００Ｂにおける液晶パネル４４１と対向する端面の凸曲面形状により、液晶パネル４４１の光変調面に平行な方向（左右方向）に円滑に整流できる。このため、延出部８４００Ｂのテーパ部７４００Ｂ１、延出部８４００Ｂにおける延出方向端部の凸曲面形状、および延出部８４００Ｂにおける液晶パネル４４１と対向する端面の凸曲面形状により、光変調面に平行な方向および直交する方向の双方に冷却流体を円滑に整流できる。したがって、冷却室区画部８４００により、冷却室Ｒ４，Ｒ５内部の各位置での冷却流体の流速をさらに均一化でき、液晶パネル４４１にて形成された光学像をさらに良好に維持できる。また、冷却室Ｒ４，Ｒ５内部の各位置での冷却流体の流速をさらに均一化できることにより、液晶パネル４４１の面内温度もさらに均一化でき、局所的な過熱を回避し、液晶パネル４４１にてさらに鮮明な光学像を形成できる。
【０１７１】
また、延出部８４００Ｂは、区画部本体７４００Ａ側に向かうにしたがって次第に厚み寸法が大きくなる形状を有しているので、区画部本体７４００Ａが延出部８４００Ｂに対して厚み寸法が大きく液晶パネル４４１側に膨出する形状を有している場合であっても、延出部８４００Ｂと区画部本体７４００Ａとの異なる厚み寸法による段差部分を省略でき、液晶パネル４４１側に向かう冷却流体を段差部分に衝突させることがなく円滑に対流させることができる。このため、液晶パネル４４１側に向かう冷却流体の対流速度を所望の速度に容易に制御でき、液晶パネル４４１と冷却流体との温度差をさらに良好に維持できる。
【０１７２】
[第９実施形態]
次に、本発明の第９実施形態を図面に基づいて説明する。
以下の説明では、前記第３実施形態と同様の構造および同一部材には同一符号を付して、その詳細な説明は省略または簡略化する。
本実施形態は、各冷却室区画部９４００がそれぞれ２体で構成され、該２体の部材間に光学変換素子としての入射側偏光板４４２および射出側偏光板４４３がそれぞれ介在配置されている点が前記第３実施形態と異なるのみである。その他の構造は、前記第３実施形態と同様のものとする。
【０１７３】
図３９は、第９実施形態における冷却室区画部９４００の構造を示す図である。具体的に、図３９（Ａ）は、液晶パネル４４１の光束入射側に配置される冷却室区画部９４００を光束射出側から見た図である。図３９（Ｂ）は、図３９（Ａ）のＮ−Ｎ線の断面図である。図３９（Ｃ）は、図３９（Ａ）のＯ−Ｏ線の断面図である。
２つの冷却室区画部９４００は、図３９に示すように、その外形形状は、前記第３実施形態で説明した冷却室区画部４４００と同様である。すなわち、この冷却室区画部９４００は、前記第４実施形態で説明した冷却室区画部４４００の区画部本体４４００Ａ（テーパ部４４００Ａ１、斜面４４００Ａ２、テーパ部４４００Ａ３、および斜面４４００Ａ４を含む）および当接部４４００Ｂと略同様の、区画部本体９４００Ａ（テーパ部９４００Ａ１、斜面９４００Ａ２、テーパ部９４００Ａ３、および斜面９４００Ａ４を含む）および当接部９４００Ｂを備える。
【０１７４】
ここで、区画部本体９４００Ａは、図３９（Ｂ）、図３９（Ｃ）に示すように、光束射出側に形成される斜面９４００Ａ２および光束入射側に形成される斜面９４００Ａ２の交差する位置を中心として、光束射出側に配置される第１区画部９４００Ａ５、および光束入射側に配置される第２区画部９４００Ａ６の２体に分割されている。
このうち、第１区画部９４００Ａ５の光束入射側端面には、入射側偏光板４４２の外形形状に応じた凹部９４００Ａ７が形成されている。そして、この凹部９４００Ａ７により、第１区画部９４００Ａ５および第２区画部９４００Ａ６を組み合わせた状態では、第１区画部９４００Ａ５および第２区画部９４００Ａ６の間に空間が形成され、該空間に入射側偏光板４４２が配置される。なお、前記空間に入射側偏光板４４２を配置する際には、第１区画部９４００Ａ５および第２区画部９４００Ａ６の当接する端面に接着剤または水ガラス等を塗布し、外部から前記空間に冷却流体が流入することを防止している。
なお、液晶パネル４４１の光束射出側に配置される冷却室区画部９４００も同様の構成であり、この冷却室区画部９４００を構成する第１区画部９４００Ａ５および第２区画部９４００Ａ６にて形成される空間内には、射出側偏光板４４３が配置される。また、液晶パネル４４１の光束射出側に配置される冷却室区画部９４００は、前記第３実施形態と同様に、液晶パネル４４１の光束入射側に配置される冷却室区画部９４００と光軸方向の両端面が逆になるように配置される。
【０１７５】
図４０および図４１は、冷却室Ｒ１，Ｒ２内に冷却室区画部９４００をそれぞれ配置した状態を説明するための図である。具体的に、図４０は、光変調素子保持体４４０２を光束射出側から見た図である。図４１は、図４０のＰ−Ｐ線の断面図である。
図４０および図４１に示すように、２つの冷却室区画部９４００の配置状態は、前記第３実施形態で説明した２つの冷却室区画部４４００の配置状態と同様であり、詳細な説明を省略する。
また、入射側偏光板４４２および射出側偏光板４４３が２つの冷却室区画部９４００にそれぞれ配置されることにより、枠状部材４４０５の光束入射側、および枠状部材４４０６の光束射出側には、図４０および図４１に示すように、透光性基板４４２０，４４３０がそれぞれ配置される。
【０１７６】
上述した第９実施形態においては、前記第３実施形態と比較して、各冷却室区画部９４００を構成する区画部本体９４００Ａは、第１区画部９４００Ａ５および第２区画部９４００Ａ６の２つにそれぞれ分割され、各第１区画部９４００Ａ５の各凹部９４００Ａ７に入射側偏光板４４２および射出側偏光板４４３がそれぞれ配置されるので、冷却室区画部９４００を介して入射側偏光板４４２および射出側偏光板４４３における光束入射側および光束射出側の双方を冷却流体により冷却でき、入射側偏光板４４２および射出側偏光板４４３の冷却効率を一層向上できる。
【０１７７】
[第１０実施形態]
次に、本発明の第１０実施形態を図面に基づいて説明する。
以下の説明では、前記第７実施形態と同様の構造および同一部材には同一符号を付して、その詳細な説明は省略または簡略化する。
本実施形態は、前記第９実施形態と同様に、各冷却室区画部１０４００がそれぞれ２体で構成され、該２体の部材間に光学変換素子としての入射側偏光板４４２および射出側偏光板４４３がそれぞれ介在配置されている点が前記第７実施形態と異なるのみである。その他の構造は、前記第７実施形態と同様のものとする。
【０１７８】
図４２は、第１０実施形態における冷却室区画部１０４００の構造を示す図である。具体的に、図４２（Ａ）は、液晶パネル４４１の光束入射側に配置される冷却室区画部１０４００を光束射出側から見た図である。図４２（Ｂ）は、図４２（Ａ）のＱ−Ｑ線の断面図である。図４２（Ｃ）は、図４２（Ａ）のＲ−Ｒ線の断面図である。
２つの冷却室区画部１０４００は、図４２に示すように、その外形形状は、前記第７実施形態で説明した冷却室区画部７４００と同様である。すなわち、この冷却室区画部１０４００は、前記第７実施形態で説明した冷却室区画部７４００の区画部本体７４００Ａ（テーパ部７４００Ａ１および斜面７４００Ａ２を含む）および延出部７４００Ｂ（テーパ部７４００Ｂ１および斜面７４００Ｂ２を含む）と略同様の、区画部本体１０４００Ａ（テーパ部１０４００Ａ１および斜面１０４００Ａ２を含む）および延出部１０４００Ｂ（テーパ部１０４００Ｂ１および斜面１０４００Ｂ２を含む）を備える。
【０１７９】
ここで、区画部本体１０４００Ａは、図４２（Ｂ）、図４２（Ｃ）に示すように、斜面１０４００Ａ２と延出部１０４００Ｂとの境界位置を中心として、光束射出側に配置される第１区画部１０４００Ａ３、および光束入射側に配置される第２区画部１０４００Ａ４の２体に分割されている。
このうち、第２区画部１０４００Ａ４の光束射出側端面には、図４２（Ｂ）、図４２（Ｃ）に示すように、入射側偏光板４４２の外形形状に応じた凹部１０４００Ａ５が形成されている。
また、第１区画部１０４００Ａ３の光束入射側端面には、図４２（Ｂ）、図４２（Ｃ）に示すように、第２区画部１０４００Ａ４の凹部１０４００Ａ５に嵌合可能とする段差部１０４００Ａ６が形成されている。
そして、凹部１０４００Ａ５に段差部１０４００Ａ６を嵌合させて第１区画部１０４００Ａ３および第２区画部１０４００Ａ４を組み合わせた状態では、第１区画部１０４００Ａ３および第２区画部１０４００Ａ４の間に空間が形成され、該空間に入射側偏光板４４２が配置される。なお、前記空間に入射側偏光板４４２を配置する際には、第１区画部１０４００Ａ３および第２区画部１０４００Ａ４の当接する端面に接着剤または水ガラス等を塗布し、外部から前記空間に冷却流体が流入することを防止している。
なお、液晶パネル４４１の光束射出側に配置される冷却室区画部１０４００も同様の構成であり、この冷却室区画部１０４００を構成する第１区画部１０４００Ａ３および第２区画部１０４００Ａ４にて形成される空間内には、射出側偏光板４４３が配置される。
また、具体的な図示は省略するが、入射側偏光板４４２および射出側偏光板４４３が２つの冷却室区画部１０４００にそれぞれ配置されることにより、枠状部材６４０５の光束入射側、および枠状部材６４０６の光束射出側には、前記第９実施形態と同様に、透光性基板４４２０，４４３０がそれぞれ配置される。
【０１８０】
上述した第１０実施形態においては、前記第７実施形態と比較して、前記第９実施形態と同様に、冷却室区画部１０４００を介して入射側偏光板４４２および射出側偏光板４４３における光束入射側および光束射出側の双方を冷却流体により冷却でき、入射側偏光板４４２および射出側偏光板４４３の冷却効率を一層向上できる。
【０１８１】
[第１１実施形態]
次に、本発明の第１１実施形態を図面に基づいて説明する。
以下の説明では、前記第１０実施形態と同様の構造および同一部材には同一符号を付して、その詳細な説明は省略または簡略化する。
図４３は、第１１実施形態における冷却室区画部１１４００の構造を示す図である。具体的に、図４３（Ａ）は、液晶パネル４４１の光束入射側に配置される冷却室区画部１１４００を光束射出側から見た図である。図４３（Ｂ）は、図４３（Ａ）のＳ−Ｓ線の断面図である。図４３（Ｃ）は、図４３（Ａ）のＴ−Ｔ線の断面図である。
本実施形態は、前記第１０実施形態に対して、図４３に示すように、２つの冷却室区画部１１４００の構成を変更している。２つの冷却室区画部１１４００以外の構成は、前記第１０実施形態と同様である。
【０１８２】
なお、２つの冷却室区画部１１４００は、同様の形状であり、以下では液晶パネル４４１の光束入射側に配置される冷却室区画部１１４００のみを説明する。
この冷却室区画部１１４００は、図４３に示すように、前記第１０実施形態で説明した冷却室区画部１０４００において第１区画部１０４００Ａ３を省略した構成であり、第２区画部１０４００Ａ４および延出部１０４００Ｂの他、撥水膜１１４００Ａを備える。
この撥水膜１１４００Ａは、図４３（Ａ）に示すように、第２区画部１０４００Ａ４および延出部１０４００Ｂにおける光束射出側端面（斜面１０４００Ａ２、および斜面１０４００Ｂ２を除く）と平面形状が同一の形状を有する。
この撥水膜１１４００Ａとしては、例えば、フッ化炭素水素や、シリコン樹脂等の材料を採用できる。
そして、第２区画部１０４００Ａ４の凹部１０４００Ａ５に入射側偏光板４４２を配置した状態で、第２区画部１０４００Ａ４、延出部１０４００Ｂ、および入射側偏光板４４２の光束射出側端面に撥水膜１１４００Ａを例えば接着剤等にて貼り付けることで、外部から凹部１０４００Ａ５に冷却流体が流入することを防止している。
なお、液晶パネル４４１の光束射出側に配置される冷却室区画部１１４００も同様の構成であり、この冷却室区画部１１４００を構成する第２区画部１０４００Ａ４の凹部１０４００Ａ５に射出側偏光板４４３が配置され、撥水膜１１４００Ａにて被覆される。
【０１８３】
上述した第１１実施形態においては、前記第１０実施形態と比較して、冷却室区画部１１４００における凹部１０４００Ａ５に入射側偏光板４４２または射出側偏光板４４３が配置され、これら入射側偏光板４４２または射出側偏光板４４３を覆うように撥水膜１１４００Ａで被覆された状態であるので、撥水膜１１４００Ａを介して冷却流体に熱を放熱しやすい構成となり、入射側偏光板４４２または射出側偏光板４４３の冷却効率をさらに向上できる。
また、入射側偏光板４４２または射出側偏光板４４３を覆うように撥水膜１１４００Ａで被覆した構成とすることで、入射側偏光板４４２または射出側偏光板４４３の吸水劣化を抑制できる。
さらに、冷却室区画部１１４００が撥水膜１１４００Ａを備えているので、冷却室区画部１１４００と冷却流体との接触角を大きくし、冷却流体の濡れ性を抑制できる。このため、冷却流体に気泡、塵埃等が含まれている場合であっても、これら気泡、塵埃等が冷却室区画部１１４００に付着しにくい構成となり、気泡、塵埃等が付着することで液晶パネル４４１にて形成した光学像に不要な像が含まれることを回避でき、液晶パネル４４１にて形成された光学像を良好に維持できる。
【０１８４】
以上、本発明について好適な実施形態を挙げて説明したが、本発明は、これらの実施形態に限定されるものではなく、本発明の要旨を逸脱しない範囲において種々の改良並びに設計の変更が可能である。
【０１８５】
前記各実施形態では、放熱部としてラジエータ４４７を採用した構成を説明したが、これに限らず、複数の流体循環部材４４８を流通する冷却流体と熱伝達可能に接続されるペルチェ効果を利用したペルチェモジュールを放熱部として採用してもよい。
前記各実施形態において、ラジエータ４４７および流体圧送部４４６の配置位置は、前記各実施形態で説明した位置に限らず、例えば、投射レンズ５の左右側、上下側の位置に配置してもよい。
前記各実施形態において、ラジエータ４４７を冷却する軸流ファン３２は、放熱フィン４４７３に冷却空気を吐出する構成であったが、これに限らず、放熱フィン４４７３近傍の温められた空気を吸入してプロジェクタ１外部に排出する構成としてもよい。
【０１８６】
前記第１実施形態において、光変調素子保持体４４０２を構成する一対の枠状部材４４０５，４４０６の光束入射側および光束射出側に、入射側偏光板４４２および射出側偏光板４４３を配置する構成を説明したが、これに限らない。例えば、一対の枠状部材４４０５，４４０６の光束入射側および光束射出側に、前記第９実施形態で説明したガラス等の透光性基板４４２０，４４３０を配置して、開口部４４０５Ａ，４４０６Ａの一方の端面側を封止する。この際、入射側偏光板４４２および射出側偏光板４４３を、第２実施形態で説明した入射側偏光板４４２と同様に、反射型偏光素子とする構成を採用してもよい。なお、前記第３実施形態ないし前記第８実施形態も同様である。
また、前記第２実施形態において、前記第１実施形態と略同様に、枠状部材５４０５の光束入射側を透光性部材にて封止し、一対の枠状部材５４０５，５４０６内部にそれぞれ冷却室を形成する構成としてもよい。このような構成では、液晶パネル４４１の光束入射側および光束射出側にそれぞれ冷却室が設けられることとなり、液晶パネル４４１の冷却効率をさらに向上できる。
【０１８７】
前記各実施形態において、メインタンク４４５、流体分岐部４４０１、および中継タンク４４０４，５４０４は、冷却流体流入部４４５Ａ，４４０１Ａ，４４０３Ａおよび冷却流体流出部４４５Ｂ，４４０１Ｃ，４４０４Ｂを有し、冷却流体流入部４４５Ａ，４４０１Ａ，４４０４Ａおよび冷却流体流出部４４５Ｂ，４４０１Ｃ，４４０４Ｂの一方の端部が内部に向けて突出している構成を説明したが、これに限らない。例えば、メインタンク４４５、流体分岐部４４０１、および中継タンク４４０４，５４０４に直接、流体循環部材４４８を連通接続し、流体循環部材４４８の端部をメインタンク４４５、流体分岐部４４０１、および中継タンク４４０４，５４０４内部に突出させる構成としてもよい。
【０１８８】
前記第５実施形態および前記第６実施形態では、前記第４実施形態の整流部６４０５Ｇ，６４０６Ｇを整流部７４０５Ｇ，７４０６Ｇ，８４０５Ｇ，８４０６Ｇに変更した構成を説明したが、前記第１実施形態ないし前記第３実施形態の整流部４４０５Ｇ，４４０６Ｇ，５４０６Ｇを整流部７４０５Ｇ，７４０６Ｇ，８４０５Ｇ，８４０６Ｇに変更する構成を採用してもよい。また、整流部としては、冷却流体を液晶パネル４４１の光変調面に平行な方向に整流する形状であれば、前記第１実施形態ないし前記第６実施形態、および前記第９実施形態で説明した整流部４４０５Ｇ，４４０６Ｇ，５４０６Ｇ，６４０５Ｇ，６４０６Ｇ，７４０５Ｇ，７４０６Ｇ，８４０５Ｇ，８４０６Ｇの形状に限らない。例えば、以下の整流部を採用してもよい。
【０１８９】
図４４および図４５は、整流部の変形例を示す図である。なお、図４４および図４５では、前記第４実施形態ないし前記第６実施形態で説明した枠状部材６４０５，６４０６の整流部の形状を変更した例を示しているが、前記第１実施形態ないし前記第３実施形態、および前記第９実施形態で説明した枠状部材４４０５，４４０６，５４０６に、図４４および図４５に示す整流部を採用してもよい。
例えば、図４４に示す整流部１４０５Ｇ，１４０６Ｇは、前記第５実施形態で説明した整流部７４０５Ｇ，７４０６Ｇと略同様な形状を有する。すなわち、整流部１４０５Ｇは、図４４に示すように、整流部７４０５Ｇの柱状部７４０５Ｇ１（整流面７４０５Ｇ２を含む）と同様の、柱状部１４０５Ｇ１（整流面１４０５Ｇ２を含む）を有する。そして、上方側の凹部６４０５Ｆおよび下方側の凹部６４０５Ｆに立設される各整流部１４０５Ｇは、図４４（Ａ）に示すように、９つの柱状部１４０５Ｇ１が、流入口６４０５Ｄを介して流入する冷却流体の流入方向、すなわち、枠状部材６４０５における下端部から上端部に向かう方向と直交する方向に２つの列を有し、前記冷却流体の流入方向に平面的に互いに干渉しないように配置されている。なお、各柱状部１４０５Ｇ１の凹部６４０６Ｆから立設する方向の高さ寸法は、同一となるように形成されている。
また、整流部１４０６Ｇは、図４４（Ｂ）に示すように、上述した整流部１４０５Ｇと同様の配置および形状を有し、整流部１４０５Ｇの柱状部１４０５Ｇ１および整流面１４０５Ｇ２と同様の、柱状部１４０６Ｇ１および整流面１４０６Ｇ２を有する。
なお、図４４では、１つの柱状部１４０５Ｇ１，１４０６Ｇ２の整流面１４０５Ｇ２，１４０６Ｇ２のみ符号を付している。
【０１９０】
また、例えば、図４５に示す整流部２４０５Ｇ，２４０６Ｇは、側面の略全てが整流面として機能する多角柱状の柱状部２４０５Ｇ１，２４０６Ｇ１で構成されている。そして、上方側の凹部６４０５Ｆおよび下方側の凹部６４０５Ｆに立設される各整流部２４０５Ｇは、図４５（Ａ）に示すように、４つの柱状部２４０５Ｇ１で構成される。
また、整流部２４０６Ｇは、図４５（Ｂ）に示すように、上述した整流部２４０５Ｇと同様の配置および形状を有し、整流部２４０５Ｇの柱状部２４０５Ｇ１と同様の、柱状部２４０６Ｇ１を有する。
【０１９１】
前記第１実施形態ないし前記第６実施形態、前記第９実施形態、および図４４、図４５の変形例において、各整流部４４０５Ｇ，４４０６Ｇ，５４０６Ｇ，６４０５Ｇ，６４０６Ｇ，７４０５Ｇ，７４０６Ｇ，８４０５Ｇ，８４０６Ｇ，１４０５Ｇ，１４０６Ｇ，２４０５Ｇ，２４０６Ｇは、枠状部材４４０５，４４０６，５４０６，６４０５，６４０６に一体的に形成されていたが、これに限らない。各整流部を枠状部材と別体で構成し、枠状部材に対して各整流部を着脱可能に構成してもよい。このような構成では、種々の形状の整流部を形成でき、光変調素子保持体の設計の自由度が向上する。
【０１９２】
前記第１実施形態ないし前記第６実施形態、前記第９実施形態、および図４４、図４５の変形例において、各整流部４４０５Ｇ，４４０６Ｇ，５４０６Ｇ，６４０５Ｇ，６４０６Ｇ，７４０５Ｇ，７４０６Ｇ，８４０５Ｇ，８４０６Ｇ，１４０５Ｇ，１４０６Ｇ，２４０５Ｇ，２４０６Ｇに冷却流体を流通可能とする複数の孔を形成した構成を採用してもよい。例えば、前記各整流部を多孔質部材で構成する。このような構成では、冷却流体が複数の孔を流通する際に、複数の孔にて冷却流体に含まれる気泡、塵埃等を捕捉することが可能となる。このため、冷却流体に含まれる気泡、塵埃等に光束が入射することにより形成される像が液晶パネル４４１にて形成された光学像に含まれることを回避でき、液晶パネル４４１にて形成された光学像を良好に維持できる。
前記第５実施形態および前記第６実施形態において、整流部７４０５Ｇ，７４０６Ｇ，８４０５Ｇ，８４０６Ｇを構成する各柱状部７４０５Ｇ１，７４０６Ｇ１，８４０５Ｇ１，８４０６Ｇ１は、所定の間隔を空けて配設されていたが、これに限らず、隙間を空けないように配設する、すなわち、各柱状部７４０５Ｇ１，７４０６Ｇ１，８４０５Ｇ１，８４０６Ｇ１を一体化した構成を採用してもよい。
【０１９３】
前記各実施形態において、冷却流体と接触する部材である、流体循環部材４４８、メインタンク４４５、流体圧送部４４６、ラジエータ４４７の管状部材４４７２、枠状部材４４０５，４４０６，５４０６、中継タンク４４０４，５４０４は、アルミニウム製の部材から構成したが、これに限らない。耐蝕性を有する材料であれば、アルミニウムに限らず、他の材料にて構成してもよく、例えば、無酸素銅やジュラルミンにて構成してもよい。また、流体循環部材４４８としては、光変調素子保持体４４０２，５４０２，６４０２，７４０２への変形反力が小さく画素ずれを抑制する硬度の低いブチルゴムまたはフッ素ゴム等を使用してもよい。
前記第４実施形態ないし前記第８実施形態、前記第１０実施形態、および前記第１１実施形態では、枠状部材６４０５，６４０６，７４０５，７４０６を、ＰＰＳ（ポリフェニレンサルファイド）、またはＧＦ（ガラスファイバ）を添加したＰＣ（ポリカーボネート）等の樹脂材料を成形加工により形成した一体成形品で構成したが、これに限らず、アルミニウム、無酸素銅やジュラルミン等で構成してもよい。
【０１９４】
前記各実施形態において、光変調素子保持体４４０２，５４０２，６４０２，７４０２における流入口４４０５Ｄ，４４０６Ｄ，５４０６Ｄ，６４０５Ｄおよび流出口４４０５Ｅ，４４０６Ｅ，５４０６Ｅ，６４０６Ｄの形成位置、および冷却流体の流通方向は、前記各実施形態で説明した形成位置、および流通方向に限らない。例えば、冷却流体の流通方向を逆にし、流入口４４０５Ｄ，４４０６Ｄ，５４０６Ｄ，６４０５Ｄおよび流出口４４０５Ｅ，４４０６Ｅ，５４０６Ｅ，６４０６Ｄをそれぞれ流出口および流入口としてそれぞれ機能させる構成としてもよい。
ここで、前記第５実施形態において、流入口６４０５Ｄの形成位置を変更した場合には、整流部７４０５Ｇにおける５つの柱状部７４０５Ｇ１のうち形成位置が変更された流入口に対向する位置に配設される柱状部７４０５Ｇ１の光軸方向の高さ寸法を最も高くなるように形成し、前記流入口に対向する位置に配設される柱状部７４０５Ｇ１から離間するにしたがって、各柱状部７４０５Ｇ１における光軸方向の高さ寸法が次第に小さくなるように形成すればよい。また、流出口６４０６Ｄの形成位置を変更した場合も、整流部７４０６Ｇを上記同様に形成すればよい。
また、前記７実施形態、前記第８実施形態、前記第１０実施形態、および前記第１１実施形態において、流入口６４０５Ｄおよび流出口６４０６Ｄの形成位置を変更した場合には、冷却室区画部７４００，８４００，１０４００，１１４００における延出部７４００Ｂ，８４００Ｂ，１０４００Ｂの延出方向端部を、形成位置が変更された流入口または流出口に対向する部分が上下方向に突出する形状とすればよい。
さらに、前記第８実施形態では、冷却室区画部８４００における延出部８４００Ｂの液晶パネル４４１と対向する端面を、形成位置が変更された流入口または流出口に対向する部分が液晶パネル４４１側に膨出する形状とすればよい。
【０１９５】
前記第３実施形態および前記第９実施形態における冷却室区画部４４００，９４００では、前記第１実施形態に採用する構成に限らず、前記第２実施形態に採用してもよい。
同様に、前記第４実施形態ないし前記第８実施形態、前記第１０実施形態および前記第１１実施形態における冷却室区画部６４００，７４００，８４００，１０４００，１１４００を前記第２実施形態に採用してもよい。なお、冷却室区画部７４００，８４００，１０４００，１１４００を前記第２実施形態に採用する場合には、枠状部材５４０６の整流部５４０６Ｇを省略する。
前記第３実施形態および前記第９実施形態において、冷却室区画部４４００，９４００は、当接部４４００Ｂ，９４００Ｂを有していたが、これに限らない。区画部本体４４００Ａ，８４０４Ｇ１に形成された斜面４４００Ａ２，９４００Ａ２の傾斜角度に応じて流入口４４０５Ｄ，４４０６Ｄから流入する冷却流体の力によって冷却室区画部４４００，９４００を冷却室Ｒ１，Ｒ２内の所定位置に安定化させることが可能であるので、当接部４４００Ｂ，９４００Ｂを省略した構成としてもよい。また、当接部４４００Ｂ，９４００Ｂは、区画部本体４４００Ａ，９４００Ａの左右側端部の辺縁に沿って形成されていたが、左右側端部に少なくとも一対形成されていれば、その位置、およびその上下方向の長さは特に限定されない。
【０１９６】
前記第３実施形態および前記第９実施形態において、区画部本体４４００Ａ，９４００Ａおよび当接部４４００Ｂ，９４００Ｂは、一体成形で形成する構成に限らず、別部材で形成し一体化する構成としてもよい。
前記第３実施形態ないし前記第１１実施形態において、冷却室区画部４４００，６４００，７４００，８４００，９４００，１０４００，１１４００は、斜面４４００Ａ２，６４００Ａ１，７４００Ａ２，７４００Ｂ２，９４００Ａ２，１０４００Ａ２，１０４００Ｂ２が形成されていたが、これに限らない。上方側および下方側に向かうにしたがって断面積が縮小するテーパ状に形成されていればよく、平面状でなく、例えば、曲面状に形成されていてもよい。
前記第３実施形態および前記第９実施形態では、冷却室区画部４４００，９４００は、液晶パネル４４１と、枠状部材４４０５，４４０６との間にそれぞれ配置されていたが、これに限らず、冷却室内に配置される構成であれば、入射側偏光板４４２または透光性基板４４２０と枠状部材４４０５との間、枠状部材４４０６と射出側偏光板４４３または透光性基板４４３０との間に配置してもよい。
【０１９７】
前記各実施形態では、３つの各光変調素子保持体４４０２，５４０２，６４０２，７４０２内に流入する冷却流体の流量は、略同一に設定されていたが、これに限らず、各光変調素子保持体４４０２，５４０２，６４０２，７４０２内に流入する冷却流体の流量を異なるものとする構成を採用してもよい。
例えば、流体分岐部４４０１から各光変調素子保持体４４０２，５４０２，６４０２，７４０２に流通する流路中に弁を設け、該弁の位置を変更することで流路を狭めたり拡げたりする構成を採用してもよい。
また、例えば、流体分岐部４４０１と各光変調素子保持体４４０２，５４０２，６４０２，７４０２とを接続する各流体循環部材４４８を各液晶パネル４４１Ｒ，４４１Ｇ，４４１Ｂの発熱量に応じて異なる管径寸法とする構成を採用してもよい。
【０１９８】
前記各実施形態では、シロッコファン３１の送風によって、光変調素子保持体４４０２，５４０２，６４０２，７４０２の外面ならびに光学部品用筐体４５の底面を冷却していたが、これに限らず、シロッコファン３１を省略した構成を採用してもよい。このような構成では、低騒音化に寄与できる。
【０１９９】
前記各実施形態では、光学変換素子として入射側偏光板４４２および射出側偏光板４４３を採用し、入射側偏光板４４２および／または射出側偏光板４４３を冷却流体にて冷却する構成を採用したが、これに限らず、光学変換素子としては、位相差板、あるいは視野角補正板等を採用し、これらの光学変換素子を冷却流体にて冷却する構成を採用してもよい。
また、前記第９実施形態ないし前記第１０実施形態では、区画部本体９４００Ａ，１０４００Ａ，１１４００Ａが２体で構成されていたが、これに限らず、例えば、２体以上で構成し、複数の部材間の少なくともいずれかに、偏光板、位相差板、視野角補正板等を介在配置する構成を採用してもよい。
さらに、前記第１１実施形態では、各冷却室区画部１１４００には、第２区画部１０４００Ａ４の凹部１０４００Ａ５に入射側偏光板４４２および射出側偏光板４４３がそれぞれ配置されていたが、これに限らず、これら偏光板、位相差板、視野角補正板等の少なくともいずれかを一括して配置してもよい。
【０２００】
前記各実施形態では、光学装置４４において、メインタンク４４５およびラジエータ４４７を備えた構成を説明したが、これに限らず、これらメインタンク４４５およびラジエータ４４７のうち少なくともいずれかを省略した構成を採用してもよい。
前記各実施形態では、光学ユニット４が平面視略Ｌ字形状を有した構成を説明したが、これに限らず、例えば、平面視略Ｕ字形状を有した構成を採用してもよい。
前記各実施形態では、３つの液晶パネル４４１を用いたプロジェクタ１の例のみを挙げたが、本発明は、１つの液晶パネルのみを用いたプロジェクタ、２つの液晶パネルのみを用いたプロジェクタ、あるいは、４つ以上の液晶パネルを用いたプロジェクタにも適用可能である。
前記各実施形態では、光入射面と光射出面とが異なる透過型の液晶パネルを用いていたが、光入射面と光射出面とが同一となる反射型の液晶パネルを用いてもよい。
前記各実施形態では、光変調素子として液晶パネルを用いていたが、マイクロミラーを用いたデバイスなど、液晶以外の光変調素子を用いてもよい。この場合は、光束入射側および光束射出側の偏光板は省略できる。
前各記実施形態では、スクリーンを観察する方向から投写を行なうフロントタイプのプロジェクタの例のみを挙げたが、本発明は、スクリーンを観察する方向とは反対側から投写を行なうリアタイプのプロジェクタにも適用可能である。
【０２０１】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【産業上の利用可能性】
【０２０２】
本発明の光変調素子保持体は、冷却流体により光変調素子を効率的に冷却できるため、ホームシアターやプレゼンテーションで利用されるプロジェクタの光変調素子保持体として有用である。
【図面の簡単な説明】
【０２０３】
【図１】各実施形態におけるプロジェクタの概略構成を模式的に示す図。
【図２】第１実施形態におけるプロジェクタ内の一部を上方側から見た斜視図。
【図３】前記実施形態におけるプロジェクタ内の一部を下方側から見た斜視図。
【図４】前記実施形態における光学装置を下方側から見た斜視図。
【図５】前記実施形態におけるメインタンクの構造を示す図。
【図６】前記実施形態における流体分岐部の構造を示す図。
【図７】前記実施形態における光変調素子保持体の概略構成を示す分解斜視図。
【図８】前記実施形態における枠状部材を光束入射側から見た斜視図。
【図９】前記実施形態における中継タンクの構造を示す図。
【図１０】前記実施形態におけるラジエータの構造、およびラジエータと軸流ファンとの配置関係を示す図。
【図１１】前記実施形態における液晶パネル、入射側偏光板、および射出側偏光板の冷却構造を説明するための断面図。
【図１２】第２実施形態における光学装置を上方側から見た斜視図。
【図１３】前記実施形態における光学装置を下方側から見た斜視図。
【図１４】前記実施形態における光変調素子保持体の概略構成を示す分解斜視図。
【図１５】前記実施形態における液晶パネルおよび射出側偏光板の冷却構造を説明するための断面図。
【図１６】第３実施形態における冷却室区画部の配置位置を示す図。
【図１７】前記実施形態における冷却室区画部の構造を示す図。
【図１８】前記実施形態における冷却室内に冷却室区画部をそれぞれ配置した状態を説明するための図。
【図１９】前記実施形態における冷却室内に冷却室区画部をそれぞれ配置した状態を説明するための図。
【図２０】第４実施形態における光学装置本体を上方から見た斜視図。
【図２１】前記実施形態における光学装置本体を下方から見た斜視図。
【図２２】前記実施形態における光変調素子保持体の概略構成を示す分解斜視図。
【図２３】前記実施形態における枠状部材の概略構成を示す図。
【図２４】前記実施形態における枠状部材の概略構成を示す図。
【図２５】前記実施形態における支持枠体の概略構成を示す分解斜視図。
【図２６】前記実施形態における支持枠体に液晶パネルを組み込んだ状態を示す図。
【図２７】前記実施形態における液晶パネル、入射側偏光板、および射出側偏光板の冷却構造を説明するための図。
【図２８】前記実施形態における液晶パネル、入射側偏光板、および射出側偏光板の冷却構造を説明するための図。
【図２９】第５実施形態における整流部の形状を示す図。
【図３０】前記実施形態における整流部の形状を示す図。
【図３１】第６実施形態における整流部の形状を示す図。
【図３２】前記実施形態における整流部の形状を示す図。
【図３３】第７実施形態における光変調素子保持体の概略構成を示す分解斜視図。
【図３４】前記実施形態における枠状部材の構造を示す図。
【図３５】前記実施形態における冷却室区画部の構造を示す図。
【図３６】前記実施形態における冷却室内に冷却室区画部をそれぞれ配置した状態を説明するための図。
【図３７】前記実施形態における冷却室内に冷却室区画部をそれぞれ配置した状態を説明するための図。
【図３８】第８実施形態における冷却室区画部の構造を示す図。
【図３９】第９実施形態における冷却室区画部の構造を示す図。
【図４０】前記実施形態における冷却室内に冷却室区画部をそれぞれ配置した状態を説明するための図。
【図４１】前記実施形態における冷却室内に冷却室区画部をそれぞれ配置した状態を説明するための図。
【図４２】第１０実施形態における冷却室区画部の構造を示す図。
【図４３】第１１実施形態における冷却室区画部の構造を示す図。
【図４４】整流部の変形例を示す図。
【図４５】整流部の変形例を示す図。
【符号の説明】
【０２０４】
１・・・プロジェクタ、５・・・投射レンズ（投射光学装置）、４４・・・光学装置、４１１・・・光源装置、４４１・・・液晶パネル（光変調素子）、４４２・・・入射側偏光板（光学変換素子）、４４３・・・射出側偏光板（光学変換素子）、４４６・・・流体圧送部、４４８・・・流体循環部材、４４００，６４００，７４００，８４００，９４００，１０４００，１１４００・・・冷却室区画部、４４００Ａ，７４００Ａ，９４００Ａ，１０４００Ａ・・・区画部本体、４４００Ａ１，６４００Ａ，７４００Ａ１，７４００Ｂ１，９４００Ａ１，１０４００Ａ１，１０４００Ｂ１・・・テーパ部、４４００Ａ２，６４００Ａ１，７４００Ａ２，７４００Ｂ２，９４００Ａ２，１０４００Ａ２，１０４００Ｂ２・・・斜面、４４０２，５４０２，６４０２，７４０２・・・光変調素子保持体、４４０５，４４０６，５４０５，５４０６，６４０５，６４０６，７４０５，７４０６・・・枠状部材、４４０５Ａ，４４０６Ａ，５４０５Ａ，５４０６Ａ，６４０５Ａ，６４０６Ａ・・・開口、４４０５Ｄ，４４０６Ｄ，５４０６Ｄ，６４０５Ｄ・・・流入口、４４０５Ｅ，４４０６Ｅ，５４０６Ｅ，６４０６Ｄ・・・流出口、４４０５Ｆ，４４０６Ｆ，５４０６Ｆ，６４０５Ｆ，６４０６Ｆ・・・凹部、４４０５Ｇ，４４０６Ｇ，５４０６Ｇ，６４０５Ｇ，６４０６Ｇ，７４０５Ｇ，７４０６Ｇ，８４０５Ｇ，８４０６Ｇ，１４０５Ｇ，１４０６Ｇ，２４０５Ｇ，２４０６Ｇ・・・整流部、４４０５Ｇ１，６４０５Ｇ１，６４０６Ｇ１，７４０５Ｇ１，７４０６Ｇ１，８４０５Ｇ１，８４０６Ｇ１，１４０５Ｇ１，１４０６Ｇ１，２４０５Ｇ１，２４０６Ｇ１・・・柱状部、４４０５Ｇ２，６４０５Ｇ２，６４０６Ｇ２，７４０５Ｇ２，７４０６Ｇ２，８４０５Ｇ２，８４０６Ｇ２，１４０５Ｇ２，１４０６Ｇ２・・・整流面、４４２０，４４３０・・・透光性部材、７４００Ｂ，１０４００Ｂ・・・延出部、８４０５Ｇ３，８４０６Ｇ３・・・溝部、１０４００Ａ５・・・凹部、１１４００Ａ・・・撥水膜、Ｂｆ１，Ｂｆ２，Ｂｆ３・・・バッファ部、Ｒ１，Ｒ２，Ｒ３，Ｒ４，Ｒ５・・・冷却室。
【図１】
2005292774.tif 000004
【図２】
2005292774.tif 000005
【図３】
2005292774.tif 000006
【図４】
2005292774.tif 000007
【図５】
2005292774.tif 000008
【図６】
2005292774.tif 000009
【図７】
2005292774.tif 000010
【図８】
2005292774.tif 000011
【図９】
2005292774.tif 000012
【図１０】
2005292774.tif 000013
【図１１】
2005292774.tif 000014
【図１２】
2005292774.tif 000015
【図１３】
2005292774.tif 000016
【図１４】
2005292774.tif 000017
【図１５】
2005292774.tif 000018
【図１６】
2005292774.tif 000019
【図１７】
2005292774.tif 000020
【図１８】
2005292774.tif 000021
【図１９】
2005292774.tif 000022
【図２０】
2005292774.tif 000023
【図２１】
2005292774.tif 000024
【図２２】
2005292774.tif 000025
【図２３】
2005292774.tif 000026
【図２４】
2005292774.tif 000027
【図２５】
2005292774.tif 000028
【図２６】
2005292774.tif 000029
【図２７】
2005292774.tif 000030
【図２８】
2005292774.tif 000031
【図２９】
2005292774.tif 000032
【図３０】
2005292774.tif 000033
【図３１】
2005292774.tif 000034
【図３２】
2005292774.tif 000035
【図３３】
2005292774.tif 000036
【図３４】
2005292774.tif 000037
【図３５】
2005292774.tif 000038
【図３６】
2005292774.tif 000039
【図３７】
2005292774.tif 000040
【図３８】
2005292774.tif 000041
【図３９】
2005292774.tif 000042
【図４０】
2005292774.tif 000043
【図４１】
2005292774.tif 000044
【図４２】
2005292774.tif 000045
【図４３】
2005292774.tif 000046
【図４４】
2005292774.tif 000047
【図４５】
2005292774.tif 000048